(57)【要約】      （修正有）【課題】バーコード内の情報と、ＩＣタグ内の情報を容易に一致させる。【解決手段】第２の中央演算処理装置８１は、第１のトリガー４２の操作で識別コード情報を読み取らせ、第２の記憶手段８５に格納し、コンピュータ１０１へ送信させ、第１の中央演算処理装置１０２は、送信された識別コード情報を第１の送受信手段１０４により受信させ、この識別コード情報に対応する個別情報を、第１の記憶手段１０３に格納された多数の個別情報の中から特定して読み出すとともに、第１の送受信手段１０４により情報処理装置１へ該特定の個別情報を送信させ、第２の中央演算処理装置８１は、送信された特定の個別情報を受信させると、この受信した特定の個別情報を第２の記憶手段８５に格納するとともに、第２のトリガー４２の操作で、電子情報書込手段８４によりＩＣチップ９３に該特定の個別情報を書き込ませる。【選択図】図５
2009211297.tif 000002
【特許請求の範囲】
【請求項１】
第１の送受信手段と、この第１の送受信手段に接続されてなる第１の中央演算処理装置と、を有してなるコンピュータと、
上記第１の送受信手段に接続され該第１の送受信手段との間で情報を送受信する第２の送受信手段と、バーコード化若しくは二次元コード化された識別コード情報を読み取るコード情報読取手段と、電波による送受信機能を備えたＩＣチップに情報を書き込む電子情報書込手段と、これら第２の送受信手段，コード情報読取手段，電子情報書込手段にそれぞれ接続されてなる第２の中央演算処理装置と、を有してなる情報処理装置と、備え、
上記コンピュータには、各識別コード情報に対応した個別情報が多数格納されてなるとともに上記第１の中央演算処理装置に接続されてなる第１の記憶手段を有してなる一方、
上記情報処理装置には、上記第２の中央演算処理装置に接続された第２の記憶手段と、該第２の中央演算処理装置に接続され上記コード情報読取手段の動作を開始させる第１のトリガーと、該第２の中央演算処理装置に接続され上記電子情報書込手段の動作を開始させる第２のトリガーとが設けられ、
上記第２の中央演算処理装置は、上記第１のトリガーの操作を条件に、上記コード情報読取手段により特定の識別コード情報を読み取らせると、この特定の識別コード情報を上記第２の記憶手段に格納するとともに、上記第２の送受信手段により上記コンピュータの第１の送受信手段へ該特定の識別コード情報を送信させ、
上記第１の中央演算処理装置は、上記第２の送受信手段から送信された上記特定の識別コード情報を第１の送受信手段により受信させると、この受信した特定の識別コード情報に対応する特定の個別情報を、上記第１の記憶手段に格納された多数の個別情報の中から特定して読み出すとともに、上記第１の送受信手段により上記情報処理装置の第２の送受信手段へ該特定の個別情報を送信させ、
上記第２の中央演算処理装置は、上記第１の送受信手段から送信された上記特定の個別情報を上記第２の送受信手段により受信させると、この受信した特定の個別情報を上記第２の記憶手段に格納するとともに、上記第２のトリガーの操作を条件に、上記電子情報書込手段により電波による送受信機能を備えたＩＣチップに該特定の個別情報を書き込ませることを特徴とする情報処理システム。
【請求項２】
第１の送受信手段と、この第１の送受信手段に接続されてなる第１の中央演算処理装置と、を有してなるコンピュータと、
上記第１の送受信手段に接続され該第１の送受信手段との間で情報を送受信する第２の送受信手段と、バーコード化若しくは二次元コード化された識別コード情報を読み取るコード情報読取手段と、電波による送受信機能を備えたＩＣチップに情報を書き込む電子情報書込手段と、これら第２の送受信手段，コード情報読取手段，電子情報書込手段にそれぞれ接続されてなる第２の中央演算処理装置と、を有してなる情報処理装置と、備え、
上記コンピュータには、各識別コード情報に対応した個別情報が多数格納されてなるとともに上記第１の中央演算処理装置に接続されてなる第１の記憶手段を有してなる一方、
上記情報処理装置には、上記第２の中央演算処理装置に接続された第２の記憶手段と、該第２の中央演算処理装置に接続され上記コード情報読取手段の動作を開始させるとともに上記電子情報書込手段の動作を開始させる読み書きトリガーとが設けられ、
上記第２の中央演算処理装置は、上記読み書きトリガーの操作を条件に、上記コード情報読取手段により特定の識別コード情報を読み取らせると、この特定の識別コード情報を上記第２の記憶手段に格納するとともに、上記第２の送受信手段により上記コンピュータの第１の送受信手段へ該特定の識別コード情報を送信させ、
上記第１の中央演算処理装置は、上記第２の送受信手段から送信された上記特定の識別コード情報を第１の送受信手段により受信させると、この受信した特定の識別コード情報に対応する特定の個別情報を、上記第１の記憶手段に格納された多数の個別情報の中から特定して読み出すとともに、上記第１の送受信手段により上記情報処理装置の第２の送受信手段へ該特定の個別情報を送信させ、
上記第２の中央演算処理装置は、上記第１の送受信手段から送信された上記特定の個別情報を上記第２の送受信手段により受信させると、この受信した特定の個別情報を上記第２の記憶手段に格納するとともに、上記電子情報書込手段により電波による送受信機能を備えたＩＣチップに該特定の個別情報を書き込むことを特徴とする情報処理システム。
【請求項３】
バーコード化若しくは二次元コード化された識別コード情報を読み取るコード情報読取手段と、電波による送受信機能を備えたＩＣチップに情報を書き込む電子情報書込手段と、上記コード情報読取手段により読み取られた識別コード情報に対応した個別情報が多数格納されてなる記憶手段と、上記コード情報読取手段，電子情報書込手段及び記憶手段にそれぞれ接続されてなる中央演算処理装置と、を有してなる情報処理装置を備え、
この情報処理装置には、上記中央演算処理装置に接続され上記コード情報読取手段の動作を開始させる第１のトリガーと、該中央演算処理装置に接続され上記電子情報書込手段の動作を開始させる第２のトリガーとが設けられ、
上記中央演算処理装置は、上記第１のトリガーの操作を条件に、上記コード情報読取手段により特定の識別コード情報を読み取らせると、この特定の識別コード情報を上記記憶手段に格納し、該特定の識別コード情報に対応する特定の個別情報を、上記記憶手段に格納された多数の個別情報の中から特定して読み出すとともに、上記第２のトリガーの操作を条件に、上記電子情報書込手段により電波による送受信機能を備えたＩＣチップに該特定の個別情報を書き込むことを特徴とする情報処理システム。
【請求項４】
バーコード化若しくは二次元コード化された識別コード情報を読み取るコード情報読取手段と、電波による送受信機能を備えたＩＣチップに情報を書き込む電子情報書込手段と、上記コード情報読取手段により読み取れた識別コード情報に対応した個別情報が多数格納されてなる記憶手段と、上記コード情報読取手段，電子情報書込手段及び記憶手段にそれぞれ接続されてなる中央演算処理装置と、を有してなる情報処理装置を備え、
この情報処理装置には、上記中央演算処理装置に接続され上記コード情報読取手段の動作を開始させるとともに上記電子情報書込手段の動作を開始させる読み書きトリガーが設けられ、
上記中央演算処理装置は、上記読み書きトリガーの操作を条件に、上記コード情報読取手段により特定の識別コード情報を読み取らせると、この特定の識別コード情報を上記記憶手段に格納し、該特定の識別コード情報に対応する特定の個別情報を、上記記憶手段に格納された多数の個別情報の中から特定して読み出すとともに、上記電子情報書込手段により電波による送受信機能を備えたＩＣチップに該特定の個別情報を書き込むことを特徴とする情報処理システム。
【請求項５】
第１の送受信手段と、この第１の送受信手段に接続されてなる第１の中央演算処理装置と、を有してなるコンピュータと、
上記第１の送受信手段に接続され該第１の送受信手段との間で情報を送受信する第２の送受信手段と、バーコード化若しくは二次元コード化された識別コード情報を読み取るコード情報読取手段と、電波による送受信機能を備えたＩＣチップに書き込まれた個別情報を読み取る電子情報読取手段と、振動装置，発音装置又は表示装置その他使用者への認知手段と、これら第２の送受信手段，コード情報読取手段，電子情報読取手段並びに認知手段にそれぞれ接続されてなる第２の中央演算処理装置と、を有してなる情報処理装置と、備え、
上記コンピュータには、各識別コード情報に対応した個別情報が多数格納されてなるとともに上記第１の中央演算処理装置に接続されてなる第１の記憶手段を有してなる一方、
上記情報処理装置には、上記第２の中央演算処理装置に接続された第２の記憶手段と、該第２の中央演算処理装置に接続され上記コード情報読取手段の動作を開始させる第１のトリガーと、該第２の中央演算処理装置に接続され上記電子情報読取手段の動作を開始させる第２のトリガーとが設けられ、
上記第２の中央演算処理装置は、上記第１のトリガーの操作を条件に、上記コード情報読取手段により特定の識別コード情報を読み取らせると、この特定の識別コード情報を上記第２の記憶手段に格納するとともに、上記第２の送受信手段により上記コンピュータの第１の送受信手段へ該特定の識別コード情報を送信させ、
上記第１の中央演算処理装置は、上記第２の送受信手段から送信された上記特定の識別コード情報を第１の送受信手段により受信させると、この受信した特定の識別コード情報に対応する特定の個別情報を、上記第１の記憶手段に格納された多数の個別情報の中から特定して読み出すとともに、この特定の個別情報を一方の個別情報として上記第１の記憶手段に格納し、
上記第２の中央演算処理装置は、上記第２のトリガーの操作を条件に、上記電子情報読取手段により電波による送受信機能を備えたＩＣチップから特定の個別情報を読み取らせると、この特定の個別情報を他方の個別情報として上記第２の記憶手段に格納するとともに、上記第２の送受信手段により上記コンピュータの第１の送受信手段へ該他方の個別情報を送信させ、
上記第１の中央演算処理装置は、上記第２の送受信手段から送信された上記他方の個別情報を第１の送受信手段により受信させると、上記一方の個別情報と他方の個別情報とを照合するとともに、第１の送受信手段により上記情報処理装置の第２の送受信装置へ該照合結果情報を送信させ、
上記第２の中央演算処理装置は、上記第１の送受信手段から送信された上記照合結果情報を上記第２の送受信手段により受信させると、この受信した照合結果情報に基づき、上記認知手段を駆動させることを特徴とする情報処理システム。
【請求項６】
第１の送受信手段と、この第１の送受信手段に接続されてなる第１の中央演算処理装置と、を有してなるコンピュータと、
上記第１の送受信手段に接続され該第１の送受信手段との間で情報を送受信する第２の送受信手段と、バーコード化若しくは二次元コード化された識別コード情報を読み取るコード情報読取手段と、電波による送受信機能を備えたＩＣチップに書き込まれた個別情報を読み取る電子情報読取手段と、振動装置，発音装置又は表示装置その他使用者への認知手段と、これら第２の送受信手段，コード情報読取手段，電子情報読取手段並びに認知手段にそれぞれ接続されてなる第２の中央演算処理装置と、を有してなる情報処理装置と、を備え、
上記コンピュータには、各識別コード情報に対応した個別情報が多数格納されてなるとともに上記第１の中央演算処理装置に接続されてなる第１の記憶手段を有してなる一方、
上記情報処理装置には、上記第２の中央演算処理装置に接続された第２の記憶手段と、該第２の中央演算処理装置に接続され上記コード情報読取手段の動作を開始させるとともに上記電子情報読取手段の動作を開始させる共通読取トリガーとが設けられ、
上記第２の中央演算処理装置は、共通読取トリガーの操作を条件に、上記コード情報読取手段により特定の識別コード情報を読み取らせると、この特定の識別コード情報を上記第２の記憶手段に格納するとともに、上記第２の送受信手段により上記コンピュータの第１の送受信手段へ該特定の識別コード情報を送信させ、
上記第１の中央演算処理装置は、上記第２の送受信手段から送信された上記特定の識別コード情報を第１の送受信手段により受信させると、この受信した特定の識別コード情報に対応する特定の個別情報を、上記第１の記憶手段に格納された多数の個別情報の中から特定して読み出すとともに、この特定の個別情報を一方の個別情報として上記第１の記憶手段に格納し、
上記第２の中央演算処理装置は、上記電子情報読取手段により電波による送受信機能を備えたＩＣチップから特定の個別情報を読み取らせると、この特定の個別情報を他方の個別情報として上記第２の記憶手段に格納するとともに、上記第２の送受信手段により上記コンピュータの第１の送受信手段へ該他方の個別情報を送信させ、
上記第１の中央演算処理装置は、上記第２の送受信手段から送信された上記他方の個別情報を第１の送受信手段により受信させると、上記一方の個別情報と他方の個別情報とを照合するとともに、第１の送受信手段により上記情報処理装置の第２の送受信装置へ該照合結果情報を送信させ、
上記第２の中央演算処理装置は、上記第１の送受信手段から送信された上記照合結果情報を上記第２の送受信手段により受信させると、この受信した照合結果情報に基づき、上記認知手段を駆動させることを特徴とする情報処理システム。
【請求項７】
バーコード化若しくは二次元コード化された識別コード情報を読み取るコード情報読取手段と、電波による送受信機能を備えたＩＣチップに書き込まれた個別情報を読み取る電子情報読取手段と、上記コード情報読取手段により読み取らせた識別コード情報に対応した個別情報が多数格納されてなる記憶手段と、振動装置，発音装置又は表示装置その他使用者への認知手段と、上記コード情報読取手段，電子情報書込手段及び記憶手段並びに認知手段にそれぞれ接続されてなる中央演算処理装置と、を有してなる情報処理装置を備え、
この情報処理装置には、上記中央演算処理装置に接続され上記コード情報読取手段の動作を開始させる第１のトリガーと、該中央演算処理装置に接続され上記電子情報読取手段の動作を開始させる第２のトリガーとが設けられ、
上記中央演算処理装置は、上記第１のトリガーの操作を条件に、上記コード情報読取手段により特定の識別コード情報を読み取らせると、この特定の識別コード情報を上記記憶手段に格納し、該特定の識別コード情報に対応する特定の個別情報を、上記記憶手段に格納された多数の個別情報の中から特定して読み出し、この特定の個別情報を一方の個別情報として上記記憶手段に格納するとともに、上記第２のトリガーの操作を条件に、上記電子情報読取手段により電波による送受信機能を備えたＩＣチップに書き込まれた個別情報を読み取らせ、この個別情報を他方の個別情報として上記記憶手段に格納し、上記一方の個別情報と他方の個別情報とを照合するとともに、この照合結果情報に基づき、上記認知手段を駆動させることを特徴とする情報処理システム。
【請求項８】
バーコード化若しくは二次元コード化された識別コード情報を読み取るコード情報読取手段と、電波による送受信機能を備えたＩＣチップに書き込まれた個別情報を読み取る電子情報読取手段と、上記コード情報読取手段により読み取らせた識別コード情報に対応した個別情報が多数格納されてなる記憶手段と、振動装置，発音装置又は表示装置その他使用者への認知手段と、上記コード情報読取手段，電子情報書込手段及び記憶手段並びに認知手段にそれぞれ接続されてなる中央演算処理装置と、を有してなる情報処理装置を備え、
この情報処理装置には、上記中央演算処理装置に接続され上記コード情報読取手段の動作を開始させるとともに上記電子情報読取手段の動作を開始させる共通読取トリガーとが設けられ、
上記中央演算処理装置は、上記共通読取トリガーの操作を条件に、上記コード情報読取手段により特定の識別コード情報を読み取らせると、この特定の識別コード情報を上記記憶手段に格納し、該特定の識別コード情報に対応する特定の個別情報を、上記記憶手段に格納された多数の個別情報の中から特定して読み出し、この特定の個別情報を一方の個別情報として上記記憶手段に格納するとともに、上記電子情報読取手段により電波による送受信機能を備えたＩＣチップに書き込まれた個別情報を読み取らせ、この個別情報を他方の個別情報として上記記憶手段に格納し、上記一方の個別情報と他方の個別情報とを照合するとともに、この照合結果情報に基づき、上記認知手段を駆動させることを特徴とする情報処理システム。
【請求項９】
第１の送受信手段と、この第１の送受信手段に接続されてなる第１の中央演算処理装置と、を有してなるコンピュータと、
上記第１の送受信手段に接続され該第１の送受信手段との間で情報を送受信する第２の送受信手段と、バーコード化若しくは二次元コード化された識別コード情報を読み取るコード情報読取手段と、電波による送受信機能を備えたＩＣチップに情報を書き込む電子情報書込手段と、上記ＩＣチップに書き込まれた個別情報を読み取る電子情報読取手段と、振動装置，発音装置又は表示装置その他使用者への認知手段と、第１の処理モード又は第２の処理モードの何れかに処理モードを切換える処理モード選択手段と、これら第２の送受信手段，コード情報読取手段，電子情報書込手段，電子情報読取手段，認知手段，処理モード選択手段にそれぞれ接続されてなる第２の中央演算処理装置と、を有してなる情報処理装置と、備え、
上記コンピュータには、各識別コード情報に対応した個別情報が多数格納されてなるとともに上記第１の中央演算処理装置に接続されてなる第１の記憶手段を有してなる一方、
上記情報処理装置には、上記第２の中央演算処理装置に接続された第２の記憶手段と、該第２の中央演算処理装置に接続され上記コード情報読取手段の動作を開始させるとともに上記電子情報書込手段の動作を開始させるか、又は、該第２の中央演算処理装置に接続され上記コード情報読取手段の動作を開始させるとともに上記電子情報読取手段の動作を開始させる共通トリガーとが設けられ、
上記処理モード選択手段により第１の処理モードが選択された場合には、上記第２の中央演算処理装置は、共通トリガーの操作を条件に、上記コード情報読取手段により特定の識別コード情報を読み取らせると、この特定の識別コード情報を上記第２の記憶手段に格納するとともに、上記第２の送受信手段により上記コンピュータの第１の送受信手段へ該特定の識別コード情報を送信させ、
上記第１の中央演算処理装置は、上記第２の送受信手段から送信された上記特定の識別コード情報を第１の送受信手段により受信させると、この受信した特定の識別コード情報に対応する特定の個別情報を、上記第１の記憶手段に格納された多数の個別情報の中から特定して読み出すとともに、上記第１の送受信手段により上記情報処理装置の第２の送受信手段へ該特定の個別情報を送信させ、
上記第２の中央演算処理装置は、上記第１の送受信手段から送信された上記特定の個別情報を上記第２の送受信手段により受信させると、この受信した特定の個別情報を上記第２の記憶手段に格納するとともに、上記電子情報書込手段により電波による送受信機能を備えたＩＣチップに該特定の個別情報を書き込み、
上記処理モード選択手段により第２の処理モードが選択された場合には、上記第２の中央演算処理装置は、共通トリガーの操作を条件に、上記コード情報読取手段により特定の識別コード情報を読み取らせると、この特定の識別コード情報を上記第２の記憶手段に格納するとともに、上記第２の送受信手段により上記コンピュータの第１の送受信手段へ該特定の識別コード情報を送信させ、
上記第１の中央演算処理装置は、上記第２の送受信手段から送信された上記特定の識別コード情報を第１の送受信手段により受信させると、この受信した特定の識別コード情報に対応する特定の個別情報を、上記第１の記憶手段に格納された多数の個別情報の中から特定して読み出すとともに、この特定の個別情報を一方の個別情報として上記第１の記憶手段に格納し、
上記第２の中央演算処理装置は、上記電子情報読取手段により電波による送受信機能を備えたＩＣチップから特定の個別情報を読み取らせると、この特定の個別情報を他方の個別情報として上記第２の記憶手段に格納するとともに、上記第２の送受信手段により上記コンピュータの第１の送受信手段へ該他方の個別情報を送信させ、
上記第１の中央演算処理装置は、上記第２の送受信手段から送信された上記他方の個別情報を第１の送受信手段により受信させると、上記一方の個別情報と他方の個別情報とを照合するとともに、第１の送受信手段により上記情報処理装置の第２の送受信装置へ該照合結果情報を送信させ、
上記第２の中央演算処理装置は、上記第１の送受信手段から送信された上記照合結果情報を上記第２の送受信手段により受信させると、この受信した照合結果情報に基づき、上記認知手段を駆動させることを特徴とする情報処理システム。
【請求項１０】
バーコード化若しくは二次元コード化された識別コード情報を読み取るコード情報読取手段と、電波による送受信機能を備えたＩＣチップに情報を書き込む電子情報書込手段と、上記ＩＣチップに書き込まれた個別情報を読み取る電子情報読取手段と、振動装置，発音装置又は表示装置その他使用者への認知手段と、第１の処理モード又は第２の処理モードの何れかに処理モードを切換える処理モード選択手段と、これら第２の送受信手段，コード情報読取手段，電子情報書込手段，電子情報読取手段，認知手段，処理モード選択手段にそれぞれ接続されてなる中央演算処理装置と、を有してなる情報処理装置と、備え、
上記情報処理装置には、上記中央演算処理装置に接続された記憶手段と、該中央演算処理装置に接続され上記コード情報読取手段の動作を開始させるとともに上記電子情報書込手段の動作を開始させるか、又は、該中央演算処理装置に接続され上記コード情報読取手段の動作を開始させるとともに上記電子情報読取手段の動作を開始させる共通トリガーとが設けられ、
上記処理モード選択手段により第１の処理モードが選択された場合には、上記中央演算処理装置は、上記共通トリガーの操作を条件に、上記コード情報読取手段により特定の識別コード情報を読み取らせると、この特定の識別コード情報を上記記憶手段に格納し、該特定の識別コード情報に対応する特定の個別情報を、上記記憶手段に格納された多数の個別情報の中から特定して読み出すとともに、上記電子情報書込手段により電波による送受信機能を備えたＩＣチップに該特定の個別情報を書き込み、
上記処理モード選択手段により第２の処理モードが選択された場合には、上記中央演算処理装置は、上記共通トリガーの操作を条件に、上記コード情報読取手段により特定の識別コード情報を読み取らせると、この特定の識別コード情報を上記記憶手段に格納し、該特定の識別コード情報に対応する特定の個別情報を、上記記憶手段に格納された多数の個別情報の中から特定して読み出し、この特定の個別情報を一方の個別情報として上記記憶手段に格納するとともに、上記電子情報読取手段により電波による送受信機能を備えたＩＣチップに書き込まれた個別情報を読み取らせ、この個別情報を他方の個別情報として上記記憶手段に格納し、上記一方の個別情報と他方の個別情報とを照合するとともに、この照合結果情報に基づき、上記認知手段を駆動させることを特徴とする情報処理システム。
【請求項１１】
前記情報処理装置は、前記コード情報読取手段、電子情報書込手段及び／又は前記電子情報読取手段、前記第２の記憶手段又は前記記憶手段、前記認知手段、前記第２の中央演算処理装置又は前記中央演算処理手段をそれぞれ内蔵するハウジングと、
このハウジングに配置されてなる前記第１及び第２のトリガー，読み書きトリガー，共通読取トリガー又は共通トリガーと、
上記ハウジングに固定されてなるとともに使用者の手指の甲に装着する装着用ベルトと、を備え、
上記コード情報読取手段は、前記識別コード情報を読み取る受光部を有し、上記電子情報読書込手段及び／又は電子情報読取手段は、前記ＩＣチップに電波を送信し又は該ＩＣチップからの電波を受信するアンテナを有してなるとともに、
上記受光部及びアンテナは、上記ハウジングの下面を除く何れかの面であって互いに同一の面又はその近傍に配置されてなることを特徴とする請求項１ないし１０記載の何れかの情報処理システム。
【発明の詳細な説明】
【技術分野】
【０００１】
本発明は、例えば、商品，製品，部品等に関する物流管理や生産管理、或いはそれらの受発注管理等に使用される情報処理システムに関し、特に、バーコード等の識別コード（情報）とＩＣタグ等の記憶媒体との両方を使用しながら情報処理を行う情報処理システムに関するものである。
【背景技術】
【０００２】
従来、商品，製品，部品等（以下、商品等という。）に関する物流管理や生産管理、或いはそれらの受発注管理等が行われる分野においては、商品等やその包装容器・梱包箱等（以下、梱包箱等という。）に印刷表示したバーコード等や、二次元コード等の識別コード情報を利用しながら、或いは、生産者や生産地，生産日時等の商品情報を書き込んだＩＣタグ等の記憶媒体を利用し、さらには、上記識別コード情報とＩＣタグ等の記憶媒体との両方を利用しながら、各種の情報処理システムを構築している。特に、上記ＩＣタグ等の記憶媒体は、その構成要素であるＩＣチップに多量の情報を格納することができ、アンテナを介して多量の情報を非接触で送受信することができるため、上記各分野においては、電波方式認識システム（ＲＦＩＤ）として多用されている。
そして、こうした情報処理システムは、上記識別コード情報に記録された情報やＩＣタグに記憶された情報を読み取る際に使用されている情報読取装置として、所謂ハンディスキャナと称されるものが多用されている（特許文献１参照）。こうしたハンディスキャナ（特許文献１に開示されたスキャナ１８）は、無線又は有線によりコンピュータと接続されてなるとともに、先端には、上記バーコード等の識別コード情報を受光する受光素子（コード情報読取手段）を備えて構成されている。また、上記情報処理システムでは、上記ハンディスキャナとは別個に、ＩＣタグ等の記憶媒体に格納された情報を読み取るリーダー（コード情報読取手段）が上記コンピュータに接続されている。一方、上記コンピュータには、特定のバーコード等に係る識別コード情報に対応する生産者や生産地，生産日時等，価格その他の個別情報が該コンピュータの記憶部に格納されており、該コンピュータに内蔵された中央演算処理装置（ＣＰＵ）により、所定のプログラムに従って情報処理がなされる。また、ＩＣタグ等に記憶された情報を読み取る上記リーダー（コード情報読取手段）に接続されたコンピュータには、該ＩＣタグ等に書き込まれた情報を表示する表示装置等が設けられ、又は該表示装置に接続され、或いは、該情報を印刷するプリンタに接続されている場合がある。
【０００３】
そして、上述した情報処理システムにより、上記各分野において情報処理ないし管理を行う場合には、例えば、紙媒体その他の媒体にバーコード等の識別コード情報を印刷表示するとともに、上記商品等又は上記梱包箱等にＩＣタグを取り付けて行うことがある。具体的には、例えば、上記商品等の発注書にはバーコード等を印刷表示するとともに、該バーコード等で特定された商品等の個別情報が書き込まれたＩＣタグを梱包箱等に取り付ける。そして、これらバーコード等が印刷表示された発注書とＩＣタグが取り付けられた梱包箱等とを受注者に引き渡し、これらを受け取った受注者は、上記ＩＣタグに書き込まれた個別情報を、上記リーダー（コード情報読取手段）により読み出し、この個別情報を基に受注した商品等を入手又は製造し、上記ＩＣタグが取り付けられた梱包箱等に収納して上記発注書とともに納品する。一方、受注者から特定の商品等の納入を受けた発注者は、先に引き渡した発注書に印刷表示されたバーコード等をスキャニングし、該バーコード等に対応した商品等に関する個別情報と、返却された梱包箱等に取り付けられたＩＣタグに書き込まれた個別情報とが同一であるかを確認する。上記情報処理システムを利用した上記一連の工程により、発注した商品等と納品された商品等とが同一か否かが判断される。なお、上記バーコード等の識別コード情報は、生産者や生産地，生産日時等，価格その他の個別情報との関連において特定・決定され、所定のプリンタによりラベルや発注書等に印刷されて使用される。したがって、上記情報処理システムを利用しながら上述した管理手法を採用する場合には、バーコード等として表示された識別コード情報に対応する個別情報と、ＩＣタグ等に書き込まれた個別情報とは必ず一致していなければならない。
【特許文献１】特開２００１−３１９１９９号公報
【発明の開示】
【発明が解決しようとする課題】
【０００４】
しかしながら、従来では、上述したように、上記バーコード等の識別コード情報は、特定の個別情報との関連において特定・決定され、所定のプリンタを用いて発注書等に印刷する一方、ＩＣタグ等の記憶媒体には、上記プリンタによる印刷とは別個に、所定の書込装置（記録装置）により個別情報を書き込む（記録する）作業が必要となることから、極めて面倒で作業性が悪い。また、上記識別コード情報及び個別情報は、何れも人間が目視により情報の内容を確認することはできず、この確認の際には、所定の識別コード情報用の読取装置及び個別情報用の読取装置を用いて読み取る作業が必要となることから、これら識別コード情報と個別情報との対応関係の確認等をする作業も極めて面倒で作業性が悪い。特に、上述した手法による受発注管理を行う商品等が膨大である場合には、上記作業に要する時間は長時間化することとなる。そして、こうした事態は、各種の商品の物流管理や生産管理などにおける上記受発注管理に限られず、少なくともバーコード等の識別コード情報とＩＣタグ等の記憶媒体に格納された個別情報との両方を用いて管理する分野においては同様の課題を有している。
【０００５】
そこで、本発明は、上述した従来の物流管理や生産管理の受発注管理等において行われているこれまでの作業が有する課題を解決するために提案されたものであって、バーコード等の識別コード情報に対応した商品等の個別情報と、ＩＣタグ等に書き込まれた個別情報とを一致させる作業を極めて簡単且つ迅速に行うことができ、より作業性を向上することができる新規な情報処理システムを提供することを目的とする。
【課題を解決するための手段】
【０００６】
上述した目的を達成するため、第１の発明（請求項１記載の発明）に係る情報処理システムは、第１の送受信手段と、この第１の送受信手段に接続されてなる第１の中央演算処理装置と、を有してなるコンピュータと、上記第１の送受信手段に接続され該第１の送受信手段との間で情報を送受信する第２の送受信手段と、バーコード化若しくは二次元コード化された識別コード情報を読み取るコード情報読取手段と、電波による送受信機能を備えたＩＣチップに情報を書き込む電子情報書込手段と、これら第２の送受信手段，コード情報読取手段，電子情報書込手段にそれぞれ接続されてなる第２の中央演算処理装置と、を有してなる情報処理装置と、備え、上記コンピュータには、各識別コード情報に対応した個別情報が多数格納されてなるとともに上記第１の中央演算処理装置に接続されてなる第１の記憶手段を有してなる一方、上記情報処理装置には、上記第２の中央演算処理装置に接続された第２の記憶手段と、該第２の中央演算処理装置に接続され上記コード情報読取手段の動作を開始させる第１のトリガーと、該第２の中央演算処理装置に接続され上記電子情報書込手段の動作を開始させる第２のトリガーとが設けられ、上記第２の中央演算処理装置は、上記第１のトリガーの操作を条件に、上記コード情報読取手段により特定の識別コード情報を読み取らせると、この特定の識別コード情報を上記第２の記憶手段に格納するとともに、上記第２の送受信手段により上記コンピュータの第１の送受信手段へ該特定の識別コード情報を送信させ、上記第１の中央演算処理装置は、上記第２の送受信手段から送信された上記特定の識別コード情報を第１の送受信手段により受信させると、この受信した特定の識別コード情報に対応する特定の個別情報を、上記第１の記憶手段に格納された多数の個別情報の中から特定して読み出すとともに、上記第１の送受信手段により上記情報処理装置の第２の送受信手段へ該特定の個別情報を送信させ、上記第２の中央演算処理装置は、上記第１の送受信手段から送信された上記特定の個別情報を上記第２の送受信手段により受信させると、この受信した特定の個別情報を上記第２の記憶手段に格納するとともに、上記第２のトリガーの操作を条件に、上記電子情報書込手段により電波による送受信機能を備えたＩＣチップに該特定の個別情報を書き込ませることを特徴とするものである。
【０００７】
上記第１の発明では、作業者（使用者）により、情報処理装置を構成する第１のトリガーが操作されると、第２の中央演算処理装置がコード情報読取手段を動作させて特定の識別コード情報を読み取らせる。この特定の識別コード情報は、バーコードや二次元コード等であり、これらの識別コード情報は、紙媒体や樹脂その他に表示されていれば良く、表示された情報対象物やその素材が特に限定されるものではない。そして、第２の中央演算処理装置が上記コード情報読取手段に特定の識別コード情報を読み取らせると、該第２の中央演算処理装置は、この特定の識別コード情報を第２の記憶手段に格納するとともに、第２の送受信手段にこの特定の識別コード情報をコンピュータへ送信させる。この第２の送受信手段と第１の送受信手段とは接続されていることから、第１の中央演算処理装置が、該第１の送受信手段に特定の識別コード情報を受信させると、第１の中央演算処理装置は、受信した特定の識別コード情報を基に、上記第１の記憶手段に格納された多数の個別情報の中から特定の個別情報を特定する。なお、この第１の発明においては、上記第１の送受信手段と第２の送受信手段とは、無線で接続されているものでも有線で接続されているものであっても良い。そして、このように、上記第１の中央演算処理装置が特定の個別情報を特定（照合）すると、第１の中央演算処理装置は、上記第１の送受信手段にこの個別情報を上記情報処理装置へ送信させる。上記第２の中央演算処理装置が、上記第１の送受信手段により送信された特定の個別情報を上記第２の送受信手段により受信させると、第２の中央演算処理装置は、この受信させた特定の個別情報を上記第２の記憶手段に格納するとともに、上記第２のトリガーの操作を条件に、この受信された特定の個別情報を上記電子情報書込手段により電波による送受信機能を備えたＩＣチップに書き込ませる。
【０００８】
また、第２の発明（請求項２記載の発明）は、上記第１の発明のように、情報処理装置に対して、第１及び第２のトリガーを別個に設け、第１のトリガーによりコード情報読取手段の動作を開始させ、第２のトリガーにより電子情報書込手段の動作を開始させる構成を採用するのではなく、読み書きトリガーという単一のトリガーの操作が、コード情報読取手段の動作させる条件とするとともに電子情報書込手段を動作させる条件としたものである。
【０００９】
すなわち、この第２の発明は、第１の送受信手段と、この第１の送受信手段に接続されてなる第１の中央演算処理装置と、を有してなるコンピュータと、上記第１の送受信手段に接続され該第１の送受信手段との間で情報を送受信する第２の送受信手段と、バーコード化若しくは二次元コード化された識別コード情報を読み取るコード情報読取手段と、電波による送受信機能を備えたＩＣチップに情報を書き込む電子情報書込手段と、これら第２の送受信手段，コード情報読取手段，電子情報書込手段にそれぞれ接続されてなる第２の中央演算処理装置と、を有してなる情報処理装置と、備え、上記コンピュータには、各識別コード情報に対応した個別情報が多数格納されてなるとともに上記第１の中央演算処理装置に接続されてなる第１の記憶手段を有してなる一方、上記情報処理装置には、上記第２の中央演算処理装置に接続された第２の記憶手段と、該第２の中央演算処理装置に接続され上記コード情報読取手段の動作を開始させるとともに上記電子情報書込手段の動作を開始させる読み書きトリガーとが設けられ、上記第２の中央演算処理装置は、上記読み書きトリガーの操作を条件に、上記コード情報読取手段により特定の識別コード情報を読み取らせると、この特定の識別コード情報を上記第２の記憶手段に格納するとともに、上記第２の送受信手段により上記コンピュータの第１の送受信手段へ該特定の識別コード情報を送信させ、上記第１の中央演算処理装置は、上記第２の送受信手段から送信された上記特定の識別コード情報を第１の送受信手段により受信させると、この受信した特定の識別コード情報に対応する特定の個別情報を、上記第１の記憶手段に格納された多数の個別情報の中から特定して読み出すとともに、上記第１の送受信手段により上記情報処理装置の第２の送受信手段へ該特定の個別情報を送信させ、上記第２の中央演算処理装置は、上記第１の送受信手段から送信された上記特定の個別情報を上記第２の送受信手段により受信させると、この受信した特定の個別情報を上記第２の記憶手段に格納するとともに、上記電子情報書込手段により電波による送受信機能を備えたＩＣチップに該特定の個別情報を書き込むことを特徴とするものである。
【００１０】
上記第２の発明では、作業者（使用者）により、情報処理装置を構成する読み書きトリガーが操作されると、第２の中央演算処理装置がコード情報読取手段を動作させて特定の識別コード情報を読み取らせる。第２の中央演算処理装置が上記コード情報読取手段に特定の識別コード情報を読み取らせると、該第２の中央演算処理装置は、この特定の識別コード情報を第２の記憶手段に格納するとともに、第２の送受信手段にこの特定の識別コード情報をコンピュータへ送信させる。この第２の送受信手段と第１の送受信手段とは接続されていることから、第１の中央演算処理装置が、該第１の送受信手段に特定の識別コード情報を受信させると、第１の中央演算処理装置は、受信した特定の識別コード情報を基に、上記第１の記憶手段に格納された多数の個別情報の中から特定の個別情報を特定する。そして、このように、上記第１の中央演算処理装置が特定の個別情報を特定（照合）すると、第１の中央演算処理装置は、上記第１の送受信手段にこの個別情報を上記情報処理装置へ送信させる。上記第２の中央演算処理装置が、上記第１の送受信手段により送信された特定の個別情報を上記第２の送受信手段により受信させると、第２の中央演算処理装置は、この受信させた特定の個別情報を上記第２の記憶手段に格納するとともに、この受信された特定の個別情報を上記電子情報書込手段により電波による送受信機能を備えたＩＣチップに書き込ませる。なお、説明するまでもなく、上記電子情報書込手段の動作の開始は、少なくとも、作業者による上記読み書きトリガーの操作と、第１の記憶手段に格納された特定の個別情報が特定の識別コード情報とが正しい対応関係にあることの二つの条件によるものであり、コード情報読取手段の動作を開始させると同時に行われるものではない。
【００１１】
また、第３の発明（請求項３記載の発明）は、上記第１又は第２の発明のように、コンピュータと情報処理装置とを備える情報処理システムとして、情報処理装置がコード情報読取手段により読み取らせた識別コード情報をコンピュータに送信し、この識別コード情報に対応する特定の個別情報をコンピュータが情報処理装置に送信し、情報処理装置が電子情報書込手段によりこの特定の個別情報をＩＣチップに書き込ませるという構成を採用するのではなく、情報処理装置が識別コード情報に対応する個別情報を格納した記憶手段を備えるものとしたものである。
【００１２】
すなわち、この第３の発明は、バーコード化若しくは二次元コード化された識別コード情報を読み取るコード情報読取手段と、電波による送受信機能を備えたＩＣチップに情報を書き込む電子情報書込手段と、上記コード情報読取手段により読み取られた識別コード情報に対応した個別情報が多数格納されてなる記憶手段と、上記コード情報読取手段，電子情報書込手段及び記憶手段にそれぞれ接続されてなる中央演算処理装置と、を有してなる情報処理装置を備え、この情報処理装置には、上記中央演算処理装置に接続され上記コード情報読取手段の動作を開始させる第１のトリガーと、該中央演算処理装置に接続され上記電子情報書込手段の動作を開始させる第２のトリガーとが設けられ、上記中央演算処理装置は、上記第１のトリガーの操作を条件に、上記コード情報読取手段により特定の識別コード情報を読み取らせると、この特定の識別コード情報を上記記憶手段に格納し、該特定の識別コード情報に対応する特定の個別情報を、上記記憶手段に格納された多数の個別情報の中から特定して読み出すとともに、上記第２のトリガーの操作を条件に、上記電子情報書込手段により電波による送受信機能を備えたＩＣチップに該特定の個別情報を書き込むことを特徴とするものである。
【００１３】
上記第３の発明では、作業者（使用者）により、情報処理装置を構成する第１のトリガーが操作されると、中央演算処理装置がコード情報読取手段を動作させて特定の識別コード情報を読み取らせる。中央演算処理装置が上記コード情報読取手段に特定の識別コード情報を読み取らせると、該中央演算処理装置は、この特定の識別コード情報を記憶手段に格納するとともに、この特定の識別コード情報を基に、上記記憶手段に格納された多数の個別情報の中から特定の個別情報を特定する。そして、中央演算処理装置は、この特定の個別情報を上記記憶手段に格納するとともに、上記第２のトリガーの操作を条件に、この特定の個別情報を上記電子情報書込手段により電波による送受信機能を備えたＩＣチップに書き込ませる。
【００１４】
また、第４の発明（請求項４記載の発明）は、上記第３の発明のように、情報処理装置に対して、第１及び第２のトリガーを別個に設け、第１のトリガーによりコード情報読取手段の動作を開始させ、第２のトリガーにより電子情報書込手段の動作を開始させる構成を採用するのではなく、読み書きトリガーという単一のトリガーの操作が、コード情報読取手段の動作させる条件とするとともに電子情報書込手段を動作させる条件としたものである。
【００１５】
すなわち、この第４の発明は、バーコード化若しくは二次元コード化された識別コード情報を読み取るコード情報読取手段と、電波による送受信機能を備えたＩＣチップに情報を書き込む電子情報書込手段と、上記コード情報読取手段により読み取れた識別コード情報に対応した個別情報が多数格納されてなる記憶手段と、上記コード情報読取手段，電子情報書込手段及び記憶手段にそれぞれ接続されてなる中央演算処理装置と、を有してなる情報処理装置を備え、この情報処理装置には、上記中央演算処理装置に接続され上記コード情報読取手段の動作を開始させるとともに上記電子情報書込手段の動作を開始させる読み書きトリガーが設けられ、上記中央演算処理装置は、上記読み書きトリガーの操作を条件に、上記コード情報読取手段により特定の識別コード情報を読み取らせると、この特定の識別コード情報を上記記憶手段に格納し、該特定の識別コード情報に対応する特定の個別情報を、上記記憶手段に格納された多数の個別情報の中から特定して読み出すとともに、上記電子情報書込手段により電波による送受信機能を備えたＩＣチップに該特定の個別情報を書き込むことを特徴とするものである。
【００１６】
上記第４の発明では、作業者（使用者）により、情報処理装置を構成する読み書きトリガーが操作されると、中央演算処理装置がコード情報読取手段を動作させて特定の識別コード情報を読み取らせる。中央演算処理装置が上記コード情報読取手段に特定の識別コード情報を読み取らせると、該中央演算処理装置は、この特定の識別コード情報を記憶手段に格納するとともに、この特定の識別コード情報を基に、上記記憶手段に格納された多数の個別情報の中から特定の個別情報を特定する。そして、中央演算処理装置は、この特定の個別情報を上記記憶手段に格納するとともに、この特定の個別情報を上記電子情報書込手段により電波による送受信機能を備えたＩＣチップに書き込ませる。
【００１７】
また、第５の発明（請求項５記載の発明）は、上記第１ないし第４の発明のような情報処理システム、すなわち、情報処理装置等が読み取らせた特定の識別コード情報に対応する特定の個別情報をＩＣチップに書き込ませる情報処理システムではなく、読み取らせた特定の識別コード情報と特定の個別情報とを照合し、この照合の結果に基づいて情報処理装置が認知手段を駆動させる情報処理システムとしたものである。
【００１８】
すなわち、この第５の発明は、第１の送受信手段と、この第１の送受信手段に接続されてなる第１の中央演算処理装置と、を有してなるコンピュータと、上記第１の送受信手段に接続され該第１の送受信手段との間で情報を送受信する第２の送受信手段と、バーコード化若しくは二次元コード化された識別コード情報を読み取るコード情報読取手段と、電波による送受信機能を備えたＩＣチップに書き込まれた個別情報を読み取る電子情報読取手段と、振動装置，発音装置又は表示装置その他使用者への認知手段と、これら第２の送受信手段，コード情報読取手段，電子情報読取手段並びに認知手段にそれぞれ接続されてなる第２の中央演算処理装置と、を有してなる情報処理装置と、備え、上記コンピュータには、各識別コード情報に対応した個別情報が多数格納されてなるとともに上記第１の中央演算処理装置に接続されてなる第１の記憶手段を有してなる一方、上記情報処理装置には、上記第２の中央演算処理装置に接続された第２の記憶手段と、該第２の中央演算処理装置に接続され上記コード情報読取手段の動作を開始させる第１のトリガーと、該第２の中央演算処理装置に接続され上記電子情報読取手段の動作を開始させる第２のトリガーとが設けられ、上記第２の中央演算処理装置は、上記第１のトリガーの操作を条件に、上記コード情報読取手段により特定の識別コード情報を読み取らせると、この特定の識別コード情報を上記第２の記憶手段に格納するとともに、上記第２の送受信手段により上記コンピュータの第１の送受信手段へ該特定の識別コード情報を送信させ、上記第１の中央演算処理装置は、上記第２の送受信手段から送信された上記特定の識別コード情報を第１の送受信手段により受信させると、この受信した特定の識別コード情報に対応する特定の個別情報を、上記第１の記憶手段に格納された多数の個別情報の中から特定して読み出すとともに、この特定の個別情報を一方の個別情報として上記第１の記憶手段に格納し、上記第２の中央演算処理装置は、上記第２のトリガーの操作を条件に、上記電子情報読取手段により電波による送受信機能を備えたＩＣチップから特定の個別情報を読み取らせると、この特定の個別情報を他方の個別情報として上記第２の記憶手段に格納するとともに、上記第２の送受信手段により上記コンピュータの第１の送受信手段へ該他方の個別情報を送信させ、上記第１の中央演算処理装置は、上記第２の送受信手段から送信された上記他方の個別情報を第１の送受信手段により受信させると、上記一方の個別情報と他方の個別情報とを照合するとともに、第１の送受信手段により上記情報処理装置の第２の送受信装置へ該照合結果情報を送信させ、上記第２の中央演算処理装置は、上記第１の送受信手段から送信された上記照合結果情報を上記第２の送受信手段により受信させると、この受信した照合結果情報に基づき、上記認知手段を駆動させることを特徴とするものである。
【００１９】
上記第５の発明では、作業者（使用者）により、情報処理装置を構成する第１のトリガーが操作されると、第２の中央演算処理装置がコード情報読取手段を動作させて特定の識別コード情報を読み取らせる。そして、第２の中央演算処理装置が上記コード情報読取手段に特定の識別コード情報を読み取らせると、該第２の中央演算処理装置は、この特定の識別コード情報を第２の記憶手段に格納するとともに、第２の送受信手段にこの特定の識別コード情報をコンピュータへ送信させる。この第２の送受信手段と第１の送受信手段とは接続されていることから、第１の中央演算処理装置が、該第１の送受信手段に特定の識別コード情報を受信させると、第１の中央演算処理装置は、受信した特定の識別コード情報を基に、上記第１の記憶手段に格納された多数の個別情報の中から特定の個別情報を特定する。そして、このように、上記第１の中央演算処理装置が特定の個別情報を特定（照合）すると、第１の中央演算処理装置は、この特定の個別情報を一方の個別情報として第１の記憶手段に格納する。また、作業者により、情報処理装置を構成する第２のトリガーが操作されると、第２の中央演算処理装置が電子情報読取手段を動作させて特定の個別情報を読み取らせる。そして、第２の中央演算処理装置は、この特定の個別情報を他方の個別情報として第２の記憶手段に格納するとともに、第２の送受信手段にこの他方の個別情報をコンピュータに送信させる。第１の中央演算処理装置が、第２の送受信手段に他方の個別情報を受信させると、第１の中央演算処理装置は、上記一方の個別情報と受信した他方の個別情報とを照合する。このように、上記第１の中央演算処理装置が一方の個別情報と他方の個別情報とを照合すると、第１の中央演算処理装置は、この照合をした結果である照合結果情報を第１の送受信手段に情報処理装置へ送信させる。そして、第２の中央演算処理装置は、受信した照合結果情報を基に、認知手段を駆動させる。
【００２０】
また、第６の発明（請求項６記載の発明）は、上記第５の発明のように、情報処理装置に対して、第１及び第２のトリガーを別個に設け、第１のトリガーによりコード情報読取手段の動作を開始させ、第２のトリガーにより電子情報読取手段の動作を開始させる構成を採用するのではなく、共通読取トリガーという単一のトリガーの操作が、コード情報読取手段の動作させる条件とするとともに電子情報読取手段を動作させる条件としたものである。
【００２１】
すなわち、この第６の発明は、第１の送受信手段と、この第１の送受信手段に接続されてなる第１の中央演算処理装置と、を有してなるコンピュータと、上記第１の送受信手段に接続され該第１の送受信手段との間で情報を送受信する第２の送受信手段と、バーコード化若しくは二次元コード化された識別コード情報を読み取るコード情報読取手段と、電波による送受信機能を備えたＩＣチップに書き込まれた個別情報を読み取る電子情報読取手段と、振動装置，発音装置又は表示装置その他使用者への認知手段と、これら第２の送受信手段，コード情報読取手段，電子情報読取手段並びに認知手段にそれぞれ接続されてなる第２の中央演算処理装置と、を有してなる情報処理装置と、を備え、上記コンピュータには、各識別コード情報に対応した個別情報が多数格納されてなるとともに上記第１の中央演算処理装置に接続されてなる第１の記憶手段を有してなる一方、上記情報処理装置には、上記第２の中央演算処理装置に接続された第２の記憶手段と、該第２の中央演算処理装置に接続され上記コード情報読取手段の動作を開始させるとともに上記電子情報読取手段の動作を開始させる共通読取トリガーとが設けられ、上記第２の中央演算処理装置は、共通読取トリガーの操作を条件に、上記コード情報読取手段により特定の識別コード情報を読み取らせると、この特定の識別コード情報を上記第２の記憶手段に格納するとともに、上記第２の送受信手段により上記コンピュータの第１の送受信手段へ該特定の識別コード情報を送信させ、上記第１の中央演算処理装置は、上記第２の送受信手段から送信された上記特定の識別コード情報を第１の送受信手段により受信させると、この受信した特定の識別コード情報に対応する特定の個別情報を、上記第１の記憶手段に格納された多数の個別情報の中から特定して読み出すとともに、この特定の個別情報を一方の個別情報として上記第１の記憶手段に格納し、上記第２の中央演算処理装置は、上記電子情報読取手段により電波による送受信機能を備えたＩＣチップから特定の個別情報を読み取らせると、この特定の個別情報を他方の個別情報として上記第２の記憶手段に格納するとともに、上記第２の送受信手段により上記コンピュータの第１の送受信手段へ該他方の個別情報を送信させ、上記第１の中央演算処理装置は、上記第２の送受信手段から送信された上記他方の個別情報を第１の送受信手段により受信させると、上記一方の個別情報と他方の個別情報とを照合するとともに、第１の送受信手段により上記情報処理装置の第２の送受信装置へ該照合結果情報を送信させ、上記第２の中央演算処理装置は、上記第１の送受信手段から送信された上記照合結果情報を上記第２の送受信手段により受信させると、この受信した照合結果情報に基づき、上記認知手段を駆動させることを特徴とするものである。
【００２２】
上記第６の発明では、作業者（使用者）により、情報処理装置を構成する共通読取トリガーが操作されると、第２の中央演算処理装置がコード情報読取手段を動作させて特定の識別コード情報を読み取らせる。そして、第２の中央演算処理装置が上記コード情報読取手段に特定の識別コード情報を読み取らせると、該第２の中央演算処理装置は、この特定の識別コード情報を第２の記憶手段に格納するとともに、第２の送受信手段にこの特定の識別コード情報をコンピュータへ送信させる。この第２の送受信手段と第１の送受信手段とは接続されていることから、第１の中央演算処理装置が、該第１の送受信手段に特定の識別コード情報を受信させると、第１の中央演算処理装置は、受信した特定の識別コード情報を基に、上記第１の記憶手段に格納された多数の個別情報の中から特定の個別情報を特定する。そして、このように、上記第１の中央演算処理装置が特定の個別情報を特定（照合）すると、第１の中央演算処理装置は、この特定の個別情報を一方の個別情報として第１の記憶手段に格納する。この一方の個別情報が第１の記憶手段に格納されると、第２の中央演算処理装置は、電子情報読取手段を動作させて特定の個別情報を読み取らせ、この特定の個別情報を他方の個別情報として第２の記憶手段に格納するとともに、第２の送受信手段にこの他方の個別情報をコンピュータに送信させる。第１の中央演算処理装置が、第２の送受信手段に他方の個別情報を受信させると、第１の中央演算処理装置は、上記一方の個別情報と受信した他方の個別情報とを照合する。このように、上記第１の中央演算処理装置が一方の個別情報と他方の個別情報とを照合すると、第１の中央演算処理装置は、この照合をした結果である照合結果情報を第１の送受信手段に情報処理装置へ送信させる。そして、第２の中央演算処理装置は、受信した照合結果情報を基に、認知手段を駆動させる。
【００２３】
また、第７の発明（請求項７記載の発明）は、上記第５又は第６の発明のように、コンピュータと情報処理装置とを備える情報処理システムとして、情報処理装置がコード情報読取手段により読み取らせた識別コード情報と電子情報読取手段により読み取らせた特定の個別情報である他方の個別情報をコンピュータに送信し、この識別コード情報に対応する特定の個別情報を一方の個別情報とし、コンピュータがこれら一方の個別情報と他方の個別情報とを照合し、コンピュータがこの照合した結果の情報である照合結果情報を情報処理装置に送信し、情報処理装置がこの照合結果情報に基づいて認知手段を駆動させるのではなく、情報処理装置が識別コード情報に対応する個別情報を格納した記憶手段を備えるものとしたものである。
【００２４】
すなわち、この第７の発明は、バーコード化若しくは二次元コード化された識別コード情報を読み取るコード情報読取手段と、電波による送受信機能を備えたＩＣチップに書き込まれた個別情報を読み取る電子情報読取手段と、上記コード情報読取手段により読み取らせた識別コード情報に対応した個別情報が多数格納されてなる記憶手段と、振動装置，発音装置又は表示装置その他使用者への認知手段と、上記コード情報読取手段，電子情報書込手段及び記憶手段並びに認知手段にそれぞれ接続されてなる中央演算処理装置と、を有してなる情報処理装置を備え、この情報処理装置には、上記中央演算処理装置に接続され上記コード情報読取手段の動作を開始させる第１のトリガーと、該中央演算処理装置に接続され上記電子情報読取手段の動作を開始させる第２のトリガーとが設けられ、上記中央演算処理装置は、上記第１のトリガーの操作を条件に、上記コード情報読取手段により特定の識別コード情報を読み取らせると、この特定の識別コード情報を上記記憶手段に格納し、該特定の識別コード情報に対応する特定の個別情報を、上記記憶手段に格納された多数の個別情報の中から特定して読み出し、この特定の個別情報を一方の個別情報として上記記憶手段に格納するとともに、上記第２のトリガーの操作を条件に、上記電子情報読取手段により電波による送受信機能を備えたＩＣチップに書き込まれた個別情報を読み取らせ、この個別情報を他方の個別情報として上記記憶手段に格納し、上記一方の個別情報と他方の個別情報とを照合するとともに、この照合結果情報に基づき、上記認知手段を駆動させることを特徴とするものである。
【００２５】
上記第７の発明では、作業者（使用者）により、情報処理装置を構成する第１のトリガーが操作されると、中央演算処理装置がコード情報読取手段を動作させて特定の識別コード情報を読み取らせる。そして、中央演算処理装置が上記コード情報読取手段に特定の識別コード情報を読み取らせると、該中央演算処理装置は、この特定の識別コード情報を記憶手段に格納するとともに、この特定の識別コード情報を基に、上記記憶手段に格納された多数の個別情報の中から特定の個別情報を特定する。そして、中央演算処理装置は、この特定の個別情報を一方の個別情報として記憶手段に格納するとともに、上記第２のトリガーの操作を条件に、電波情報読取手段を動作させて特定の個別情報を読み取らせる。そして、中央演算処理装置が上記電波情報読取手段に特定の個別情報を読み取らせると、該中央演算処理装置は、この特定の個別情報を他方の個別情報として記憶手段に格納するとともに、上記一方の個別情報と他方の個別情報とを照合する。そして、中央演算処理装置は、この照合結果の情報である照合結果情報に基に、認知手段を駆動させる。
【００２６】
また、第８の発明（請求項８記載の発明）は、上記第７の発明のように、情報処理装置に対して、第１及び第２のトリガーを別個に設け、第１のトリガーによりコード情報読取手段の動作を開始させ、第２のトリガーにより電子情報読取手段の動作を開始させる構成を採用するのではなく、共通読取トリガーという単一のトリガーの操作が、コード情報読取手段の動作させる条件とするとともに電子情報読取手段を動作させる条件としたものである。
【００２７】
すなわち、この第８の発明は、バーコード化若しくは二次元コード化された識別コード情報を読み取るコード情報読取手段と、電波による送受信機能を備えたＩＣチップに書き込まれた個別情報を読み取る電子情報読取手段と、上記コード情報読取手段により読み取らせた識別コード情報に対応した個別情報が多数格納されてなる記憶手段と、振動装置，発音装置又は表示装置その他使用者への認知手段と、上記コード情報読取手段，電子情報書込手段及び記憶手段並びに認知手段にそれぞれ接続されてなる中央演算処理装置と、を有してなる情報処理装置を備え、この情報処理装置には、上記中央演算処理装置に接続され上記コード情報読取手段の動作を開始させるとともに上記電子情報読取手段の動作を開始させる共通読取トリガーとが設けられ、上記中央演算処理装置は、上記共通読取トリガーの操作を条件に、上記コード情報読取手段により特定の識別コード情報を読み取らせると、この特定の識別コード情報を上記記憶手段に格納し、該特定の識別コード情報に対応する特定の個別情報を、上記記憶手段に格納された多数の個別情報の中から特定して読み出し、この特定の個別情報を一方の個別情報として上記記憶手段に格納するとともに、上記電子情報読取手段により電波による送受信機能を備えたＩＣチップに書き込まれた個別情報を読み取らせ、この個別情報を他方の個別情報として上記記憶手段に格納し、上記一方の個別情報と他方の個別情報とを照合するとともに、この照合結果情報に基づき、上記認知手段を駆動させることを特徴とするものである。
【００２８】
上記第８の発明では、作業者（使用者）により、情報処理装置を構成する共通読取トリガーが操作されると、中央演算処理装置がコード情報読取手段を動作させて特定の識別コード情報を読み取らせる。そして、中央演算処理装置が上記コード情報読取手段に特定の識別コード情報を読み取らせると、該中央演算処理装置は、この特定の識別コード情報を記憶手段に格納するとともに、この特定の識別コード情報を基に、上記記憶手段に格納された多数の個別情報の中から特定の個別情報を特定する。そして、中央演算処理装置は、この特定の個別情報を一方の個別情報として記憶手段に格納するとともに、電波情報読取手段を動作させて特定の個別情報を読み取らせる。そして、中央演算処理装置が上記電波情報読取手段に特定の個別情報を読み取らせると、該中央演算処理装置は、この特定の個別情報を他方の個別情報として記憶手段に格納するとともに、上記一方の個別情報と他方の個別情報とを照合する。そして、中央演算処理装置は、この照合結果の情報である照合結果情報に基に、認知手段を駆動させる。
【００２９】
また、第９の発明（請求項９記載の発明）は、上記第１ないし第４の発明のような情報処理システム、すなわち、情報処理装置等が読み取らせた特定の識別コード情報に対応する特定の個別情報をＩＣチップに書き込ませる情報処理システムと、上記第５ないし第８の発明のような情報処理システム、すなわち、読み取らせた特定の識別コード情報と特定の個別情報とを照合し、この照合の結果に基づいて情報処理装置が認知手段を駆動させる情報処理システムとを兼ね備えたものである。
【００３０】
すなわち、この第９の発明は、第１の送受信手段と、この第１の送受信手段に接続されてなる第１の中央演算処理装置と、を有してなるコンピュータと、上記第１の送受信手段に接続され該第１の送受信手段との間で情報を送受信する第２の送受信手段と、バーコード化若しくは二次元コード化された識別コード情報を読み取るコード情報読取手段と、電波による送受信機能を備えたＩＣチップに情報を書き込む電子情報書込手段と、上記ＩＣチップに書き込まれた個別情報を読み取る電子情報読取手段と、振動装置，発音装置又は表示装置その他使用者への認知手段と、第１の処理モード又は第２の処理モードの何れかに処理モードを切換える処理モード選択手段と、これら第２の送受信手段，コード情報読取手段，電子情報書込手段，電子情報読取手段，認知手段，処理モード選択手段にそれぞれ接続されてなる第２の中央演算処理装置と、を有してなる情報処理装置と、備え、上記コンピュータには、各識別コード情報に対応した個別情報が多数格納されてなるとともに上記第１の中央演算処理装置に接続されてなる第１の記憶手段を有してなる一方、上記情報処理装置には、上記第２の中央演算処理装置に接続された第２の記憶手段と、該第２の中央演算処理装置に接続され上記コード情報読取手段の動作を開始させるとともに上記電子情報書込手段の動作を開始させるか、又は、該第２の中央演算処理装置に接続され上記コード情報読取手段の動作を開始させるとともに上記電子情報読取手段の動作を開始させる共通トリガーとが設けられ、上記処理モード選択手段により第１の処理モードが選択された場合には、上記第２の中央演算処理装置は、共通トリガーの操作を条件に、上記コード情報読取手段により特定の識別コード情報を読み取らせると、この特定の識別コード情報を上記第２の記憶手段に格納するとともに、上記第２の送受信手段により上記コンピュータの第１の送受信手段へ該特定の識別コード情報を送信させ、上記第１の中央演算処理装置は、上記第２の送受信手段から送信された上記特定の識別コード情報を第１の送受信手段により受信させると、この受信した特定の識別コード情報に対応する特定の個別情報を、上記第１の記憶手段に格納された多数の個別情報の中から特定して読み出すとともに、上記第１の送受信手段により上記情報処理装置の第２の送受信手段へ該特定の個別情報を送信させ、上記第２の中央演算処理装置は、上記第１の送受信手段から送信された上記特定の個別情報を上記第２の送受信手段により受信させると、この受信した特定の個別情報を上記第２の記憶手段に格納するとともに、上記電子情報書込手段により電波による送受信機能を備えたＩＣチップに該特定の個別情報を書き込み、上記処理モード選択手段により第２の処理モードが選択された場合には、上記第２の中央演算処理装置は、共通トリガーの操作を条件に、上記コード情報読取手段により特定の識別コード情報を読み取らせると、この特定の識別コード情報を上記第２の記憶手段に格納するとともに、上記第２の送受信手段により上記コンピュータの第１の送受信手段へ該特定の識別コード情報を送信させ、上記第１の中央演算処理装置は、上記第２の送受信手段から送信された上記特定の識別コード情報を第１の送受信手段により受信させると、この受信した特定の識別コード情報に対応する特定の個別情報を、上記第１の記憶手段に格納された多数の個別情報の中から特定して読み出すとともに、この特定の個別情報を一方の個別情報として上記第１の記憶手段に格納し、上記第２の中央演算処理装置は、上記電子情報読取手段により電波による送受信機能を備えたＩＣチップから特定の個別情報を読み取らせると、この特定の個別情報を他方の個別情報として上記第２の記憶手段に格納するとともに、上記第２の送受信手段により上記コンピュータの第１の送受信手段へ該他方の個別情報を送信させ、上記第１の中央演算処理装置は、上記第２の送受信手段から送信された上記他方の個別情報を第１の送受信手段により受信させると、上記一方の個別情報と他方の個別情報とを照合するとともに、第１の送受信手段により上記情報処理装置の第２の送受信装置へ該照合結果情報を送信させ、上記第２の中央演算処理装置は、上記第１の送受信手段から送信された上記照合結果情報を上記第２の送受信手段により受信させると、この受信した照合結果情報に基づき、上記認知手段を駆動させることを特徴とするものである。
【００３１】
上記第９の発明では、作業者（使用者）により、情報処理装置を構成する処理モード選択手段が第１の処理モードが選択された場合には、この情報処理システムは上記第２の発明の情報処理システムと同様な動作をする。また、情報処理装置を構成する処理モード選択手段が第２の処理モードが選択された場合には、この情報処理システムは上記第６の発明の情報処理システムと同様な動作をする。
【００３２】
また、第１０の発明（請求項１０記載の発明）は、上記第９の発明のように、コンピュータと情報処理装置とを備える情報処理システムとするのではなく、情報処理装置が識別コード情報に対応する個別情報を格納した記憶手段を備えるものとしたものである。
【００３３】
すなわち、この第１０の発明は、バーコード化若しくは二次元コード化された識別コード情報を読み取るコード情報読取手段と、電波による送受信機能を備えたＩＣチップに情報を書き込む電子情報書込手段と、上記ＩＣチップに書き込まれた個別情報を読み取る電子情報読取手段と、振動装置，発音装置又は表示装置その他使用者への認知手段と、第１の処理モード又は第２の処理モードの何れかに処理モードを切換える処理モード選択手段と、これら第２の送受信手段，コード情報読取手段，電子情報書込手段，電子情報読取手段，認知手段，処理モード選択手段にそれぞれ接続されてなる中央演算処理装置と、を有してなる情報処理装置と、備え、上記情報処理装置には、上記中央演算処理装置に接続された記憶手段と、該中央演算処理装置に接続され上記コード情報読取手段の動作を開始させるとともに上記電子情報書込手段の動作を開始させるか、又は、該中央演算処理装置に接続され上記コード情報読取手段の動作を開始させるとともに上記電子情報読取手段の動作を開始させる共通トリガーとが設けられ、上記処理モード選択手段により第１の処理モードが選択された場合には、上記中央演算処理装置は、上記共通トリガーの操作を条件に、上記コード情報読取手段により特定の識別コード情報を読み取らせると、この特定の識別コード情報を上記記憶手段に格納し、該特定の識別コード情報に対応する特定の個別情報を、上記記憶手段に格納された多数の個別情報の中から特定して読み出すとともに、上記電子情報書込手段により電波による送受信機能を備えたＩＣチップに該特定の個別情報を書き込み、上記処理モード選択手段により第２の処理モードが選択された場合には、上記中央演算処理装置は、上記共通トリガーの操作を条件に、上記コード情報読取手段により特定の識別コード情報を読み取らせると、この特定の識別コード情報を上記記憶手段に格納し、該特定の識別コード情報に対応する特定の個別情報を、上記記憶手段に格納された多数の個別情報の中から特定して読み出し、この特定の個別情報を一方の個別情報として上記記憶手段に格納するとともに、上記電子情報読取手段により電波による送受信機能を備えたＩＣチップに書き込まれた個別情報を読み取らせ、この個別情報を他方の個別情報として上記記憶手段に格納し、上記一方の個別情報と他方の個別情報とを照合するとともに、この照合結果情報に基づき、上記認知手段を駆動させることを特徴とするものである。
【００３４】
上記第１０の発明では、作業者（使用者）により、情報処理装置を構成する処理モード選択手段が第１の処理モードが選択された場合には、この情報処理システムは上記第４の発明の情報処理システムと同様な動作をする。また、情報処理装置を構成する処理モード選択手段が第２の処理モードが選択された場合には、この情報処理システムは上記第８の発明の情報処理システムと同様な動作をする。
【００３５】
なお、これら第１ないし第１０の発明に係る情報処理システムは、バーコード等の識別コード情報が印刷表示されている情報対象物と、ＩＣタグ等の電波による送受信機能を備えたＩＣチップとが取り付けられている情報対象物とが同じものであっても異なるものであっても使用することができる。それぞれの情報対象物が同じ例としては、例えば、商品等のパッケージの外側に貼付されたラベルに上記識別コード情報が印刷表示され、そのパッケージの内側又はラベルの裏側若しくはラベルの左右両側又は上下側に上記ＩＣタグ等が配置され又は固定された場合を挙げることができる。一方、それぞれの情報対象物が異なる例としては、上記バーコード等の識別コード情報が、商品等の発注伝票と納品伝票との両方を兼ね備えた受発注伝票に印刷表示される一方、上記ＩＣタグ等は、発注され納品される商品等が収容される梱包箱等に取り付けられた場合を挙げることができる。
【００３６】
そして、上記第１ないし第４の発明に係る情報処理システムを使用すれば、情報処理装置に設けられた第１のトリガーの操作と第２のトリガーの操作により、又は読み書きトリガーの操作により、例えば、商品等のパッケージの外側に貼付されたラベルや受発注伝票に印刷表示された識別コード情報に対応した特定の個別情報と同じ情報を、そのパッケージの内側等に取り付けられ、又は包装箱等に取り付けられたＩＣタグ等に対して迅速に書き込むことができる。また、上記第５ないし第８の発明に係る情報処理システムを使用すれば、情報処理装置に設けられた第１のトリガーの操作と第２のトリガーの操作により、又は共通読取トリガーの操作により、例えば、商品等のパッケージの外側に貼付されたラベルや受発注伝票に印刷表示された識別コード情報に対応した特定の個別情報と、そのパッケージの内側等に取り付けられ、又は包装箱等に取り付けられたＩＣタグ等に書き込まれた個別情報とを迅速に照合し、この照合の結果を認知手段の駆動により容易に認知することができる。また、上記第９及び第１０の発明に係る情報処理システムを使用すれば、上記第１ないし第４の発明に係る情報処理システムと同様に、識別コード情報に対応した特定の個別情報を迅速に書き込むことができるとともに、上記第５ないし第８の発明に係る情報処理システムと同様に、識別コード情報と特定の個別情報との照合の結果を容易に認知することができる。
【００３７】
なお、上記第１、第３、第５及び第７の発明を構成する第１のトリガーや第２のトリガー、第２及び第４の発明を構成する読み書きトリガー、第６及び第８の発明を構成する共通読取トリガー及び第９及び第１０の発明を構成する共通トリガーは、スイッチや操作ボタン等その名称如何を問わず、作業者により操作されることにより、コード情報読取手段、電子情報書込手段及び電子情報読取手段の作動が開始される条件となる機能を有してなるものであれば良い。また、上記第１ないし第１０の発明を構成する情報処理装置は、作業者の手の指に装着可能なものである必要はなく、従来のハンディスキャナのように、手で把持するタイプのものであっても良い。
【００３８】
また、第１１の発明（請求項１１記載の発明）は、上記第１ないし第１０の発明において、前記情報処理装置は、前記コード情報読取手段、電子情報書込手段及び／又は前記電子情報読取手段、前記第２の記憶手段又は前記記憶手段、前記認知手段、前記第２の中央演算処理装置又は前記中央演算処理手段をそれぞれ内蔵するハウジングと、このハウジングに配置されてなる前記第１及び第２のトリガー，読み書きトリガー，共通読取トリガー又は共通トリガーと、上記ハウジングに固定されてなるとともに使用者の手指の甲に装着する装着用ベルトと、を備え、上記コード情報読取手段は、前記識別コード情報を読み取る受光部を有し、上記電子情報読書込手段及び／又は電子情報読取手段は、前記ＩＣチップに電波を送信し又は該ＩＣチップからの電波を受信するアンテナを有してなるとともに、上記受光部及びアンテナは、上記ハウジングの下面を除く何れかの面であって互いに同一の面又はその近傍に配置されてなることを特徴とするものである。
【００３９】
この第１１の発明に係る情報処理装置には、使用者の手指に装着される装着用ベルトがハウジングに配置されていることから、使用者は該情報処理装置を手指の甲に配置した状態で装着し使用することができ、さらに、上記装着用ベルトは、使用者の手指の第２関節（指の先から２番目の関節）と第３関節（指の先から３番目の関節）との間に装着可能とされてなるから、第１関節及び第２関節を自由に曲げたり伸ばしたりすることができる。したがって、上記第１ないし第１０の発明に係る情報処理システムの操作に際して、掌による情報処理装置の把持と開放との繰り返し動作が不要であるとともに、両手が自由に使えることから、使用者が手作業をする際に該手作業の支障とならず、作業性の向上を図ることができる。また、装着ベルトを装着した使用者の手の親指によりトリガーを操作できるとともに、情報処理装置を装着した手で他の作業をしながら読み取り操作や書き込み操作をすることができることから、さらなる作業性の向上を図ることができる。
【発明の効果】
【００４０】
上記第１ないし第４の発明に係る情報処理システムでは、単一の情報処理装置により、バーコード等の識別コード情報に対応した商品等の個別情報を読み取り、且つ、該個別情報をＩＣタグ等に書き込むことができる。すなわち、この情報処理システムでは、単一の情報処理装置の操作のみにより、バーコード等として書き込まれた識別コード情報と、ＩＣタグに書き込まれた個別情報とを極めて簡単且つ迅速に一致させることができ、より作業性を向上することができる。
【００４１】
特に、第２及び第４の発明に係る情報処理システムによれば、第１及び第３の発明のように、第１のトリガーの操作による識別コード情報の読取作業と、第２のトリガーの操作によるＩＣタグ等への情報書込作業とを別個に行う必要はなく、単一のトリガーである読み書きトリガーの操作のみにより、バーコード等の識別コード情報の読取作業と、ＩＣタグ等への情報の書込作業とが自動的に連続して行われることから、バーコード等に書き込まれた識別コード情報と、ＩＣタグに書き込まれた個別情報とを一致させる作業をより一層簡単且つ迅速に行うことが可能となる。また、第３及び第４の発明に係る情報処理システムによれば、第１及び第２の発明のように、情報処理装置とは別に特定の個別情報を格納したコンピュータを用いる必要は無く、記憶手段に特定の個別情報を格納した情報処理装置のみにより、バーコード等に書き込まれた識別コード情報と、ＩＣタグに書き込まれた個別情報とを一致させる情報処理システムの構成をより簡易なものとすることができる。
【００４２】
また、上記第５ないし第８の発明に係る情報処理システムでは、単一の情報処理装置により、商品等のバーコード等の識別コード情報及びＩＣタグに書き込まれた個別情報を読み取り、かつ、これらの個別情報を照合した結果を認知することができる。すなわち、この情報処理システムでは、単一の情報処理装置の操作のみにより、バーコード等として書き込まれた識別コード情報と、ＩＣタグに書き込まれた個別情報とが一致しているかについての照合を極めて簡単且つ迅速に認知することができ、より作業性を向上することができる。
【００４３】
特に、第６及び第８の発明に係る情報処理システムによれば、第５及び第７の発明のように、第１のトリガーの操作による識別コード情報の読取作業と、第２のトリガーの操作によるＩＣタグ等の情報読取作業とを別個に行う必要はなく、単一のトリガーである共通読取トリガーの操作のみにより、バーコード等の識別コード情報の読取作業と、ＩＣタグ等の情報の読取作業とが自動的に連続して行われることから、バーコード等に書き込まれた識別コード情報と、ＩＣタグに書き込まれた個別情報とを照合する作業をより一層簡単且つ迅速に行うことが可能となる。また、第７及び第８の発明に係る情報処理システムによれば、第５及び第６の発明のように、情報処理装置とは別に特定の個別情報を格納したコンピュータを用いる必要は無く、記憶手段に特定の個別情報を格納した情報処理装置のみにより、バーコード等に書き込まれた識別コード情報と、ＩＣタグに書き込まれた個別情報とを照合する情報処理システムの構成をより簡易なものとすることができる。
【００４４】
また、上記第９及び第１０の発明に係る情報処理システムでは、単一の情報処理装置の操作のみにより、上記第１ないし第４の発明と同様に、バーコード等として書き込まれた識別コード情報と、ＩＣタグに書き込まれた個別情報とを極めて簡単且つ迅速に一致させることができ、また、上記第５ないし第８の発明と同様に、バーコード等として書き込まれた識別コード情報と、ＩＣタグに書き込まれた個別情報とが一致しているかについての照合を極めて簡単且つ迅速に認知することができ、より作業性を向上することができる。
【００４５】
特に、第１０の発明に係る情報処理システムによれば、第９の発明のように、情報処理装置とは別に特定の個別情報を格納したコンピュータを用いる必要は無く、記憶手段に特定の個別情報を格納した情報処理装置のみにより、バーコード等に書き込まれた識別コード情報とＩＣタグに書き込まれた個別情報とを一致させるとともに、バーコード等に書き込まれた識別コード情報とＩＣタグに書き込まれた個別情報とを照合する情報処理システムの構成をより簡易なものとすることができる。
【００４６】
また、第１１の発明では、作業者の手の指に装着して作業することができることから、これまで使用されているハンディスキャナのように、作業中において片手が占有されてしまうことがなく、両手を自由に使うことができることから、商品や梱包箱等を積み替えたり移動させたり反転させたりする作業を行いながら、バーコード等として書き込まれた識別コード情報と、ＩＣタグに書き込まれた個別情報とを極めて簡単且つ迅速に一致させることができ、及び／又は、バーコード等として書き込まれた識別コード情報と、ＩＣタグに書き込まれた個別情報とが一致しているかについての照合を極めて簡単且つ迅速に認知することができることから、さらに一層簡単且つ迅速な作業が可能となる。
【発明を実施するための最良の形態】
【００４７】
以下、本発明を実施するための最良の形態に係る情報処理システムについて図面を参照しながら詳細に説明する。以下に説明するこの情報処理システムでの処理の形態では、図５に示す情報処理装置１と、該情報処理装置１と連携して動作するホストコンピュータ１０１とを用いるシステムであって、該情報処理装置１及びホストコンピュータ１０１を用いて現品票９１のＱＲコード９２及びＲＦタグ９３との情報の読み取りや書き込みをする場合を例として説明する。このため、先ず上記情報処理装置１、現品票９１及びホストコンピュータ１０１のそれぞれの構成について説明し、その後に該情報処理装置１，現品票９１及びホストコンピュータ１０１による情報処理システムの動作についてフローチャートを用いて説明する。
【００４８】
本発明の実施の形態に係る情報処理装置１は、図１又は図２に示すような形状となされている。すなわち、この情報処理装置１は、内部に電気回路や電源等を内蔵するプラスチック製のハウジング１１と、該ハウジング１１の下方に固定されている装着ベルト１２とから構成されている。また、上記ハウジング１１の上面２１のやや正面側（図１に示す左端側）には透明板２２が取り付けられており、該透明板２２の直下内には、後述するコード情報読取手段８２を構成するレンズ２３と発光部２４とが内蔵されている。また、上記ハウジング１１の上面２１の略中央であって、上記透明板２２よりもやや背面側には、この情報処理装置１が読み取った情報や書き込む情報を使用者に通知し、或いは、この情報処理装置１の現在の状態等の様々な情報を表示する液晶の表示部２５が配置されている。
【００４９】
また、上記ハウジング１１の上面２１の背面側（上記表示部２５よりもやや背面側）には、４つの押しボタン状のスイッチ２６，２７，２８，２９が左右に並んで配置されており、使用者はこれらのスイッチ２６，２７，２８，２９の押下操作によりこの情報処理装置１の電源の入切や、この情報処理装置１の動作のモードの切り替え等の操作や、使用者の操作に対するこの情報処理装置１の動作等についての設定の変更をすることができる。また、上記ハウジング１１の上面２１から左側に連続する傾斜面３１には、ＬＥＤ（発光ダイオード）３２，３３，３４，３５が配置されており、また同様に、ハウジング１１の上面２１から右側に連続する傾斜面３６には、ＬＥＤ３７，３８，３９，４０が配置されている。これらＬＥＤ３２，３３，３４，３５，３７，３８，３９，４０が点灯することにより、この情報処理装置１の電源の入切の状態や他の機器との通信の状態等のこの情報処理装置１の現在の状態を示す。なお、これらＬＥＤ３２，３３，３４，３５，３７，３８，３９，４０は、使用者がこの情報処理装置１を右手に装着して上記ハウジング１１の左方から見た場合にも、あるいは、使用者が該情報処理装置１を左手に装着して該ハウジング１１の右方から見た場合にも同様に確認ができるように、ＬＥＤ３２，３３，３４，３５とＬＥＤ３７，３８，３９，４０とは互いに対となって同じ点滅動作をする。
【００５０】
また、上記透明板２２，表示部２５及びスイッチ２６，２７，２８，２９が配置されたこのハウジング１１の上面２１の直下には、外部に露出しないアンテナ３０が埋設されている。このアンテナ３０は、後述する電子情報読取手段８３及び電子情報書込手段８４を構成するものであって（図５参照）、該電子情報読取手段８２及び電子情報書込手段８４と後述する現品票９１のＲＦタグ９３のＲＦタグ側送受信手段９６を構成するアンテナ９７との間での電波による情報の受信及び送信に用いられる。なお、このＲＦタグ９３のＲＦタグ側送受信手段９６を構成するアンテナ９７は、線状の導電体を平面状でコイルにしたもので、図４に示すような位置に配置されている。また、上記アンテナ３０は、図１において破線で示すように、上記表示部２５の周囲を囲うような位置に配置されている。このアンテナ３０は平面状のコイルとされていることから、この平面と直交する方向（この平面の法線の方向）に現品票９１のＲＦタグ９３のＲＦタグ側送受信手段９６を構成するアンテナ９７が位置することが、該ＲＦタグ９３との情報の受信及び送信に最も適した位置関係となっている。したがって、例えば、図４に示す２次元コード化された識別コード情報が印刷されたＱＲコード９２及び電波によって情報を送信及び受信するＩＣチップ（アンテナ９７が接続されたＲＦタグ９３）が付された現品票９１に対して、情報処理装置１によって情報の読み取り及び書き込みをする場合であって、上記レンズ２３を該ＱＲコード９２に向けて該ＱＲコード９２の読み取りに適した位置関係とした場合には、この情報処理装置１と現品票９１との位置関係は、情報処理装置１のアンテナ３０がＲＦタグ９３のアンテナ９７との電波による情報の受信及び送信に適した位置関係ともなっている。このため、後述するこの情報処理システムの使用方法の例のように、使用者が上記情報処理装置１を用いて左トリガー４２（又は右トリガー４４）の操作をするのみで識別コード情報の読み取りとこの識別コード情報に対応する情報のＲＦタグ９３からの読み取り及び該ＲＦタグ９３への書き込みを一連に（ほぼ同時に）行う作業の際には、この情報処理装置１はこのような作業に非常に適したものとなっている。なお、上記図４は、理解し易くする為に一点透視図法で作図されているが、上記のように情報処理装置１を用いてＱＲコード９２の読み取りと情報のＲＦタグ９３の読み取り及び書き込みをする際には、この情報処理装置１の上面２１と現品票９１の面とが平行となるように配置する。
【００５１】
また、図１又は図２に示すように、上記ハウジング１１の左側面４１には、押しボタン状のスイッチである左トリガー４２が配置されており、また、反対側の右側面４３には、押しボタン状のスイッチである右トリガー４４が配置されている。これらトリガー４２，４３は、例えば、図４に示すように、装着ベルト１２により情報処理装置１を使用者の右手Ｈに装着した場合には、右手Ｈの親指Ｆ３により左トリガー４２が容易に操作できるように配置されている。また、情報処理装置１を使用者の図示しない左手に装着した場合には、左手の親指により右トリガー４３が容易に操作できるように配置されている（図３参照）。このため、使用者の手に装着された情報処理装置１は、右手に装着した場合にも、左手に装着した場合にも、同様に使用することができる。また、このハウジング１１の下面の背面側には電池蓋４６が配置されており、使用者はこの電池蓋４６を開閉することにより該ハウジング１１内に収納されている電池の交換等ができる。
【００５２】
また、上述の通り、上記ハウジング１１の正面側の下方には、装着ベルト１２が取り付けられている。すなわち、上記ハウジング１１の左側面４１及び右側面４３それぞれの下端部には、図２及び図３に示すように、正面側及び背面側のそれぞれに下方へ突出する左側の突出部５１，５２と、一部が図示されない右側の突出部５３とが対向して形成されている。これらの突出部５１，５２，５３には図中に点線で示す軸穴（符号は省略する。）が形成されており、これらの軸穴の開口には棒体５５，５６が挿通されて固定されている。また、上記装着ベルト１２は合成繊維性であって、一端には金属環５７が取り付けられており、該装着ベルト１２の他端及び該他端側中途部には一対の面ファスナー５８，５９が貼付されている。そして、この装着ベルト１２は上記棒体５５，５６と上記ハウジング１１の下面との間を挿通されるとともに、該装着ベルト１２の他端は上記金属環５７内を挿通して折り返され、上記一対の面ファスナー５８，５９により貼り合わされて環状となっている。このため、この情報処理装置１を用いる使用者は、図４に示すように、この装着ベルト１２内に右手Ｈ（又は左手）の人差指Ｆ１と中指Ｆ２とを挿入して該情報処理装置１を該右手Ｈ（又は左手）に装着することができる。なお、上記装着ベルト１２は、この情報処理装置１を装着した際に使用者の右手Ｈ（又は左手）の人差指Ｆ１と中指Ｆ２の第２関節と第３関節との間に装着されるようになっている。また、この環状とされた装着ベルト１２内に挿入する使用者の右手Ｈ（又は左手）の人差指Ｆ１と中指Ｆ２とのサイズに合わせて、上記装着ベルト１２の面ファスナー５８，５９が貼り合わされる箇所を適宜調節することができる。このように、この情報処理装置１は使用者の右手Ｈ（又は左手）の人差指Ｆ１と中指Ｆ２に装着されることから、この装着されたハウジング１１が手指の周方向にずれることなく、安定した装着状態を確保できる。また、上記の環状とされた装着ベルト１２の内面であって、使用者が上述の要領で上記情報処理装置１を装着した際に、該使用者の右手Ｈ（又は左手）の人差指Ｆ１と中指Ｆ２との甲が接触する部位には、低反発性シート部材６０が貼付されている。このため、使用者がこの情報処理装置１を装着した場合には、使用者の人差指Ｆ１と中指Ｆ２との甲が直接装着ベルト１２の内面に接触することを防ぎ、また上記低反発性シート部材６０は、加わる圧力を均等に吸収して分散することから、該ハウジング１１の位置ずれを防止するとともに、装着による不快感を防止することができ、使用者の作業性の向上を図ることができる。
【００５３】
また、この情報処理装置１内には、図５に示す電子回路が内蔵されている。この電子回路は、後述のフローチャートを示して説明する演算処理、判別処理等をする情報処理装置側中央演算処理装置（以下、情報処理装置側ＣＰＵという）８１が設けられ、この情報処理装置側ＣＰＵ８１には、ＱＲコード９２等の識別コード情報を読み取るコード情報読取手段８２と、ＲＦタグ９３の特定の個別情報を読み取る電子情報読取手段８３と、ＲＦタグ９３に特定の個別情報等を書き込む電子情報書込手段８４と、各種の情報を格納する情報処理装置側記憶手段８５と、情報処理装置側ＣＰＵ８１に接続され後述するホストコンピュータ１０１と各種情報の送受信をための情報処理装置側送受信手段８８と、使用者に読み取りの契機等を知らせるブザー８６と、使用者に読み取りの契機等を知らせるバイブレータ８７とがそれぞれ接続されている。また、上述した情報処理装置側ＣＰＵ８１には、ハウジング１１に取り付けられた表示部２５と、スイッチ２６，２７，２８，２９と、ＬＥＤ３２，３３，３４，３５，３７，３８，３９，４０と、左トリガー４２及び右トリガー４４とが接続されている。
【００５４】
なお、上記情報処理装置側記憶手段８５には、この情報処理装置１自体が動作するために必要な情報（例えば、この情報処理装置１自体が動作するために必要なファイルシステムやオペレーションシステム等）や、使用者を通知する情報のデータベース、すなわち、上記表示部２５への表示の内容や、上記スイッチ２６，２７，２８，２９，左トリガー４２及び右トリガー４４への使用者の操作に応じた該情報処理装置１の動作、ＬＥＤ３２，３３，３４，３５，３７，３８，３９，４０の点灯、ブザー８６の発音、バイブレータ８７の作動、情報処理装置側送受信手段８８による情報の送信及び受信（及び、その送信及び受信に係る情報の内容や、送信及び受信の相手）等についての情報が格納されている。特に上記表示部２５への表示の内容としては、この情報処理装置１の電源を入れたときに表示される起動画面の文字列や、この情報処理装置１自体が電源が入っていることを使用者に伝える文字列や、この情報処理装置１がホストコンピュータ１０１等の他の機器との接続をしていること又は接続をしていないことを使用者に伝える文字列や、この情報処理装置１へ次のデータが入力されることを待機していることを使用者に伝える文字列や、次に使用者が該情報処理装置１について何を操作すべきであるかについて指示する文字列や、コード情報読取手段８２又は電子情報読取手段８３により読み取った情報に関する文字列や、電子情報書込手段８４により書き込む情報に関する文字列や、コード情報読取手段８２及び電子情報読取手段８３により読み取った情報が互いに一致するか否かに関する文字列や、この情報処理装置１のバッテリーの電圧が低下したことを使用者に伝える文字列や、この情報処理装置１が使用者により電源を切る操作をされた際に電源を切ることについて確認する旨を使用者に伝える文字列や、この情報処理装置１の設定を変更する操作をされた際にこの設定の内容を使用者に確認する文字列が格納されている。
【００５５】
また、上記情報処理装置側記憶手段８５には、後述する各商品等毎の個別情報を一般的な文字列（使用者が理解しやすい文字列、例えば、商品等の個別の商品名等）と対応させる変換テーブルの文字列等や、或いは、上記情報処理装置側送受信手段８８が上記ホストコンピュータ１０１とブルートゥースの規格により通信をするために必要なプロトコルやパスキー（認証鍵）に関する情報や、これらの情報を用いた情報処理装置１の動作に必要なコマンドからなるプログラム等の情報も格納されている。また、この情報処理装置１自体の動作に必要な情報については、情報処理装置側ＣＰＵ８１が上記情報処理装置側記憶手段８５に入力されたコマンドを直接読み込んで逐次実行するものとされていることからこのコマンドに関する定義や動作に関する情報が格納されているが、この情報処理装置側ＣＰＵ８１は上記情報処理装置側記憶手段８５に格納されたオペレーションシステムを介して入力された情報に基づいて動作するものとしても良く、このオペレーションシステムとしてはトロンやウインドウズＣＥ等を用いるものとしても良い。
【００５６】
また、以下に述べるこの実施の形態での該情報処理装置１の動作は、あくまで一例に過ぎず、使用者がこの情報処理装置１により行う作業に応じた動作をするように適宜プログラムすることができる。すなわち、この実施の形態での情報処理装置１では、後述するように左トリガー４２を押下した際には上記コード情報読取手段８２，電子情報読取手段８３及び電子情報書込手段８４が一連の動作を連続して（使用者からすればほぼ同時に）動作をするものとしてプログラムが設定されているが、これら読み取り、書き込み、動作、発音、作動、情報の送信及び受信等のうち何れか一又は二のもののみが動作をするように設定するものとしても良い。なお、この情報処理装置１の読み取り、書き込み、動作、発音、作動、情報の送信及び受信等をプログラムとして入力して設定する場合には、上記スイッチ２６，２７，２８，２９の動作により設定用のメニュー画面を上記液晶の表示部２５に表示させた上で該スイッチ２６，２７，２８，２９の操作により行うものとしても良い。また、この情報処理装置１の動作のプログラムの入力は、後述するホストコンピュータ１０１で上記の情報処理装置１の動作についてのプログラムを入力しておいたものを該情報処理装置１へ転送することで入力するものとしても良い。このホストコンピュータ１０１を用いて情報処理装置１にプログラムを入力する場合には、該ホストコンピュータ１０１で入力したプログラムは、上述した情報処理装置側送受信手段８８と後述するホストコンピュータ側送受信手段１０４との間のブルートゥースの規格による通信で転送して入力するものとしても良く、或いは、この情報処理装置１に一般にコンピュータに多く用いられている図示しないＵＳＢ端子を設け、該ＵＳＢ端子によりホストコンピュータ１０１と接続して転送して入力するとしても良く、或いは、この情報処理装置１に図示しない外部記憶媒体用接続端子（例えば、ＳＤカード用のスロット）を設け、該外部記憶媒体用接続端子に該プログラムを書き込んだ外部記憶媒体（例えば、ＳＤカード）を繋ぐことにより、該外部記憶媒体内に入力したプログラムをこの情報処理装置１（の情報処理装置側記憶手段８５）へ転送して入力するものとしても良い（なお、このような外部記憶媒体を用いて、情報処理装置側記憶手段８５の容量を拡張するものとしても良い）。また、予めこの情報処理装置１（の情報処理装置側記憶手段８５や上記の外部記憶媒体）内に該情報処理装置１の動作を設定するプログラムを複数入力しておき、これら複数のプログラムの内の何れを用いるかを使用者が選択できるものとしても良い。この場合、プログラムの選択は、この情報処理装置１に入力された複数の該プログラムの一覧を上記表示部２５に表示するものとし、この中から何れか一つのプログラムをスイッチ２６，２７，２８，２９の操作により選択するものとしても良く、或いは、上記の複数のプログラムと対応する複数のＱＲコード（いわば、この情報入力装置１への指示のためのＱＲコード）を印刷し、この複数のＱＲコードのうちの何れかを情報処理装置１のコード情報読取手段８２で読み取ることによって何れのプログラムを用いるか選択するものとしても良い。また、このＱＲコードの替わりにＲＦタグ（いわば、この情報入力装置１への指示のためのＲＦタグ）を用い、この複数のＲＦタグのうちの何れかを情報処理装置１の電子情報読取手段８３で読み取ることによって何れのプログラムを用いるか選択するものとしても良く、或いは、複数のＲＦタグの記憶手段内にそれぞれ異なるプログラムを入力し、この複数のＲＦタグのうちの何れかのＲＦタグの記憶手段内に入力されたプログラムを情報処理装置１の電子情報読取手段８３で読み取ることによって必要なプログラムを入力するものとしても良い。
【００５７】
また、この情報処理装置１を構成する上記各手段等の動作，表示，点灯，発音及び作動は、何れも該情報処理装置１が備えるスイッチ２６，２７，２８，２９，左トリガー４２及び右トリガー４４への使用者の操作に応じたものと限られず、後述するホストコンピュータ１０１からの上記情報処理装置側送受信手段８８を介した指示又は操作に応じて上記の各手段等の動作，表示，点灯，発音及び作動をするものと設定することができる。すなわち、使用者が後述するホストコンピュータ１０１の入力手段１０５である図示しないキーボード又はマウスを操作することにより、上記情報処理装置１のコード情報読取手段８２，電子情報読取手段８３及び電子情報書込み手段８４が読み取り及び書き込みを開始するように（いわばホストコンピュータ１０１が情報処理装置１をリモートコントロールするように）設定することもできる。これは、後述するように、ブルートゥースの規格で接続された機器は、互いに情報の送受信がなされたかについて常に監視している（いわば、これら情報処理装置１とホストコンピュータ１０１は無線により繋ぎっぱなしの状態となっている。）ことによるものである。
【００５８】
なお、上記情報処理装置１の情報処理装置側ＣＰＵ８１，情報処理装置側記憶手段８５，情報処理装置側送受信手段８８，左トリガー４２及び右トリガー４４は、それぞれ本発明を構成する第２の中央演算処理装置，第２の記憶手段，第２の送受信手段及び読み書きトリガーであって、また、表示部２５，ブザー８６及びバイブレータ８７は何れも本発明を構成する認知手段である。また、この実施の形態の情報処理装置１は、上述した本発明の第２の発明を構成する情報処理装置であって、以下説明するように、使用者は左トリガー４２及び右トリガー４４の何れかの操作がコード情報読取手段８２の動作を開始させる条件となるとともに、電子情報書込手段８４の動作を開始させる条件等ともなっている。また、後述する図６及び図７のフローチャートに示すこの情報処理装置１及びホストコンピュータ１０１からなる第１の実施の形態に係る情報処理システムは、上述した本発明の第２の発明の処理について示すものである。
【００５９】
また、使用者がこの情報処理装置１を用いて情報処理をする際の現品票９１の構成について、図５を参照して説明する。この現品票９１とは、一般に物流管理や生産管理、或いはそれらの受発注管理等に用いられるものであって、例えば、特定の工場が他の工場に対して商品等の納入の要求情報を記載したカードであって、商品自体或いは商品等を納めた輸送用又は保管用の容器に貼付され、表面には該商品等の名称，仕様，数量，生産日時，納期，生産地，生産者或いは仕向地等の情報が記載されており、これまで多くの場合は使用者が目視で内容ができるような文字の情報が記載されていた。そして近年では、この現品票に上記の文字の情報を記載することに加えて、該現品票に上記の情報を特にコンピュータで処理する際に便利な形態の情報として、バーコード化や２次元コード化された識別コード情報を記載し、或いは、電子情報の受信又は送信の機能を有するＩＣチップを付加し、これら識別コード情報や電子情報を機械的に読み取り或いは書き込むことによって、この現品票による商品等の管理をコンピュータにより容易，迅速且つ確実に行うことができるようにされている。この実施の形態で挙げる図５に示す現品票９１には、識別コード情報として一般に良く用いられている２次元コードであるＱＲコード９２が表面に印刷されてなるとともに、電子情報の受信及び送信の機能を有するＩＣチップであるＲＦタグ９３を内蔵している。なお、さらにこのＲＦタグ９３には、情報の処理を行うＲＦタグ側中央演算処理装置（以下、情報処理手段という）９４と、ＲＦタグ側記憶手段９５と、ＲＦタグ側送受信手段９６と、を備えている。このＲＦタグ側送受信手段９６は、上記情報処理装置１の電子情報読取手段８３及び電子情報書込手段８４と対応して情報の送受信をするものであって、上述の通り、電子情報読取手段８３及び電子情報書込手段８４のアンテナ３０を介して情報の送受信をするためのアンテナ９７を備えている。また、この発明の実施の形態においては、説明の便宜上、ＲＦタグ９３が情報処理手段９４，ＲＦタグ側記憶手段９５及びＲＦタグ側送受信手段９６とを備えるものとしているが、これら三つの情報処理手段９４，ＲＦタグ側記憶手段９５及びＲＦタグ側送受信手段９６が物理的な部材としてそれぞれＲＦタグ９３内にあるのではなく、これら三つの手段は何れも一つのＩＣチップからなるＲＦタグ９３の回路上に形成されてなるものである。
【００６０】
また、使用者がこの情報処理装置１を用いて情報処理をする際のホストコンピュータ１０１の構成について、図５を参照して説明する。このホストコンピュータ１０１は一般に市販されているパソコンと同様な構成とされてなるものであって、図５に示すように、ホストコンピュータ側中央演算処理装置（以下、ホストコンピュータ側ＣＰＵという）１０２と、ホストコンピュータ側記憶手段１０３と、ホストコンピュータ側送受信手段１０４と、を備えており、また、該ホストコンピュータ１０１にはキーボードやマウス等の入力手段１０５、ディスプレイ等の表示手段１０６が接続されており、また、必要に応じて現品票等に文字の情報やＱＲコードの印刷を行うプリンタ１０７等とも接続されている。
【００６１】
なお、上記の通りこのホストコンピュータ１０１が一般に市販されているパソコンと同様な構成とされていることから、上記ホストコンピュータ側記憶手段１０４には、このホストコンピュータ１０１の動作に必要なオペレーションシステムが入力されているとともに、上記情報処理装置１から送信される識別コード情報と該識別コード情報に対応する個別情報に関するデータベースが格納されている。すなわち、ホストコンピュータ側ＣＰＵ１０２は、入力された識別コード情報に対応する特定の個別情報をこのデータベースから特定して読み出すことができるものとされており、具体的には、入力された識別コード情報に対応する商品等の名称，仕様，数量，生産日時，納期，生産地，生産者或いは仕向地等の情報等の個別情報が出力できるものとされている。
【００６２】
次に、第１の実施の形態であって、上記情報処理装置１，現品票９１及びホストコンピュータ１０１による情報処理システムについて、一連の情報の読み取り及び書き込みの手順を図６及び図７に示すフローチャートに従い説明する。なお、この図６及び図７のフローチャートに示す第１の実施の形態は、本発明の上述した第２の発明に当たるものである。また、この第１の実施の形態での左トリガー４２（又は右トリガー４４）は、上記第２の発明を構成する読み書きトリガーである。先ず使用者は、上述したように装着ベルト１２により自己の右手Ｈの人差指Ｆ１及び中指Ｆ２に情報処理装置１を装着し（図４参照）、また、図５に示すスイッチ２６を押下操作して該情報処理装置１の電源を入れる。なお、このように電源を入れることにより、上記ＬＥＤ３２，３７が点灯し（図１参照）、この情報処理装置１は使用者の操作等に対して待機する状態となる。すなわち、この待機する状態では、この情報処理装置１は、使用者がスイッチ２６，２７，２８，２９を操作して電源を消すことや、上述の通りこの情報処理装置１の動作について新たな設定をすることや設定を変更することや、使用者が左トリガー４２（又は右トリガー４４）を押下して以下に述べる作業を開始することや、或いは、ホストコンピュータ１０１のホストコンピュータ側送受信手段１０４等から情報処理装置側送受信手段８８への情報の送信に対して待機する状態となっている。次いで使用者は、装着した情報処理装置１を、図４に示すハウジング１１の上面２１に配置されたレンズ２３を上記現品票９１と対向するような位置関係とした上で、親指Ｆ３で左トリガー４２を押下する（ステップＳｔ１）。なお、この実施の形態では、使用者が右手Ｈに上記情報処理装置１を装着し、右手Ｈの親指Ｆ３で左トリガー４２を押下するものとして説明しているが、該情報処理装置１の左トリガー４２を押下したときも右トリガー４４を押下したときも同様な動作をするように設定されている場合には、使用者は該情報処理装置１を左手に装着して左手の親指で右トリガー４４を押下する場合にも、同様に使用することができる。
【００６３】
次のステップＳｔ２において、情報処理装置側ＣＰＵ８１は上記ステップＳｔ１において左トリガー４２が押下されたか否かについて判別し、該情報処理装置側ＣＰＵ８１が該左トリガー４２は押下されていないと判別した場合にはステップＳｔ１に戻り、該左トリガー４２は押下されたと判別した場合には、次のステップＳｔ３に進んで該情報処理装置側ＣＰＵ８１は上記コード情報読取手段８２によりＱＲコード９２を読み取らせる（スキャニングする）。なお、このステップＳｔ３における読み取りの際には、情報処理装置側ＣＰＵ８１は上記発光部２４を発光させ、該発光部２４は対向する面上（この実施の形態では現品票９１の表面上）にレーザー光による直線や長方形等の図形を投影する。この発光部２４から発するレーザー光が投影する図形は、上記コード情報読取手段８２が上記レンズ２３を介して上記ＱＲコード９２を読み取ることができる範囲を示しているため、使用者はこのレーザー光をガイドとして容易にこの情報処理装置１を使ってＱＲコード９２を読み取らせることができる。なお、上記コード情報読取手段８２は、この発光部２４から発光された光が現品票９１上から反射した反射光を用いてＱＲコード９２を読み取るものではない。次のステップＳｔ４において、ステップＳｔ３において上記コード情報読取手段８２が読み取ったか否かについて情報処理装置側ＣＰＵ８１が判別し、ＱＲコード９２が読み取られていないと判別した場合にはステップＳｔ３に戻り、ＱＲコード９２が読み取られたと判別した場合には、次のステップＳｔ５において、この読み取ったＱＲコード９２の情報（識別コード情報）を情報処理装置側記憶手段８５に格納し、ほぼ同時期のステップＳｔ６において、この識別コード情報を上記表示部２５に表示させるとともに、ほぼ同時期のステップＳｔ７において、上記ブザー８６を発音させて使用者にＱＲコード９２の識別コード情報を読み取ったことを知らせる。なお、このステップＳｔ７及び以下のステップ、或いは、以下に述べる他の第２ないし第１０の実施の形態において上記情報処理装置側ＣＰＵ８１が上記ブザー８６を発音させる際には、該情報処理装置側ＣＰＵ８１は上記バイブレータ８７も同時に作動させ、この情報処理装置１を振動させることにより使用者に認知させるものとしても良い。このブザー８６による発音及びバイブレータ８７による振動は、必要に応じて使用者が設定することができ、両方を同時に実行させることも任意の一方のみを実行させることもできる。
【００６４】
次いで、ステップＳｔ８において、上記情報処理装置側ＣＰＵ８１は、上記情報処理装置側送受信手段８８に識別コード情報を上記ホストコンピュータ１０１のホストコンピュータ側送受信手段１０４へ送信させる。なお、この情報処理装置側送受信手段８８とホストコンピュータ側送受信手段１０４間の情報の送受信は、無線通信の規格であるブルートゥースの技術に基づいてなされており、上記情報処理装置１とホストコンピュータ１０１とが互いに離れて位置する場合でも情報の送受信が可能である。また、上記情報処理装置１とホストコンピュータ１０１との間では予めパスキー（認証鍵）を用いたペアリングの設定がなされており、また、該情報処理装置１が他の機器との間でブルートゥースによる通信が可能な状態の時は、該情報処理装置側ＣＰＵ８１は上記ＬＥＤ３３，３８が点灯させる。このブルートゥースの規格で接続された機器は、互いに情報の送受信がなされたかについて常に監視している（いわば、これら情報処理装置１とホストコンピュータ１０１は無線により繋ぎっぱなしの状態となっている。）とともに、この情報処理装置側送受信手段８８とホストコンピュータ側送受信手段１０４間の情報の送受信において、この実施の形態のステップＳｔ８及びステップＳｔ９，ステップＳｔ１５及びステップＳｔ１６或いは後述する他の実施の形態に示すような情報の送受信に失敗があったか否かの判断及びその際のフォローのための情報の再送受信も、ブルートゥースの情報の送受信の規格に定められている通り自動的に行う。そして、次のステップＳｔ９において、ホストコンピュータ側ＣＰＵ１０２は、ホストコンピュータ側送受信手段１０４が上記識別コード情報を受信したか否かについて判別し、この識別コード情報を受信していないと判別した場合にはステップＳｔ８に戻り、この識別コード情報を受信したと判別した場合には、ホストコンピュータ側ＣＰＵ１０２は、ステップＳｔ１０において、この識別コード情報を上記表示手段１０６に表示させるとともに、ほぼ同時期のステップＳｔ１１において、上記ホストコンピュータ側記憶手段１０３に予め格納されていた特定の個別情報のデータベースの中からこの識別コード情報に対応する特定の個別情報を読み出す。
【００６５】
そして、次のステップＳｔ１２において、ホストコンピュータ側ＣＰＵ１０２は上記の識別コード情報と対応する特定の個別情報があるか否かを判別し、上記の識別コード情報と対応する特定の個別情報がないと判別した場合には、ステップＳｔ１４により情報処理装置１の表示部２５にエラー表示（読み取ったＱＲコードに該当する識別コード情報が無い旨，ＱＲコードの読取に失敗した旨等）をさせるとともにステップＳｔ１に戻り、上記の識別コード情報と対応する特定の個別情報があると判別した場合には、次のステップＳｔ１３に進んでこの識別コード情報をホストコンピュータ側記憶手段１０３に格納する。なお、上記ホストコンピュータ側記憶手段１０３に格納されているデータベースの中の特定の個別情報とは、上記情報処理装置１のコード情報読取手段８２が読み取る上記ＱＲコード９２の識別コード情報のそれぞれに対応するものであって、該ＱＲコード９２を貼付した商品等の情報（名称，仕様，数量，生産日時，納期，生産地或いは仕向地等の情報）である。
【００６６】
次いでステップＳｔ１５において、ホストコンピュータ側ＣＰＵ１０２は、上記のステップＳｔ１１において読み出した特定の個別情報を、ホストコンピュータ側送受信手段１０４に情報処理装置側送受信手段８８を介して情報処理装置側ＣＰＵ８１へ送信させる。次のステップＳｔ１６において、上記情報処理装置側ＣＰＵ８１は上記特定の個別情報を受信したか否かを判別し、該情報処理装置側ＣＰＵ８１がこの特定の個別情報を受信していないと判別した場合には、ステップＳｔ１５に戻り、該情報処理装置側ＣＰＵ８１が特定の個別情報が受信したと判別した場合には、次のステップＳｔ１７に進んで、該情報処理装置側ＣＰＵ８１はこの特定の個別情報を情報処理装置側記憶手段８５に格納し、ほぼ同時期のステップＳｔ１８において、この特定の個別情報を上記表示部２５に表示させるとともに、ほぼ同時期のステップＳｔ１９において、上記ブザー８６を発音させて使用者に特定の個別情報を受信したことを知らせて次のステップＳｔ２０に進む。なお、上記ステップＳｔ１８において、情報処理装置側ＣＰＵ８１が上記ＱＲコード９２を貼付した商品等の特定の個別情報、特に該商品等の名称等のような使用者が理解しやすい情報を、表示部２５に表示させることにより、使用者は自己がステップＳｔ１において左トリガー４２又は右トリガー４４を押下して読み取った商品等の特定の個別情報を目視で確認することができる。
【００６７】
次いで、ステップＳｔ２０において、情報処理装置側ＣＰＵ８１は、上記のステップＳｔ１７において格納された特定の個別情報が、先のステップＳｔ５において情報処理装置側記憶手段８５に格納した識別コード情報（ＱＲコード９２の読取コード情報）と互いに正しく対応するものであるかを判別する。そして、次のステップＳｔ２１において、情報処理装置側ＣＰＵ８１は、上記の特定の個別情報と識別コード情報とが正しく対応するものであるか否かが判別した結果について、該情報処理装置側ＣＰＵ８１が上記の特定の個別情報と識別コード情報とが正しく対応するものでないと判別した場合には、ステップＳｔ１１に戻り、特定の個別情報と識別コード情報とが正しく対応するものであると判別した場合には、次のステップＳｔ２２に進んで、該情報処理装置側ＣＰＵ８１は、この特定の個別情報を電子情報書込手段８４に上記現品票９１のＲＦタグ９３へ送信させる。
【００６８】
次のステップＳｔ２３において、ＲＦタグ９３の情報処理手段９４は、特定の個別情報を受信したか否かについて判別し、特定の個別情報を受信していないと判別した場合にはステップＳｔ２２に戻り、特定の個別情報を受信したと判別した場合には、次のステップＳｔ２４に進んで該特定の個別情報を上記ＲＦタグ側記憶手段９５に格納する（書き込みする）。そして、ステップＳｔ２５において、情報処理装置側ＣＰＵ８１は、ＲＦタグ９３への特定の個別情報の書き込みが完了したことについて、上記ブザー８６を発音させて使用者に特定の個別情報が受信されたことを知らせ、一連の情報の読み取り及び書き込みに係る作業手順が終了する。なお、このＲＦＩＤの規格に基づく情報の書き込みでは、この規格において定められている通り、電子情報読取手段８３又は電子情報書込手段８４の作動によりアンテナ３０から生じる電磁波をＲＦタグ側送受信手段９６が受信することによりＲＦタグ９３の情報処理手段９４等が作動を開始するとともに、この情報の書き込みの際のこれらの間の情報の送受信において、ステップＳｔ２２及びステップＳｔ２３或いは後述する他の実施の形態に示すような情報の書き込みの失敗があったか否かの判断及びその際の情報の再送受信も、ＲＦＩＤの情報の送受信の規格に定められている通り自動的に行う。すなわち、ＲＦタグ９３への情報の書き込みをする場合には、先ず情報処理装置側ＣＰＵ８１は電子情報書込手段８４にこれから情報を書き込む旨の情報を送信させ、上記情報処理手段９４がＲＦタグ側送受信手段９６にこのこれから情報を書き込む旨の情報を受信させると、情報処理手段９４は、このこれから情報を書き込む旨の情報を受信した旨の情報についてＲＦタグ側送受信手段９６に電子情報読取手段８３へ送信（返信）させる。そして、この情報に応じて情報処理装置側ＣＰＵ８１は電子情報書込手段８４にＲＦタグ９３へ書き込む情報を送信させ、上記情報処理手段９４は電子情報書込手段８４からＲＦタグ側送受信手段９６を介して書き込まれた情報（プルーフ）を該ＲＦタグ側送受信手段９６を介して電子情報読取手段８３へ送信（返信）する。そして、この書き込まれた情報（プルーフ）を電子情報読取手段８３により受信した場合に、上記情報処理装置側ＣＰＵ８１は情報の書き込みができたものとして判別する。
【００６９】
このように、この第１の実施の形態に係る情報処理装置１を用いた情報処理システムによれば、ホストコンピュータ１０１と連携してＱＲコード９２の情報とＲＦタグ９３の情報を極めて簡単且つ迅速に一致させることができ、この情報処理システムは非常に作業性が高いものとなっている。すなわち、この情報処理装置１とホストコンピュータ１０１を備えた情報処理システムによれば、ＱＲコード９２の情報の読み取りと、このＱＲコード９２の情報に対応する情報についてのＲＦタグ９３への情報の書き込みとを連携した一連の動作として連続的に行うことができることから、ＱＲコード９２の情報とＲＦタグ９３の情報とを一致させる作業をより一層簡単且つ迅速に行うことが可能となる。また、特にこの情報処理装置１においては、上記レンズ２３及びアンテナ３０は、同一の面又はその近傍に配置されてなることから、該レンズ２３によってＱＲコード９２を読み取るのに適した方向と、アンテナ３０によってＲＦタグ９３との情報の送信に適した方向とが一致するものとなり、使用者がＱＲコード９２もＲＦタグ９３も備えた現品票９１と情報処理装置１とを適切な位置関係とした場合には、この位置関係は、レンズ２３によるＱＲコード９２の読み取りにも、アンテナ３０を介したＲＦタグ９３との情報の受信及び／又は送信による読み取り及び／又は書き込みにも適した位置関係となる。したがって、この情報処理装置１は、上述の図６及び図７のフローチャートに示す第１の実施の形態のようなＱＲコード９２の読み取りの操作とＲＦタグ９３への書き込みの操作をいちどきに（ほぼ同時に）連続して実行するのに適したものとなり、作業性が高いものとなっている。
【００７０】
上述の図６及び図７のフローチャートに示す第１の実施の形態では、図５に示す構成の情報処理システム、すなわち、上記情報処理装置１とホストコンピュータ１０１から構成されて現品票９１に対して処理を行う情報処理システムについて、上記情報処理装置１とホストコンピュータ１０１とを連携させて現品票９１のＱＲコード９２及びＲＦタグ９３に対して情報の処理をするものとして、ＱＲコード９２の識別コード情報からの読み取りと、このＱＲコード９２の情報に対応する情報についてのＲＦタグ９３への情報の書き込みと、を一連の動作として連続的に行う情報処理システムとして設定して使用する場合の作業手順について説明した。しかし、この図５に示す構成の情報処理システムで行う情報の処理の作業はこの第１の実施の形態のものに限られるものではなく、この情報処理システム及び上記情報処理装置１等の動作については上述の通り使用者が様々に設定することができる。すなわち、図５に示す構成の情報処理システムは、情報処理装置１とホストコンピュータ１０１が連携して動作するシステムであって、情報処理装置１の情報処理装置側記憶手段８５内に格納されていない個別情報についてホストコンピュータ１０１のホストコンピュータ側記憶手段１０３内に格納された個別情報のデータベースから読み出してこれを用いる構成とされているが、この個別情報のデータベースを情報処理装置側記憶手段８５内に格納するものとし、これにより図５に示す構成の情報処理システムを、情報処理装置１とホストコンピュータ１０１が連携して動作するものとはせず、情報処理装置１のみが単独で動作するシステムとしても良い。
【００７１】
次に、第２の実施の形態であって、この情報処理装置１のみが単独で動作する構成の情報処理システムを、現品票９１のＱＲコード９２の識別コード情報からの読み取りとこのＱＲコード９２の情報に対応する情報についてのＲＦタグ９３への情報の書き込みとを一連の動作として連続的に行う情報処理システムとして設定して使用する場合の作業手順を、図８及び図９に示すフローチャートに従い説明する。なお、この図８及び図９のフローチャートに示す第２の実施の形態は、本発明の上述した第４の発明に当たるものである。また、この第２の実施の形態での左トリガー４２（又は右トリガー４４）は、上記第４の発明を構成する読み書きトリガーである。なお、以下の図８及び図９に示す第２の実施の形態では、上述した図６及び図７に示す第１の実施の形態と同じ構成や同じ動作を行うものが多いため、このような上述した第１の実施の形態と重複する構成や動作については詳細な説明を省略する。
【００７２】
先ず使用者は、上述した実施の形態と同様に、装着ベルト１２により自己の右手Ｈの人差指Ｆ１及び中指Ｆ２に情報処理装置１を装着し（図４参照）、また、図５に示すスイッチ２６を押下操作して該情報処理装置１の電源を入れる。次いで使用者は、装着した情報処理装置１を、図４に示すハウジング１１の上面２１に配置されたレンズ２３を上記現品票９１と対向するような位置関係とした上で、親指Ｆ３で左トリガー（読み書きトリガー）４２を押下する（ステップＳｔ１）。
【００７３】
次のステップＳｔ２において、情報処理装置側ＣＰＵ８１は上記ステップＳｔ１において左トリガー４２が押下されたか否かについて判別し、該情報処理装置側ＣＰＵ８１が該左トリガー４２は押下されていないと判別した場合にはステップＳｔ１に戻り、該左トリガー４２は押下されたと判別した場合には、次のステップＳｔ３に進んで該情報処理装置側ＣＰＵ８１は上記コード情報読取手段８２によりＱＲコード９２を読み取らせる（スキャニングする）。次のステップＳｔ４において、ステップＳｔ３において上記コード情報読取手段８２が読み取ったか否かについて情報処理装置側ＣＰＵ８１が判別し、ＱＲコード９２が読み取られていないと判別した場合にはステップＳｔ３に戻り、ＱＲコード９２が読み取られたと判別した場合には、次のステップＳｔ５において、この読み取ったＱＲコード９２の情報（識別コード情報）を情報処理装置側記憶手段８５に格納し、ほぼ同時期のステップＳｔ６において、この識別コード情報を上記表示部２５に表示させるとともに、ほぼ同時期のステップＳｔ７において、上記ブザー８６を発音させて使用者にＱＲコード９２の識別コード情報を読み取ったことを知らせる。
【００７４】
次いで、ステップＳｔ８において、情報処理装置側ＣＰＵ８１は、上記情報処理装置側記憶手段８５に予め格納されていた特定の個別情報のデータベースの中からこの識別コード情報に対応する特定の個別情報を読み出す。そして、次のステップＳｔ９において、情報処理装置側ＣＰＵ８１は上記の識別コード情報と対応する特定の個別情報があるか否かを判別し、上記の識別コード情報と対応する特定の個別情報がないと判別した場合には、ステップＳｔ１０により情報処理装置１の表示部２５にエラー表示（読み取ったＱＲコードに該当する識別コード情報が無い旨，ＱＲコードの読取に失敗した旨等）をさせるとともにステップＳｔ１に戻り、上記の識別コード情報と対応する特定の個別情報があると判別した場合には、次のステップＳｔ１１に進んでこの識別コード情報を情報処理装置側記憶手段８５に格納し、ほぼ同時期のステップＳｔ１２において、この特定の個別情報を上記表示部２５に表示させるとともに、ほぼ同時期のステップＳｔ１３において、上記ブザー８６を発音させて使用者に特定の個別情報があることを知らせて次のステップＳｔ１４に進む。なお、上記ステップＳｔ１２において、情報処理装置側ＣＰＵ８１が上記ＱＲコード９２を貼付した商品等の特定の個別情報、特に該商品等の名称等のような使用者が理解しやすい情報を、表示部２５に表示させることにより、使用者は自己がステップＳｔ１において左トリガー４２を押下して読み取った商品等の特定の個別情報を目視で確認することができる。
【００７５】
次いで、ステップＳｔ１４において、情報処理装置側ＣＰＵ８１は、上記のステップＳｔ１１において格納した特定の個別情報を電子情報書込手段８４に上記現品票９１のＲＦタグ９３へ送信させる。そして、次のステップＳｔ１５において、ＲＦタグ９３の情報処理手段９４は、特定の個別情報を受信したか否かについて判別し、特定の個別情報を受信していないと判別した場合にはステップＳｔ１４に戻り、特定の個別情報を受信したと判別した場合には、次のステップＳｔ１６に進んで該特定の個別情報を上記ＲＦタグ側記憶手段９５に格納する（書き込みする）。そして、ステップＳｔ１７において、情報処理装置側ＣＰＵ８１は、ＲＦタグ９３への特定の個別情報の書き込みが完了したことについて、上記ブザー８６を発音させて使用者に特定の個別情報が受信されたことを知らせ、一連の情報の読み取り及び書き込みに係る作業手順が終了する。
【００７６】
このように、この第２の実施の形態に係る情報処理装置１を用いた情報処理システムによれば、ＱＲコード９２の情報とＲＦタグ９３の情報を極めて簡単且つ迅速に一致させることができ、この情報処理システムは非常に作業性が高いものとなっている。すなわち、この情報処理装置１からなる情報処理システムによれば、ＱＲコード９２の情報の読み取りと、このＱＲコード９２の情報に対応する情報についてのＲＦタグ９３への情報の書き込みとを連携した一連の動作として連続的に行うことができることから、ＱＲコード９２の情報とＲＦタグ９３の情報とを一致させる作業をより一層簡単且つ迅速に行うことが可能となる。また、特にこの情報処理装置１においては、上記レンズ２３及びアンテナ３０は、同一の面又はその近傍に配置されてなることから、該レンズ２３によってＱＲコード９２を読み取るのに適した方向と、アンテナ３０によってＲＦタグ９３との情報の送信に適した方向とが一致するものとなり、使用者がＱＲコード９２もＲＦタグ９３も備えた現品票９１と情報処理装置１とを適切な位置関係とした場合には、この位置関係は、レンズ２３によるＱＲコード９２の読み取りにも、アンテナ３０を介したＲＦタグ９３との情報の受信及び／又は送信による読み取り及び／又は書き込みにも適した位置関係となる。したがって、この情報処理装置１は、上述の図８及び図９のフローチャートに示す第２の実施の形態のようなＱＲコード９２の読み取りの操作とＲＦタグ９３への書き込みの操作をいちどきに（ほぼ同時に）連続して実行するのに適したものとなり、作業性が高いものとなっている。
【００７７】
上述の図６及び図７のフローチャートに示す第１の実施の形態又は図８及び図９に示す第２の実施の形態では、図５に示す構成の情報処理システム、すなわち、上記情報処理装置１とホストコンピュータ１０１から構成されて現品票９１に対して処理を行う情報処理システムについて、上記情報処理装置１とホストコンピュータ１０１とを連携させて現品票９１のＱＲコード９２及びＲＦタグ９３に対して情報の処理をするものとして、ＱＲコード９２の識別コード情報からの読み取りと、このＱＲコード９２の情報に対応する情報についてのＲＦタグ９３への情報の書き込みと、を一連の動作として連続的に行う情報処理システムとして設定して使用する場合の作業手順について説明した。しかし、この図５に示す構成の情報処理システムで行う情報の処理の作業はこの第１又は第２の実施の形態のようなものに限られるものではなく、この情報処理システム及び上記情報処理装置１等の動作については上述の通り使用者が様々に設定することができる。すなわち、図５に示す構成の情報処理システムは、現品票９１のＱＲコード９２及びＲＦタグ９３の情報が正しい対応関係にあるものであるか否かの確認を一連の動作として連続的に行う情報処理システムとして設定して使用することができる。
【００７８】
次に、第３の実施の形態であって、この図５に示す構成の情報処理システムを、現品票９１のＱＲコード９２及びＲＦタグ９３の情報が正しい対応関係にあるものであるか否かの確認を一連の動作として連続的に行う情報処理システムとして設定して使用する場合の作業手順を、図１０及び図１１に示すフローチャートに従い説明する。なお、この図１０及び図１１のフローチャートに示す第３の実施の形態は、本発明の上述した第６の発明に当たるものである。また、この第３の実施の形態での左トリガー４２（又は右トリガー４４）は、上記第６の発明を構成する共通読取トリガーである。なお、以下の図１０及び図１１に示す第３の実施の形態では、上述した第１又は第２の実施の形態と同じ構成や同じ動作を行うものが多いため、このような上述した第１又は第２の実施の形態と重複する構成や動作については詳細な説明を省略する。
【００７９】
先ず使用者は、上述した実施の形態と同様に、装着ベルト１２により自己の右手Ｈの人差指Ｆ１及び中指Ｆ２に情報処理装置１を装着し（図４参照）、また、図５に示すスイッチ２６を押下操作して該情報処理装置１の電源を入れる。次いで使用者は、装着した情報処理装置１を、図４に示すハウジング１１の上面２１に配置されたレンズ２３を上記現品票９１と対向するような位置関係とした上で、親指Ｆ３で左トリガー４２（共通読取トリガー）を押下する（ステップＳｔ１）。
【００８０】
次のステップＳｔ２において、情報処理装置側ＣＰＵ８１は上記ステップＳｔ１において左トリガー４２が押下されたか否かについて判別し、該情報処理装置側ＣＰＵ８１が該左トリガー４２は押下されていないと判別した場合にはステップＳｔ１に戻り、該左トリガー４２は押下されたと判別した場合には、次のステップＳｔ３に進んで該情報処理装置側ＣＰＵ８１は上記コード情報読取手段８２によりＱＲコード９２を読み取らせる（スキャニングする）。なお、情報処理装置側ＣＰＵ８１は、このステップＳｔ３において上記コード情報読取手段８２によりＱＲコード９２を読み取らせると同時に、後述するステップＳｔ１５において電子情報読取手段８３によりＲＦタグ９３を読み取らせているが、このステップＳｔ１５以降については後述する。そして次のステップＳｔ４において、ステップＳｔ３において上記コード情報読取手段８２が読み取ったか否かについて情報処理装置側ＣＰＵ８１が判別し、ＱＲコード９２が読み取られていないと判別した場合にはステップＳｔ３に戻り、ＱＲコード９２が読み取られたと判別した場合には、次のステップＳｔ５において、この読み取ったＱＲコード９２の情報（識別コード情報）を情報処理装置側記憶手段８５に格納し、ほぼ同時期のステップＳｔ６において、この識別コード情報を上記表示部２５に表示させるとともに、ほぼ同時期のステップＳｔ７において、上記ブザー８６を発音させて使用者にＱＲコード９２の識別コード情報を読み取ったことを知らせる。
【００８１】
次いで、ステップＳｔ８において、上記情報処理装置側ＣＰＵ８１は、上記情報処理装置側送受信手段８８に識別コード情報を上記ホストコンピュータ１０１のホストコンピュータ側送受信手段１０４へ送信させる。そして、次のステップＳｔ９において、ホストコンピュータ側ＣＰＵ１０２は、ホストコンピュータ側送受信手段１０４が上記識別コード情報を受信したか否かについて判別し、この識別コード情報を受信していないと判別した場合にはステップＳｔ８に戻り、この識別コード情報を受信したと判別した場合には、ホストコンピュータ側ＣＰＵ１０２は、次のステップＳｔ１０において、この識別コード情報を上記表示手段１０６に表示させるとともに、ほぼ同時期のステップＳｔ１１において、上記ホストコンピュータ側記憶手段１０３に予め格納されていた特定の個別情報のデータベースの中からこの識別コード情報に対応する特定の個別情報を読み出す。
【００８２】
そして、次のステップＳｔ１２において、ホストコンピュータ側ＣＰＵ１０２は上記の識別コード情報と対応する特定の個別情報があるか否かを判別し、上記の識別コード情報と対応する特定の個別情報がないと判別した場合には、ステップＳｔ１４により情報処理装置１の表示部２５にエラー表示（読み取ったＱＲコードに該当する識別コード情報が無い旨，ＱＲコードの読取に失敗した旨等）をさせるとともにステップＳｔ１に戻り、上記の識別コード情報と対応する特定の個別情報があると判別した場合には、次のステップＳｔ１３に進んでこの識別コード情報をホストコンピュータ側記憶手段１０３に格納するとともに、該識別コード情報と対応する特定の個別情報を一方の個別情報としてホストコンピュータ側記憶手段１０３に格納する。なお、このステップＳｔ１３においてホストコンピュータ側ＣＰＵ１０２がホストコンピュータ側記憶手段１０３に格納した一方の個別情報は、後述するステップＳｔ２３においてホストコンピュータ側ＣＰＵ１０２が後述する他方の個別情報と照合する。
【００８３】
また、上述の通り、情報処理装置側ＣＰＵ８１は、ステップＳｔ３において上記コード情報読取手段８２によりＱＲコード９２を読み取らせると同時に、ステップＳｔ１５において電子情報読取手段８３によりＲＦタグ９３の特定の個別情報を読み取らせ、そして次のステップＳｔ１６において、ステップＳｔ１５において該電子情報読取手段８３が読み取ったか否かについて情報処理装置側ＣＰＵ８１が判別し、該特定の個別情報が読み取られていないと判別した場合にはステップＳｔ１５に戻り、該特定の個別情報が読み取られたと判別した場合には、次のステップＳｔ１７において、この読み取った特定の個別情報を他方の個別情報として情報処理装置側記憶手段８５に格納し、ほぼ同時期のステップＳｔ１８において、この特定の個別情報を上記表示部２５に表示させるとともに、ほぼ同時期のステップＳｔ１９において、上記ブザー８６を発音させて使用者にＲＦタグ９３の特定の個別情報を読み取ったことを知らせる。なお、このＲＦＩＤの規格に基づく情報の読み取りでは、この規格において定められている通り、電子情報読取手段８３又は電子情報書込手段８４の作動によりアンテナ３０から生じる電磁波をＲＦタグ側送受信手段９６が受信することによりＲＦタグ９３の情報処理手段９４等が作動を開始するとともに、これらの間の情報の送受信において、ステップＳｔ１５及びステップＳｔ１６或いは後述する他の実施の形態に示すような情報の読み取りの失敗があったか否かの判断及びその際の情報の再送受信も、ＲＦＩＤの情報の送受信の規格に定められている通り自動的に行う。すなわち、ＲＦタグ９３からの情報の読み取りをする場合には、先ず情報処理装置側ＣＰＵ８１は電子情報書込手段８４にこれから情報を読み取る旨の情報を送信させ、上記情報処理手段９４がＲＦタグ側送受信手段９６を介してこのこれから情報を読み取る旨の情報を受信させると、情報処理手段９４はこのこれから情報を読み取る旨の情報を受信した旨の情報をＲＦタグ側送受信手段９６を介して電子情報読取手段８３へ送信（返信）する。そして、情報処理手段９４は、この情報とともにＲＦタグ側記憶手段９５に格納された情報をＲＦタグ側送受信手段９６を介して電子情報読取手段８３へ送信し、情報処理装置側ＣＰＵ８１は電子情報読取手段８３にこれらの情報を受信させ、このＲＦタグ側記憶手段９５に格納された情報を電子情報読取手段８３により受信した場合に、上記情報処理装置側ＣＰＵ８１は情報の読み取りができたものとして判別する。
【００８４】
次いで、ステップＳｔ２０において、上記情報処理装置側ＣＰＵ８１は、上記情報処理装置側送受信手段８８に他方の個別情報を上記ホストコンピュータ１０１のホストコンピュータ側送受信手段１０４へ送信させる。そして、次のステップＳｔ２１において、ホストコンピュータ側ＣＰＵ１０２は、ホストコンピュータ側送受信手段１０４が上記他方の個別情報を受信したか否かについて判別し、この他方の個別情報を受信していないと判別した場合にはステップＳｔ２０に戻り、この他方の個別情報を受信したと判別した場合には、ホストコンピュータ側ＣＰＵ１０２は、ステップＳｔ２２において、この他方の個別情報を上記表示手段１０６に表示させる。そして、このステップＳｔ２２とほぼ同時期のステップＳｔ２３において、ホストコンピュータ側ＣＰＵ１０２は、上記ステップＳｔ１３においてホストコンピュータ側記憶手段１０３に格納した一方の個別情報を読み出すとともに、この一方の個別情報とステップＳｔ２１において受信した他方の個別情報とを照合し、この照合の結果に基づいて照合結果情報を生成する。そして、ステップＳｔ２４において、ホストコンピュータ側ＣＰＵ１０２は、この生成した照合結果情報と、上記ステップＳｔ２１において受信した他方の個別情報とを、ホストコンピュータ側記憶手段１０３に格納する。
【００８５】
なお、ステップＳｔ２３においてホストコンピュータ側ＣＰＵ１０２が生成する照合結果情報とは、上記情報処理装置１が読み取った現品票９１のＱＲコード９２の識別コード情報と、ＲＦタグ９３の個別情報とが正しい対応関係にあるか否かについて照合した結果を示す情報である。そして、ステップＳｔ２３での照合の結果、ＱＲコード９２の識別コード情報を読み取った結果である上記一方の個別情報と、ＲＦタグ９３の個別情報を読み取った結果である他方の個別情報とが一致する場合には、ホストコンピュータ側ＣＰＵ１０２はこれら一方の個別情報と他方の個別情報とが正しい対応関係にあるものと判別して一致した旨の照合結果情報を生成する。また、ステップＳｔ２３でのこの照合の結果、ＱＲコード９２の識別コード情報を読み取った結果である上記一方の個別情報と、ＲＦタグ９３の個別情報を読み取った結果である他方の個別情報とが一致しない場合には、ホストコンピュータ側ＣＰＵ１０２はこれら一方の個別情報と他方の個別情報とが誤った対応関係にあるものと判別して一致しない旨の照合結果情報を生成する。なお、照合結果情報について誤った対応関係にある一致しない旨の照合結果情報としては、単にこれら一方の個別情報と他方の個別情報との間に齟齬があることのみを示す情報としても良く、或いは、それぞれが多数の項目からなる一方の個別情報と他方の個別情報について、一部の特定の項目の情報について齟齬があり、他の残りの項目の情報については齟齬が無いことを示す情報としても良い。また、このような場合には、情報処理装置側ＣＰＵ８１は後述するステップＳｔ２８において、照合結果情報について誤りがある項目の情報の種類毎に表示部２５の表示をさせても良く、或いは、照合結果情報について誤りがある項目の情報の種類毎にブザー８６の発音やバイブレータ８７の動作を異なる音や振動として使用者に示すものとしても良い。
【００８６】
次いでステップＳｔ２５において、ホストコンピュータ側ＣＰＵ１０２は、上記のステップＳｔ２３において生成した照合結果情報を、ホストコンピュータ側送受信手段１０４に情報処理装置側送受信手段８８を介して情報処理装置側ＣＰＵ８１へ送信させる。次のステップＳｔ２６において、上記情報処理装置側ＣＰＵ８１は上記照合結果情報を受信したか否かを判別し、該情報処理装置側ＣＰＵ８１がこの照合結果情報を受信していないと判別した場合には、ステップＳｔ２５に戻り、該情報処理装置側ＣＰＵ８１が照合結果情報を受信したと判別した場合には、次のステップＳｔ２７に進んで、該情報処理装置側ＣＰＵ８１はこの照合結果情報を情報処理装置側記憶手段８５に格納する。そしてステップＳｔ２８において、情報処理装置側ＣＰＵ８１は、上記表示部２５にこの照合結果情報の内容に応じた表示をさせ、上記ブザー８６を発音させ、或いは、上記バイブレータ８７を動作させて一連の情報の読み取りに係る作業手順が終了する。なお、このステップＳｔ２８における表示部２５の表示，ブザー８６の発音或いはバイブレータ８７の動作については、使用者が予め設定することができ、必ずしも表示，発音或いは動作の全てをさせることが必要なものではない。すなわち、例えば、上記照合結果情報が一方の個別情報と他方の個別情報が一致するものである場合には、上記情報処理装置側ＣＰＵ８１は表示部２５に一致した旨を表示させるとともに長さの短い音をブザー８６に発音させるものとし、上記照合結果情報が一方の個別情報と他方の個別情報が一致せず齟齬がある場合には、該情報処理装置側ＣＰＵ８１は表示部２５に一致しない旨を表示させ、長さの長い音をブザー８６に発音させ、バイブレータ８７を動作させて特に使用者の注意を引くものとしても良い。
【００８７】
このように、この第３の実施の形態に係る情報処理装置１を用いた情報処理システムによれば、ホストコンピュータ１０１と連携してＱＲコード９２の情報とＲＦタグ９３の情報が正しい対応関係にあるものか否かの確認を極めて簡単且つ迅速に確認することができ、この情報処理システムは非常に作業性が高いものとなっている。すなわち、この情報処理装置１とホストコンピュータ１０１を備えた情報処理システムによれば、ＱＲコード９２及びＲＦタグ９３の情報の読み取りとこれらの情報が正しい対応関係にあるか否かの確認を連携した一連の動作として連続的に行うことができることから、ＱＲコード９２及びＲＦタグ９３の情報が正しい対応関係にあるか否か確認する作業をより一層簡単且つ迅速に行うことが可能となる。また、特にこの情報処理装置１においては、上記レンズ２３及びアンテナ３０は、同一の面又はその近傍に配置されてなることから、該レンズ２３によってＱＲコード９２を読み取るのに適した方向と、アンテナ３０によってＲＦタグ９３との情報の受信に適した方向とが一致するものとなり、使用者がＱＲコード９２もＲＦタグ９３も備えた現品票９１と情報処理装置１とを適切な位置関係とした場合には、この位置関係は、レンズ２３によるＱＲコード９２の読み取りにも、アンテナ３０を介したＲＦタグ９３との情報の受信及び／又は送信による読み取り及び／又は書き込みにも適した位置関係となる。したがって、この情報処理装置１は、上述の図１０及び図１１のフローチャートに示す第３の実施の形態のようなＱＲコード９２及びＲＦタグ９３への読み取りの操作とこれらの情報が正しい対応関係にあるか否かの確認の作業をいちどきに（ほぼ同時に）連続して実行するのに適したものとなり、作業性が高いものとなっている。
【００８８】
上述の図１０及び図１１のフローチャートに示す第３の実施の形態では、図５に示す構成の情報処理システム、すなわち、上記情報処理装置１とホストコンピュータ１０１から構成されて現品票９１に対して処理を行う情報処理システムについて、上記情報処理装置１とホストコンピュータ１０１とを連携させて現品票９１のＱＲコード９２及びＲＦタグ９３に対して情報の処理をするものとして、ＱＲコード９２及びＲＦタグ９３の情報が正しい対応関係にあるものであるか否かの確認を一連の動作として連続的に行う情報処理システムとして設定して使用する場合の作業手順について説明した。しかし、この図５に示す構成の情報処理システムで行うＱＲコード９２及びＲＦタグ９３の情報が正しい対応関係にあるものであるか否かの確認の情報の処理の作業は上第３の実施の形態のようなものに限られるものではなく、この情報処理システム及び上記情報処理装置１等の動作については上述の通り使用者が様々に設定することができる。すなわち、図５に示す構成の情報処理システムは、情報処理装置１とホストコンピュータ１０１が連携して動作するシステムであって、情報処理装置１の情報処理装置側記憶手段８５内に格納されていない個別情報についてホストコンピュータ１０１のホストコンピュータ側記憶手段１０３内に格納された個別情報のデータベースから読み出してこれを用いる構成とされているが、この個別情報のデータベースを情報処理装置側記憶手段８５内に格納するものとし、これにより図５に示す構成の情報処理システムを、情報処理装置１とホストコンピュータ１０１が連携して動作するものとはせず、情報処理装置１のみが単独で動作するシステムとしても良い。
【００８９】
次に、第４の実施の形態であって、この情報処理装置１のみが単独で動作する構成の情報処理システムを、ＱＲコード９２及びＲＦタグ９３の情報が正しい対応関係にあるものであるか否かの確認を一連の動作として連続的に行う情報処理システムとして設定して使用する場合の作業手順を、図１２及び図１３に示すフローチャートに従い説明する。なお、この図１２及び図１３のフローチャートに示す第４の実施の形態は、本発明の上述した第８の発明に当たるものである。また、この第４の実施の形態での左トリガー４２（又は右トリガー４４）は、上記第８の発明を構成する共通読取トリガーである。なお、以下の図１２及び図１３に示す第４の実施の形態では、上述した第１ないし第３の実施の形態と同じ構成や同じ動作を行うものが多いため、このような上述した第１ないし第３の実施の形態と重複する構成や動作については詳細な説明を省略する。
【００９０】
先ず使用者は、上述した実施の形態と同様に、装着ベルト１２により自己の右手Ｈの人差指Ｆ１及び中指Ｆ２に情報処理装置１を装着し（図４参照）、また、図５に示すスイッチ２６を押下操作して該情報処理装置１の電源を入れる。次いで使用者は、装着した情報処理装置１を、図４に示すハウジング１１の上面２１に配置されたレンズ２３を上記現品票９１と対向するような位置関係とした上で、親指Ｆ３で左トリガー４２（共通読取トリガー）を押下する（ステップＳｔ１）。
【００９１】
次のステップＳｔ２において、情報処理装置側ＣＰＵ８１は上記ステップＳｔ１において左トリガー４２が押下されたか否かについて判別し、該情報処理装置側ＣＰＵ８１が該左トリガー４２は押下されていないと判別した場合にはステップＳｔ１に戻り、該左トリガー４２は押下されたと判別した場合には、次のステップＳｔ３に進んで該情報処理装置側ＣＰＵ８１は上記コード情報読取手段８２によりＱＲコード９２を読み取らせる（スキャニングする）。なお、情報処理装置側ＣＰＵ８１は、このステップＳｔ３において上記コード情報読取手段８２によりＱＲコード９２を読み取らせると同時に、後述するステップＳｔ１４において電子情報読取手段８３によりＲＦタグ９３を読み取らせているが、このステップＳｔ１４以降については後述する。そして次のステップＳｔ４において、ステップＳｔ３において上記コード情報読取手段８２が読み取ったか否かについて情報処理装置側ＣＰＵ８１が判別し、ＱＲコード９２が読み取られていないと判別した場合にはステップＳｔ３に戻り、ＱＲコード９２が読み取られたと判別した場合には、次のステップＳｔ５において、この読み取ったＱＲコード９２の情報（識別コード情報）を情報処理装置側記憶手段８５に格納し、ほぼ同時期のステップＳｔ６において、この識別コード情報を上記表示部２５に表示させるとともに、ほぼ同時期のステップＳｔ７において、上記ブザー８６を発音させて使用者にＱＲコード９２の識別コード情報を読み取ったことを知らせる。
【００９２】
次いで、ステップＳｔ８において、情報処理装置側ＣＰＵ８１は、上記情報処理装置側記憶手段８５に予め格納されていた特定の個別情報のデータベースの中からこの識別コード情報に対応する特定の個別情報を読み出す。そして、次のステップＳｔ９において、情報処理装置側ＣＰＵ８１は上記の識別コード情報と対応する特定の個別情報があるか否かを判別し、上記の識別コード情報と対応する特定の個別情報がないと判別した場合には、ステップＳｔ１０により情報処理装置１の表示部２５にエラー表示（読み取ったＱＲコードに該当する識別コード情報が無い旨，ＱＲコードの読取に失敗した旨等）をさせるとともにステップＳｔ１に戻り、上記の識別コード情報と対応する特定の個別情報があると判別した場合には、次のステップＳｔ１１に進んでこの識別コード情報と対応する特定の個別情報を一方の個別情報として情報処理装置側記憶手段８５に格納する。なお、このステップＳｔ１１において情報処理装置側ＣＰＵ８１が情報処理装置側記憶手段８５に格納した一方の個別情報は、後述するステップＳｔ１９において情報処理装置側ＣＰＵ８１が後述する他方の個別情報と照合する。また、上記ステップＳｔ１１とほぼ同時期のステップＳｔ１２において、この特定の個別情報（一方の個別情報）を上記表示部２５に表示させるとともに、ほぼ同時期のステップＳｔ１３において、上記ブザー８６を発音させて使用者に一方の個別情報を読み出したことを知らせる。
【００９３】
また、上述の通り、情報処理装置側ＣＰＵ８１は、ステップＳｔ３において上記コード情報読取手段８２によりＱＲコード９２を読み取らせると同時に、ステップＳｔ１４において電子情報読取手段８３によりＲＦタグ９３の特定の個別情報を読み取らせ、そして次のステップＳｔ１５において、ステップＳｔ１４において該電子情報読取手段８３が読み取ったか否かについて情報処理装置側ＣＰＵ８１が判別し、該特定の個別情報が読み取られていないと判別した場合にはステップＳｔ１４に戻り、該特定の個別情報が読み取られたと判別した場合には、次のステップＳｔ１６において、この読み取った特定の個別情報を他方の個別情報として情報処理装置側記憶手段８５に格納し、ほぼ同時期のステップＳｔ１７において、この特定の個別情報を上記表示部２５に表示させるとともに、ほぼ同時期のステップＳｔ１８において、上記ブザー８６を発音させて使用者にＲＦタグの９３の特定の個別情報を読み取ったことを知らせる。
【００９４】
次いで、ステップＳｔ１９において、情報処理装置側ＣＰＵ８１は、上記ステップＳｔ１１において情報処理装置側記憶手段８１に格納した一方の個別情報を読み出すとともに、ステップＳｔ１６において格納した他方の個別情報を読み出し、これら一方の個別情報と他方の個別情報とを照合し、この照合の結果に基づいて照合結果情報を生成する。そして、ステップＳｔ２０において、情報処理装置側ＣＰＵ８１は、この生成した照合結果情報を、情報処理装置側記憶手段８５に格納する。なお、ステップＳｔ１９において情報処理装置側ＣＰＵ８１が生成する照合結果情報とは、上記情報処理装置１が読み取った現品票９１のＱＲコード９２の識別コード情報と、ＲＦタグ９３の個別情報とが正しい対応関係にあるか否かについて照合した結果を示す情報であって、上述した第３の実施の形態で生成する照合結果情報と同様なものである。
【００９５】
次いでステップＳｔ２１において、情報処理装置側ＣＰＵ８１は、上記表示部２５にこの照合結果情報の内容に応じた表示をさせ、上記ブザー８６を発音させ、或いは、上記バイブレータ８７を動作させて一連の情報の読み取りに係る作業手順が終了する。なお、このステップＳｔ２１における表示部２５の表示，ブザー８６の発音或いはバイブレータ８７の動作については、使用者が予め設定することができ、必ずしも表示，発音或いは動作の全てをさせることが必要なものではない。すなわち、例えば、上記照合結果情報が一方の個別情報と他方の個別情報が一致するものである場合には、上記情報処理装置側ＣＰＵ８１は表示部２５に一致した旨を表示させるとともに長さの短い音をブザー８６に発音させるものとし、上記照合結果情報が一方の個別情報と他方の個別情報が一致せず齟齬がある場合には、該情報処理装置側ＣＰＵ８１は表示部２５に一致しないを表示させ、長さの長い音をブザー８６に発音させ、バイブレータ８７を動作させて特に使用者の注意を引くものとしても良い。
【００９６】
このように、この第４の実施の形態に係る情報処理装置１を用いた情報処理システムによれば、ＱＲコード９２の情報とＲＦタグ９３の情報が正しい対応関係にあるものか否かの確認を極めて簡単且つ迅速に確認することができ、この情報処理システムは非常に作業性が高いものとなっている。すなわち、この情報処理装置１からなる情報処理システムによれば、ＱＲコード９２及びＲＦタグ９３の情報の読み取りとこれらの情報が正しい対応関係にあるか否かの確認を連携した一連の動作として連続的に行うことができることから、ＱＲコード９２及びＲＦタグ９３の情報が正しい対応関係にあるか否か確認する作業をより一層簡単且つ迅速に行うことが可能となる。また、特にこの情報処理装置１においては、上記レンズ２３及びアンテナ３０は、同一の面又はその近傍に配置されてなることから、該レンズ２３によってＱＲコード９２を読み取るのに適した方向と、アンテナ３０によってＲＦタグ９３との情報の受信に適した方向とが一致するものとなり、使用者がＱＲコード９２もＲＦタグ９３も備えた現品票９１と情報処理装置１とを適切な位置関係とした場合には、この位置関係は、レンズ２３によるＱＲコード９２の読み取りにも、アンテナ３０を介したＲＦタグ９３との情報の受信及び／又は送信による読み取り及び／又は書き込みにも適した位置関係となる。したがって、この情報処理装置１は、上述の図１２及び図１３のフローチャートに示す第４の実施の形態のようなＱＲコード９２及びＲＦタグ９３への読み取りの操作とこれらの情報が正しい対応関係にあるか否かの確認の作業をいちどきに（ほぼ同時に）連続して実行するのに適したものとなり、作業性が高いものとなっている。
【００９７】
この発明の実施の形態に係る情報処理システムは、上記実施の形態の説明より明らかなように、上述の第１又は第３の実施の形態に示す情報処理システムのように、使用者の設定によって情報処理装置１と他のコンピュータであるホストコンピュータ１０１と連携した一連の動作を連続的に行うことができるように設定することができ、更に、上述の第２又は第４の実施の形態に示す情報処理システムのように、上記情報処理装置１単独のみでも動作するように様々に設定することができる。また、上記第１及び第２の実施の形態に示す情報処理システムの動作においては、上記ＱＲコード９２の識別コード情報の読み取りから上記ＲＦタグ９３への個別情報の書き込みまでの一連の手順については、使用者が行う操作は左トリガー４２（又は右トリガー４４）の操作を一回行うのみで自動的に進行し、また、上記第３及び第４の実施の形態に示す情報処理システムの動作においては、上記ＱＲコード９２の識別コード情報及びＲＦタグ９３の読み取りから、これらの情報が正しい対応関係にあるか否かの確認までの一連の手順については、使用者が行う操作は左トリガー４２（又は右トリガー４４）の操作を一回行うのみで自動的に進行する。しかし、上述の第１ないし第４の実施の形態に示す情報処理システムでの左トリガー４２（又は右トリガー４４）の操作とは別の新たなトリガーの操作をこの情報処理システムの動作の要件としても良い。ここでいうこの情報処理システムの動作の要件となる別の新たなトリガーの操作としては、上述した情報処理装置１の左トリガー４２（又は右トリガー４４）を再度操作させるものとしても良いが、一度目の左トリガー４２（又は右トリガー４４）の操作の後、二度目の右トリガー４４（又は左トリガー４２）を操作することを要件としても良く、或いは、図示は省略するが、上述した情報処理装置１の左トリガー４２（又は右トリガー４４）（以下、第１のトリガーという。）とは別の新たなトリガーとなるスイッチ（以下、第２のトリガーという。）を該情報処理装置１に設けるものとしても良い。この第１のトリガーと第２のトリガーは、上記情報処理装置１のハウジング１１においてそれぞれ異なる箇所に第１のトリガーと第２のトリガーとなるスイッチを別々に設けるものとしても良く、或いは、前後又は左右にシーソー状に傾斜させて操作する一つのスイッチを設け、該スイッチを前方（左方）に操作した場合には上記第１のトリガーとして作動するものとし、該スイッチを後方（右方）に操作した場合には上記第２のトリガーとして作動するものとしても良い。なお、上記のように同一のトリガーを二度操作するものとする場合には、一度目のトリガーの操作を、第１のトリガーの操作として扱い、また、二度目のトリガーの操作を、第２のトリガーの操作として扱う。
【００９８】
すなわち、上記第１及び第２の実施の形態については、使用者による第１のトリガーの操作により、ＱＲコードの識別コード情報の読み取りを行い、この第１のトリガーの操作により読み取った識別コード情報の内容を表示部２５に表示されるものとし、使用者がこの表示部２５の表示内容と現品票９１が貼付された商品などとの対応関係が正しいことを使用者が目視で確認した上で、使用者による第２のトリガーの操作により、ＲＦタグへの特定の個別情報の書き込みを行うものとしても良い。上記第１の実施の形態を、このような第１及び第２のトリガーの操作を動作の要件とした場合の実施の形態を、第５の実施の形態とし、また、上記第２の実施の形態を、このような第１及び第２のトリガーの操作を動作の要件とした場合の実施の形態を、第６の実施の形態として、以下説明する。また、上記第３及び第４の実施の形態であれば、使用者による第１のトリガーの操作により、ＱＲコードの識別コード情報の読み取りを行い、この第１のトリガーの操作により読み取った識別コード情報の内容を表示部２５に表示されるものとし、使用者による第２のトリガーの操作により、ＲＦタグの特定の個別情報の読み取りを行い、この第２のトリガーの操作により読み取った特定の個別情報の内容を表示部２５に表示されるものとし、この表示部２５の表示内容により識別コード情報と特定の個別情報とが正しく読み取れたことを使用者が目視で確認した上で、これらの情報が正しい対応関係にあるか否かを表示等をさせるものとしても良い。上記第３の実施の形態を、このような第１及び第２のトリガーの操作を動作の要件とした場合の実施の形態を、第７の実施の形態とし、また、上記第４の実施の形態を、このような第１及び第２のトリガーの操作を動作の要件とした場合の実施の形態を、第８の実施の形態として、以下説明する。なお、以下の第５ないし第８の実施の形態での情報処理装置１の構成は、上述した第１ないし第４の実施の形態の情報処理装置１と同一のものであるが、上記左トリガー４２（又は右トリガー４４）を一度目に操作する場合には、これを上記の第１のトリガーの操作として扱い、また、該左トリガー４２（又は右トリガー４４）を二度目に操作する場合には、これを上記の第２のトリガーの操作として扱う。
【００９９】
次に、上記情報処理システムについて、上述の第５の実施の形態として動作させる場合の一連の情報の読み取り及び書き込みの手順を、図１４及び図１５に示すフローチャートに従い説明する。なお、この図１４及び図１５のフローチャートに示す第５の実施の形態は、本発明の上述した第１の発明に当たるものである。また、この第５の実施の形態での左トリガー４２及び右トリガー４４は、上述の通り、上記第１の発明を構成する第１のトリガー及び第２のトリガーである。なお、以下の図１４及び図１５に示す第５の実施の形態では、上述した第１ないし第４の実施の形態と同じ構成や同じ動作を行うものが多いため、このような上述した第１ないし第４の実施の形態と重複する構成や動作については詳細な説明を省略する。
【０１００】
先ず使用者は、上述した実施の形態と同様に、装着ベルト１２により自己の右手Ｈの人差指Ｆ１及び中指Ｆ２に情報処理装置１を装着し（図４参照）、また、図５に示すスイッチ２６を押下操作して該情報処理装置１の電源を入れる。次いで使用者は、装着した情報処理装置１を、図４に示すハウジング１１の上面２１に配置されたレンズ２３を上記現品票９１と対向するような位置関係とした上で、親指Ｆ３で左トリガー４２（第１のトリガー）を押下する（ステップＳｔ１）。
【０１０１】
次のステップＳｔ２において、情報処理装置側ＣＰＵ８１は上記ステップＳｔ１において左トリガー４２が押下されたか否かについて判別し、該情報処理装置側ＣＰＵ８１が該左トリガー４２は押下されていないと判別した場合にはステップＳｔ１に戻り、該左トリガー４２は押下されたと判別した場合には、次のステップＳｔ３に進んで該情報処理装置側ＣＰＵ８１は上記コード情報読取手段８２によりＱＲコード９２を読み取らせる（スキャニングする）。次のステップＳｔ４において、ステップＳｔ３において上記コード情報読取手段８２が読み取ったか否かについて情報処理装置側ＣＰＵ８１が判別し、ＱＲコード９２が読み取られていないと判別した場合にはステップＳｔ３に戻り、ＱＲコード９２が読み取られたと判別した場合には、次のステップＳｔ５において、この読み取ったＱＲコード９２の情報（識別コード情報）を情報処理装置側記憶手段８５に格納し、ほぼ同時期のステップＳｔ６において、この識別コード情報を上記表示部２５に表示させるとともに、ほぼ同時期のステップＳｔ７において、上記ブザー８６を発音させて使用者にＱＲコード９２の識別コード情報を読み取ったことを知らせる。
【０１０２】
次いで、ステップＳｔ８において、上記情報処理装置側ＣＰＵ８１は、上記情報処理装置側送受信手段８８に識別コード情報を上記ホストコンピュータ１０１のホストコンピュータ側送受信手段１０４へ送信させる。そして、次のステップＳｔ９において、ホストコンピュータ側ＣＰＵ１０２は、ホストコンピュータ側送受信手段１０４が上記識別コード情報を受信したか否かについて判別し、この識別コード情報を受信していないと判別した場合にはステップＳｔ８に戻り、この識別コード情報を受信したと判別した場合には、ホストコンピュータ側ＣＰＵ１０２は、ステップＳｔ１０において、この識別コード情報を上記表示手段１０６に表示させるとともに、ほぼ同時期のステップＳｔ１１において、上記ホストコンピュータ側記憶手段１０３に予め格納されていた特定の個別情報のデータベースの中からこの識別コード情報に対応する特定の個別情報を読み出す。
【０１０３】
そして、次のステップＳｔ１２において、ホストコンピュータ側ＣＰＵ１０２は上記の識別コード情報と対応する特定の個別情報があるか否かを判別し、上記の識別コード情報と対応する特定の個別情報がないと判別した場合には、ステップＳｔ１４により情報処理装置１の表示部２５にエラー表示（読み取ったＱＲコードに該当する識別コード情報が無い旨，ＱＲコードの読取に失敗した旨等）をさせるとともにステップＳｔ１に戻り、上記の識別コード情報と対応する特定の個別情報があると判別した場合には、次のステップＳｔ１３に進んでこの識別コード情報をホストコンピュータ側記憶手段１０３に格納する。
【０１０４】
次いでステップＳｔ１５において、ホストコンピュータ側ＣＰＵ１０２は、上記のステップＳｔ１１において読み出した特定の個別情報を、ホストコンピュータ側送受信手段１０４に情報処理装置側送受信手段８８を介して情報処理装置側ＣＰＵ８１へ送信させる。次のステップＳｔ１６において、上記情報処理装置側ＣＰＵ８１は上記特定の個別情報を受信したか否かを判別し、該情報処理装置側ＣＰＵ８１がこの特定の個別情報を受信していないと判別した場合には、ステップＳｔ１５に戻り、該情報処理装置側ＣＰＵ８１が特定の個別情報が受信したと判別した場合には、次のステップＳｔ１７に進んで、該情報処理装置側ＣＰＵ８１はこの特定の個別情報を情報処理装置側記憶手段８５に格納し、ほぼ同時期のステップＳｔ１８において、この特定の個別情報を上記表示部２５に表示させるとともに、ほぼ同時期のステップＳｔ１９において、上記ブザー８６を発音させて使用者に特定の個別情報を受信したことを知らせて次のステップＳｔ２０に進む。なお、上記ステップＳｔ１８において、情報処理装置側ＣＰＵ８１が上記ＱＲコード９２を貼付した商品等の特定の個別情報、特に該商品等の名称等のような使用者が理解しやすい情報を、表示部２５に表示させることにより、使用者は自己がステップＳｔ１において左トリガー４２を押下して読み取った商品等の特定の個別情報を目視で確認することができる。
【０１０５】
次いで、ステップＳｔ２０において、情報処理装置側ＣＰＵ８１は、上記のステップＳｔ１７において格納された特定の個別情報が、先のステップＳｔ５において情報処理装置側記憶手段８５に格納した識別コード情報（ＱＲコード９２の読取コード情報）と互いに正しく対応するものであるかを判別する。そして、次のステップＳｔ２１において、情報処理装置側ＣＰＵ８１は、上記の特定の個別情報と識別コード情報とが正しく対応するものであるか否かが判別した結果について、該情報処理装置側ＣＰＵ８１が上記の特定の個別情報と識別コード情報とが正しく対応するものでないと判別した場合には、ステップＳｔ１１に戻る。また、情報処理装置側ＣＰＵ８１が特定の個別情報と識別コード情報とが正しく対応するものであると判別した場合には、次のステップＳｔ２２に進んで、使用者は、上記ステップＳｔ１８で表示部２５に表示された特定の個別情報を目視で確認した上で、右トリガー４４（第２のトリガー）を押下する。そして、次のステップＳｔ２３において、情報処理装置側ＣＰＵ８１は上記ステップＳｔ２２において右トリガー４４が押下されたか否かについて判別し、該情報処理装置側ＣＰＵ８１が該右トリガー４４は押下されていないと判別した場合にはステップＳｔ２２に戻り、該右トリガー４４は押下されたと判別した場合には、次のステップＳｔ２４に進んで該情報処理装置側ＣＰＵ８１は、上記特定の個別情報を電子情報書込手段８４に上記現品票９１のＲＦタグ９３へ送信させる。
【０１０６】
次のステップＳｔ２５において、ＲＦタグ９３の情報処理手段９４は、特定の個別情報を受信したか否かについて判別し、特定の個別情報を受信していないと判別した場合にはステップＳｔ２４に戻り、特定の個別情報を受信したと判別した場合には、次のステップＳｔ２６に進んで該特定の個別情報を上記ＲＦタグ側記憶手段９５に格納する（書き込みする）。そして、ステップＳｔ２７において、情報処理装置側ＣＰＵ８１は、ＲＦタグ９３への特定の個別情報の書き込みが完了したことについて、上記ブザー８６を発音させて使用者に特定の個別情報が受信されたことを知らせ、一連の情報の読み取り及び書き込みに係る作業手順が終了する。
【０１０７】
このように、この第５の実施の形態に係る情報処理装置１を用いた情報処理システムによれば、ホストコンピュータ１０１と連携してＱＲコード９２の情報とＲＦタグ９３の情報を極めて簡単且つ迅速に一致させることができ、この情報処理システムは非常に作業性が高いものとなっているとともに、ＲＦタグ９３に特定の個別情報を書き込む前に使用者が目視でこの特定の個別情報を確認することができることから、作業の確実性も高いものとなっている。すなわち、この情報処理装置１とホストコンピュータ１０１を備えた情報処理システムによれば、ＱＲコード９２の情報の読み取りと、このＱＲコード９２の情報に対応する情報についてのＲＦタグ９３への情報の書き込みとを連携した一連の動作として連続的に行うことができることから、ＱＲコード９２の情報とＲＦタグ９３の情報とを一致させる作業をより一層簡単且つ迅速に行うことが可能となり、また、特定の個別情報を表示させた上でＲＦタグ９３に書き込む際に改めて右トリガー４４（第２のトリガー）を押下するものとされていることから、作業の確実性も高いものとなっている。また、特にこの情報処理装置１においては、上記レンズ２３及びアンテナ３０は、同一の面又はその近傍に配置されてなることから、該レンズ２３によってＱＲコード９２を読み取るのに適した方向と、アンテナ３０によってＲＦタグ９３との情報の送信に適した方向とが一致するものとなり、使用者がＱＲコード９２もＲＦタグ９３も備えた現品票９１と情報処理装置１とを適切な位置関係とした場合には、この位置関係は、レンズ２３によるＱＲコード９２の読み取りにも、アンテナ３０を介したＲＦタグ９３との情報の受信及び／又は送信による読み取り及び／又は書き込みにも適した位置関係となる。したがって、この情報処理装置１は、上述の図１４及び図１５のフローチャートに示す第５の実施の形態のようなＱＲコード９２の読み取りの操作とＲＦタグ９３への書き込みの操作をいちどきに（ほぼ同時に）連続して実行するのに適したものとなり、作業性が高いものとなっている。
【０１０８】
次に、上記情報処理システムについて、上述の第６の実施の形態として動作させる場合の一連の情報の読み取り及び書き込みの手順を、図１６及び図１７に示すフローチャートに従い説明する。なお、この図１６及び図１７のフローチャートに示す第６の実施の形態は、本発明の上述した第３の発明に当たるものである。また、この第６の実施の形態での左トリガー４２及び右トリガー４４は、上述の通り、上記第３の発明を構成する第１のトリガー及び第２のトリガーである。なお、以下の図１６及び図１７に示す第５の実施の形態では、上述した第１ないし第５の実施の形態と同じ構成や同じ動作を行うものが多いため、このような上述した第１ないし第５の実施の形態と重複する構成や動作については詳細な説明を省略する。
【０１０９】
先ず使用者は、上述した実施の形態と同様に、装着ベルト１２により自己の右手Ｈの人差指Ｆ１及び中指Ｆ２に情報処理装置１を装着し（図４参照）、また、図５に示すスイッチ２６を押下操作して該情報処理装置１の電源を入れる。次いで使用者は、装着した情報処理装置１を、図４に示すハウジング１１の上面２１に配置されたレンズ２３を上記現品票９１と対向するような位置関係とした上で、親指Ｆ３で左トリガー４２（第１のトリガー）を押下する（ステップＳｔ１）。
【０１１０】
次のステップＳｔ２において、情報処理装置側ＣＰＵ８１は上記ステップＳｔ１において左トリガー４２が押下されたか否かについて判別し、該情報処理装置側ＣＰＵ８１が該左トリガー４２は押下されていないと判別した場合にはステップＳｔ１に戻り、該左トリガー４２は押下されたと判別した場合には、次のステップＳｔ３に進んで該情報処理装置側ＣＰＵ８１は上記コード情報読取手段８２によりＱＲコード９２を読み取らせる（スキャニングする）。次のステップＳｔ４において、ステップＳｔ３において上記コード情報読取手段８２が読み取ったか否かについて情報処理装置側ＣＰＵ８１が判別し、ＱＲコード９２が読み取られていないと判別した場合にはステップＳｔ３に戻り、ＱＲコード９２が読み取られたと判別した場合には、次のステップＳｔ５において、この読み取ったＱＲコード９２の情報（識別コード情報）を情報処理装置側記憶手段８５に格納し、ほぼ同時期のステップＳｔ６において、この識別コード情報を上記表示部２５に表示させるとともに、ほぼ同時期のステップＳｔ７において、上記ブザー８６を発音させて使用者にＱＲコード９２の識別コード情報を読み取ったことを知らせる。
【０１１１】
次いで、ステップＳｔ８において、情報処理装置側ＣＰＵ８１は、上記情報処理装置側記憶手段８５に予め格納されていた特定の個別情報のデータベースの中からこの識別コード情報に対応する特定の個別情報を読み出す。そして、次のステップＳｔ９において、情報処理装置側ＣＰＵ８１は上記の識別コード情報と対応する特定の個別情報があるか否かを判別し、上記の識別コード情報と対応する特定の個別情報がないと判別した場合には、ステップＳｔ１０により情報処理装置１の表示部２５にエラー表示（読み取ったＱＲコードに該当する識別コード情報が無い旨，ＱＲコードの読取に失敗した旨等）をさせるとともにステップＳｔ１に戻り、上記の識別コード情報と対応する特定の個別情報があると判別した場合には、次のステップＳｔ１１に進んでこの識別コード情報を情報処理装置側記憶手段８５に格納し、ほぼ同時期のステップＳｔ１２において、この特定の個別情報を上記表示部２５に表示させるとともに、ほぼ同時期のステップＳｔ１３において、上記ブザー８６を発音させて使用者に特定の個別情報を受信したことを知らせて次のステップＳｔ１４に進む。なお、上記ステップＳｔ１２において、情報処理装置側ＣＰＵ８１が上記ＱＲコード９２を貼付した商品等の特定の個別情報、特に該商品等の名称等のような使用者が理解しやすい情報を、表示部２５に表示させることにより、使用者は自己がステップＳｔ１において左トリガー４２を押下して読み取った商品等の特定の個別情報を目視で確認することができる。
【０１１２】
次いで、ステップＳｔ１４において、使用者は、上記ステップＳｔ１２で表示部２５に表示された特定の個別情報を目視で確認した上で、右トリガー４４（第２のトリガー）を押下する。そして、次のステップＳｔ１５において、情報処理装置側ＣＰＵ８１は上記ステップＳｔ１４において右トリガー４４が押下されたか否かについて判別し、該情報処理装置側ＣＰＵ８１が該右トリガー４４は押下されていないと判別した場合にはステップＳｔ１４に戻り、該右トリガー４４は押下されたと判別した場合には、次のステップＳｔ１６に進んで、情報処理装置側ＣＰＵ８１は、上記のステップＳｔ１１において格納した特定の個別情報を電子情報書込手段８４に上記現品票９１のＲＦタグ９３へ送信させる。そして、次のステップＳｔ１７において、ＲＦタグ９３の情報処理手段９４は、特定の個別情報を受信したか否かについて判別し、特定の個別情報を受信していないと判別した場合にはステップＳｔ１６に戻り、特定の個別情報を受信したと判別した場合には、次のステップＳｔ１８に進んで該特定の個別情報を上記ＲＦタグ側記憶手段９５に格納する（書き込みする）。そして、ステップＳｔ１９において、情報処理装置側ＣＰＵ８１は、ＲＦタグ９３への特定の個別情報の書き込みが完了したことについて、上記ブザー８６を発音させて使用者に特定の個別情報が受信されたことを知らせ、一連の情報の読み取り及び書き込みに係る作業手順が終了する。
【０１１３】
このように、この第６の実施の形態に係る情報処理装置１を用いた情報処理システムによれば、ＱＲコード９２の情報とＲＦタグ９３の情報を極めて簡単且つ迅速に一致させることができ、この情報処理システムは非常に作業性が高いものとなっているともに、ＲＦタグ９３に特定の個別情報を書き込む前に使用者が目視でこの特定の個別情報を確認することができることから、作業の確実性も高いものとなっている。すなわち、この情報処理装置１からなる情報処理システムによれば、ＱＲコード９２の情報の読み取りと、このＱＲコード９２の情報に対応する情報についてのＲＦタグ９３への情報の書き込みとを連携した一連の動作として連続的に行うことができることから、ＱＲコード９２の情報とＲＦタグ９３の情報とを一致させる作業をより一層簡単且つ迅速に行うことが可能となり、また、特定の個別情報を表示させた上でＲＦタグ９３に書き込む際に改めて右トリガー４４を押下するものとされていることから、作業の確実性も高いものとなっている。また、特にこの情報処理装置１においては、上記レンズ２３及びアンテナ３０は、同一の面又はその近傍に配置されてなることから、該レンズ２３によってＱＲコード９２を読み取るのに適した方向と、アンテナ３０によってＲＦタグ９３との情報の送信に適した方向とが一致するものとなり、使用者がＱＲコード９２もＲＦタグ９３も備えた現品票９１と情報処理装置１とを適切な位置関係とした場合には、この位置関係は、レンズ２３によるＱＲコード９２の読み取りにも、アンテナ３０を介したＲＦタグ９３との情報の受信及び／又は送信による読み取り及び／又は書き込みにも適した位置関係となる。したがって、この情報処理装置１は、上述の図１６及び図１７のフローチャートに示す第６の実施の形態のようなＱＲコード９２の読み取りの操作とＲＦタグ９３への書き込みの操作をいちどきに（ほぼ同時に）連続して実行するのに適したものとなり、作業性が高いものとなっている。
【０１１４】
次に、上記情報処理システムについて、上述の第７の実施の形態として動作させる場合の一連の情報の読み取り及び書き込みの手順を、図１８及び図１９に示すフローチャートに従い説明する。なお、この図１８及び図１９のフローチャートに示す第７の実施の形態は、本発明の上述した第５の発明に当たるものである。また、この第７の実施の形態での左トリガー４２及び右トリガー４４は、上述の通り、上記第５の発明を構成する第１のトリガー及び第２のトリガーである。なお、以下の図１６及び図１７に示す第７の実施の形態では、上述した第１ないし第６の実施の形態と同じ構成や同じ動作を行うものが多いため、このような上述した第１ないし第６の実施の形態と重複する構成や動作については詳細な説明を省略する。
【０１１５】
先ず使用者は、上述した実施の形態と同様に、装着ベルト１２により自己の右手Ｈの人差指Ｆ１及び中指Ｆ２に情報処理装置１を装着し（図４参照）、また、図５に示すスイッチ２６を押下操作して該情報処理装置１の電源を入れる。次いで使用者は、装着した情報処理装置１を、図４に示すハウジング１１の上面２１に配置されたレンズ２３を上記現品票９１と対向するような位置関係とした上で、親指Ｆ３で左トリガー４２（第１のトリガー）を押下する（ステップＳｔ１）。
【０１１６】
次のステップＳｔ２において、情報処理装置側ＣＰＵ８１は上記ステップＳｔ１において左トリガー４２が押下されたか否かについて判別し、該情報処理装置側ＣＰＵ８１が該左トリガー４２は押下されていないと判別した場合にはステップＳｔ１に戻り、該左トリガー４２は押下されたと判別した場合には、次のステップＳｔ３に進んで該情報処理装置側ＣＰＵ８１は上記コード情報読取手段８２によりＱＲコード９２を読み取らせる（スキャニングする）。そして次のステップＳｔ４において、ステップＳｔ３において上記コード情報読取手段８２が読み取ったか否かについて情報処理装置側ＣＰＵ８１が判別し、ＱＲコード９２が読み取られていないと判別した場合にはステップＳｔ３に戻り、ＱＲコード９２が読み取られたと判別した場合には、次のステップＳｔ５において、この読み取ったＱＲコード９２の情報（識別コード情報）を情報処理装置側記憶手段８５に格納し、ほぼ同時期のステップＳｔ６において、この識別コード情報を上記表示部２５に表示させるとともに、ほぼ同時期のステップＳｔ７において、上記ブザー８６を発音させて使用者にＱＲコード９２の識別コード情報を読み取ったことを知らせる。
【０１１７】
次いで、ステップＳｔ８において、上記情報処理装置側ＣＰＵ８１は、上記情報処理装置側送受信手段８８に識別コード情報を上記ホストコンピュータ１０１のホストコンピュータ側送受信手段１０４へ送信させる。そして、次のステップＳｔ９において、ホストコンピュータ側ＣＰＵ１０２は、ホストコンピュータ側送受信手段１０４が上記識別コード情報を受信したか否かについて判別し、この識別コード情報を受信していないと判別した場合にはステップＳｔ８に戻り、この識別コード情報を受信したと判別した場合には、ホストコンピュータ側ＣＰＵ１０２は、ステップＳｔ１０において、この識別コード情報を上記表示手段１０６に表示させるとともに、ほぼ同時期のステップＳｔ１１において、上記ホストコンピュータ側記憶手段１０３に予め格納されていた特定の個別情報のデータベースの中からこの識別コード情報に対応する特定の個別情報を読み出す。
【０１１８】
そして、次のステップＳｔ１２において、ホストコンピュータ側ＣＰＵ１０２は上記の識別コード情報と対応する特定の個別情報があるか否かを判別し、上記の識別コード情報と対応する特定の個別情報がないと判別した場合には、ステップＳｔ１４により情報処理装置１の表示部２５にエラー表示（読み取ったＱＲコードに該当する識別コード情報が無い旨，ＱＲコードの読取に失敗した旨等）をさせるとともにステップＳｔ１に戻り、上記の識別コード情報と対応する特定の個別情報があると判別した場合には、次のステップＳｔ１３に進んでこの識別コード情報をホストコンピュータ側記憶手段１０３に格納するとともに、該識別コード情報と対応する特定の個別情報を一方の個別情報としてホストコンピュータ側記憶手段１０３に格納する。なお、このステップＳｔ１３においてホストコンピュータ側ＣＰＵ１０２がホストコンピュータ側記憶手段１０３に格納した一方の個別情報は、後述するステップＳｔ２５においてホストコンピュータ側ＣＰＵ１０２が後述する他方の個別情報と照合する。
【０１１９】
次いで、ステップＳｔ１５において、使用者は、右トリガー４４（第２のトリガー）を押下する。そして、次のステップＳｔ１６において、情報処理装置側ＣＰＵ８１は上記ステップＳｔ１５において右トリガー４４が押下されたか否かについて判別し、該情報処理装置側ＣＰＵ８１が該右トリガー４４は押下されていないと判別した場合にはステップＳｔ１５に戻る。そして、ステップＳｔ１６において、情報処理装置側ＣＰＵ８１は右トリガー４４が押下されたと判別した場合には、次のステップＳｔ１７に進んで、情報処理装置側ＣＰＵ８１は、電子情報読取手段８３によりＲＦタグ９３の特定の個別情報を読み取らせ、そして次のステップＳｔ１８において、ステップＳｔ１７において該電子情報読取手段８３が読み取ったか否かについて情報処理装置側ＣＰＵ８１が判別し、該特定の個別情報が読み取られていないと判別した場合にはステップＳｔ１７に戻り、該特定の個別情報が読み取られたと判別した場合には、次のステップＳｔ１９において、この読み取った特定の個別情報を他方の個別情報として情報処理装置側記憶手段８５に格納し、ほぼ同時期のステップＳｔ２０において、この特定の個別情報を上記表示部２５に表示させるとともに、ほぼ同時期のステップＳｔ２１において、上記ブザー８６を発音させて使用者にＲＦタグの９３の特定の個別情報を読み取ったことを知らせる。
【０１２０】
次いで、ステップＳｔ２２において、上記情報処理装置側ＣＰＵ８１は、上記情報処理装置側送受信手段８８に他方の個別情報を上記ホストコンピュータ１０１のホストコンピュータ側送受信手段１０４へ送信させる。そして、次のステップＳｔ２３において、ホストコンピュータ側ＣＰＵ１０２は、ホストコンピュータ側送受信手段１０４が上記他方の個別情報を受信したか否かについて判別し、この他方の個別情報を受信していないと判別した場合にはステップＳｔ２２に戻り、この他方の個別情報を受信したと判別した場合には、ホストコンピュータ側ＣＰＵ１０２は、ステップＳｔ２４において、この他方の個別情報を上記表示手段１０６に表示させる。そして、このステップＳｔ２４とほぼ同時期のステップＳｔ２５において、ホストコンピュータ側ＣＰＵ１０２は、上記ステップＳｔ１３においてホストコンピュータ側記憶手段１０３に格納した一方の個別情報を読み出すとともに、この一方の個別情報とステップＳｔ２３において受信した他方の個別情報とを照合し、この照合の結果に基づいて照合結果情報を生成する。そして、ステップＳｔ２６において、ホストコンピュータ側ＣＰＵ１０２は、この生成した照合結果情報と、上記ステップＳｔ２３において受信した他方の個別情報とを、ホストコンピュータ側記憶手段１０３に格納する。なお、ステップＳｔ２５においてホストコンピュータ側ＣＰＵ１０２が生成する照合結果情報とは、上記情報処理装置１が読み取った現品票９１のＱＲコード９２の識別コード情報と、ＲＦタグ９３の個別情報とが正しい対応関係にあるか否かについて照合した結果を示す情報であって、上述した第３の実施の形態で生成する照合結果情報と同様なものである。
【０１２１】
次いでステップＳｔ２７において、ホストコンピュータ側ＣＰＵ１０２は、上記のステップＳｔ２５において生成した照合結果情報を、ホストコンピュータ側送受信手段１０４に情報処理装置側送受信手段８８を介して情報処理装置側ＣＰＵ８１へ送信させる。次のステップＳｔ２８において、上記情報処理装置側ＣＰＵ８１は上記照合結果情報を受信したか否かを判別し、該情報処理装置側ＣＰＵ８１がこの照合結果情報を受信していないと判別した場合には、ステップＳｔ２７に戻り、該情報処理装置側ＣＰＵ８１が照合結果情報を受信したと判別した場合には、次のステップＳｔ２９に進んで、該情報処理装置側ＣＰＵ８１はこの照合結果情報を情報処理装置側記憶手段８５に格納する。そしてステップＳｔ３０において、情報処理装置側ＣＰＵ８１は、上記表示部２５にこの照合結果情報の内容に応じた表示をさせ、上記ブザー８６を発音させ、或いは、上記バイブレータ８７を動作させて一連の情報の読み取りに係る作業手順が終了する。なお、このステップＳｔ２８における表示部２５の表示，ブザー８６の発音或いはバイブレータ８７の動作については、使用者が予め設定することができ、必ずしも表示，発音或いは動作の全てをさせることが必要なものではない。すなわち、例えば、上記照合結果情報が一方の個別情報と他方の個別情報が一致するものである場合には、上記情報処理装置側ＣＰＵ８１は表示部２５に一致した旨を表示させるとともに長さの短い音をブザー８６に発音させるものとし、上記照合結果情報が一方の個別情報と他方の個別情報が一致せず齟齬がある場合には、該情報処理装置側ＣＰＵ８１は表示部２５に一致しない旨を表示させ、長さの長い音をブザー８６に発音させ、バイブレータ８７を動作させて特に使用者の注意を引くものとしても良い。
【０１２２】
このように、この第７の実施の形態に係る情報処理装置１を用いた情報処理システムによれば、ホストコンピュータ１０１と連携してＱＲコード９２の情報とＲＦタグ９３の情報が正しい対応関係にあるものか否かの確認を極めて簡単且つ迅速に確認することができ、この情報処理システムは非常に作業性が高いものとなっているとともに、ＱＲコード９２の情報の読み取りとＲＦタグ９３の情報の読み取りとをそれぞれ使用者の操作によって行うものとなっており、作業を確実に進めることができる。すなわち、この情報処理装置１とホストコンピュータ１０１を備えた情報処理システムによれば、ＱＲコード９２及びＲＦタグ９３の情報の読み取りとこれらの情報が正しい対応関係にあるか否かの確認を連携した一連の動作として連続的に行うことができることから、ＱＲコード９２及びＲＦタグ９３の情報が正しい対応関係にあるか否か確認する作業をより一層簡単且つ迅速に行うことが可能となるとともに、ＱＲコード９２の情報を読み取ったあとにこの読み取った識別コード情報を表示部で確認した上でとＲＦタグ９３の情報の読み取りを行うことから、これら二種類の情報の読み取りを確実に進めることができる。また、特にこの情報処理装置１においては、上記レンズ２３及びアンテナ３０は、同一の面又はその近傍に配置されてなることから、該レンズ２３によってＱＲコード９２を読み取るのに適した方向と、アンテナ３０によってＲＦタグ９３との情報の受信に適した方向とが一致するものとなり、使用者がＱＲコード９２もＲＦタグ９３も備えた現品票９１と情報処理装置１とを適切な位置関係とした場合には、この位置関係は、レンズ２３によるＱＲコード９２の読み取りにも、アンテナ３０を介したＲＦタグ９３との情報の受信及び／又は送信による読み取り及び／又は書き込みにも適した位置関係となる。したがって、この情報処理装置１は、上述の図１８及び図１９のフローチャートに示す第７の実施の形態のようなＱＲコード９２及びＲＦタグ９３への読み取りの操作とこれらの情報が正しい対応関係にあるか否かの確認の作業をいちどきに（ほぼ同時に）連続して実行するのに適したものとなり、作業性が高いものとなっている。
【０１２３】
次に、上記情報処理システムについて、上述の第８の実施の形態として動作させる場合の一連の情報の読み取り及び書き込みの手順を、図２０及び図２１に示すフローチャートに従い説明する。なお、この図２０及び図２１のフローチャートに示す第８の実施の形態は、本発明の上述した第７の発明に当たるものである。また、この第８の実施の形態での左トリガー４２及び右トリガー４４は、上述の通り、上記第７の発明を構成する第１のトリガー及び第２のトリガーである。なお、以下の図２０及び図２１に示す第８の実施の形態では、上述した第１ないし第７の実施の形態と同じ構成や同じ動作を行うものが多いため、このような上述した第１ないし第７の実施の形態と重複する構成や動作については詳細な説明を省略する。
【０１２４】
先ず使用者は、上述した実施の形態と同様に、装着ベルト１２により自己の右手Ｈの人差指Ｆ１及び中指Ｆ２に情報処理装置１を装着し（図４参照）、また、図５に示すスイッチ２６を押下操作して該情報処理装置１の電源を入れる。次いで使用者は、装着した情報処理装置１を、図４に示すハウジング１１の上面２１に配置されたレンズ２３を上記現品票９１と対向するような位置関係とした上で、親指Ｆ３で左トリガー４２（第１のトリガー）を押下する（ステップＳｔ１）。
【０１２５】
次のステップＳｔ２において、情報処理装置側ＣＰＵ８１は上記ステップＳｔ１において左トリガー４２が押下されたか否かについて判別し、該情報処理装置側ＣＰＵ８１が該左トリガー４２は押下されていないと判別した場合にはステップＳｔ１に戻り、該左トリガー４２は押下されたと判別した場合には、次のステップＳｔ３に進んで該情報処理装置側ＣＰＵ８１は上記コード情報読取手段８２によりＱＲコード９２を読み取らせる（スキャニングする）。なお、情報処理装置側ＣＰＵ８１は、このステップＳｔ３において上記コード情報読取手段８２によりＱＲコード９２を読み取らせると同時に、後述するステップＳｔ１４において電子情報読取手段８３によりＲＦタグ９３を読み取らせているが、このステップＳｔ１４については後述する。そして次のステップＳｔ４において、ステップＳｔ３において上記コード情報読取手段８２が読み取ったか否かについて情報処理装置側ＣＰＵ８１が判別し、ＱＲコード９２が読み取られていないと判別した場合にはステップＳｔ３に戻り、ＱＲコード９２が読み取られたと判別した場合には、次のステップＳｔ５において、この読み取ったＱＲコード９２の情報（識別コード情報）を情報処理装置側記憶手段８５に格納し、ほぼ同時期のステップＳｔ６において、この識別コード情報を上記表示部２５に表示させるとともに、ほぼ同時期のステップＳｔ７において、上記ブザー８６を発音させて使用者にＱＲコード９２の識別コード情報を読み取ったことを知らせる。
【０１２６】
次いで、ステップＳｔ８において、情報処理装置側ＣＰＵ８１は、上記情報処理装置側記憶手段８５に予め格納されていた特定の個別情報のデータベースの中からこの識別コード情報に対応する特定の個別情報を読み出す。そして、次のステップＳｔ９において、情報処理装置側ＣＰＵ８１は上記の識別コード情報と対応する特定の個別情報があるか否かを判別し、上記の識別コード情報と対応する特定の個別情報がないと判別した場合には、ステップＳｔ１０により情報処理装置１の表示部２５にエラー表示（読み取ったＱＲコードに該当する識別コード情報が無い旨，ＱＲコードの読取に失敗した旨等）をさせるとともにステップＳｔ１に戻り、上記の識別コード情報と対応する特定の個別情報があると判別した場合には、次のステップＳｔ１１に進んでこの識別コード情報と対応する特定の個別情報を一方の個別情報として情報処理装置側記憶手段８５に格納する。なお、このステップＳｔ１１において情報処理装置側ＣＰＵ８１が情報処理装置側記憶手段８５に格納した一方の個別情報は、後述するステップＳｔ２１において情報処理装置側ＣＰＵ８１が読み出す。また、上記ステップＳｔ１１とほぼ同時期のステップＳｔ１２において、この特定の個別情報（一方の個別情報）を上記表示部２５に表示させるとともに、ほぼ同時期のステップＳｔ１３において、上記ブザー８６を発音させて使用者に一方の個別情報を読み出したことを知らせる。
【０１２７】
次いで、ステップＳｔ１４において、使用者は、上記ステップＳｔ１２で表示部２５に表示された特定の個別情報を目視で確認した上で、右トリガー４４（第２のトリガー）を押下する。そして、次のステップＳｔ１５において、情報処理装置側ＣＰＵ８１は上記ステップＳｔ１４において右トリガー４４が押下されたか否かについて判別し、該情報処理装置側ＣＰＵ８１が該右トリガー４４は押下されていないと判別した場合にはステップＳｔ１４に戻り、該右トリガー４４は押下されたと判別した場合には、次のステップＳｔ１６に進んで、情報処理装置側ＣＰＵ８１は、電子情報読取手段８３によりＲＦタグ９３の特定の個別情報を読み取らせる。そして、次のステップＳｔ１７において、ステップＳｔ１６において電子情報読取手段８３がＲＦタグ９３の特定の個別情報を読み取ったか否かについて情報処理装置側ＣＰＵ８１が判別し、該特定の個別情報が読み取られていないと判別した場合にはステップＳｔ１６に戻り、該特定の個別情報が読み取られたと判別した場合には、次のステップＳｔ１８において、この読み取った特定の個別情報を他方の個別情報として情報処理装置側記憶手段８５に格納し、ほぼ同時期のステップＳｔ１９において、この特定の個別情報を上記表示部２５に表示させるとともに、ほぼ同時期のステップＳｔ２０において、上記ブザー８６を発音させて使用者にＲＦタグの９３の特定の個別情報を読み取ったことを知らせる。
【０１２８】
次いで、ステップＳｔ２１において、情報処理装置側ＣＰＵ８１は、上記ステップＳｔ１１において情報処理装置側記憶手段８１に格納した一方の個別情報を読み出すとともに、ステップＳｔ１８において格納した他方の個別情報を読み出し、これら一方の個別情報と他方の個別情報とを照合し、この照合の結果に基づいて照合結果情報を生成する。そして、ステップＳｔ２２において、情報処理装置側ＣＰＵ８１は、この生成した照合結果情報を、情報処理装置側記憶手段８５に格納する。なお、ステップＳｔ２１において情報処理装置側ＣＰＵ８１が生成する照合結果情報とは、上記情報処理装置１が読み取った現品票９１のＱＲコード９２の識別コード情報と、ＲＦタグ９３の個別情報とが正しい対応関係にあるか否かについて照合した結果を示す情報であって、上述した第３の実施の形態で生成する照合結果情報と同様なものである。
【０１２９】
次いでステップＳｔ２３において、情報処理装置側ＣＰＵ８１は、上記表示部２５にこの照合結果情報の内容に応じた表示をさせ、上記ブザー８６を発音させ、或いは、上記バイブレータ８７を動作させて一連の情報の読み取りに係る作業手順が終了する。なお、このステップＳｔ２３における表示部２５の表示，ブザー８６の発音或いはバイブレータ８７の動作については、使用者が予め設定することができ、必ずしも表示，発音或いは動作の全てをさせることが必要なものではない。すなわち、例えば、上記照合結果情報が一方の個別情報と他方の個別情報が一致するものである場合には、上記情報処理装置側ＣＰＵ８１は表示部２５に一致した旨を表示させるとともに長さの短い音をブザー８６に発音させるものとし、上記照合結果情報が一方の個別情報と他方の個別情報が一致せず齟齬がある場合には、該情報処理装置側ＣＰＵ８１は表示部２５に一致しない旨を表示させ、長さの長い音をブザー８６に発音させ、バイブレータ８７を動作させて特に使用者の注意を引くものとしても良い。
【０１３０】
このように、この第８の実施の形態に係る情報処理装置１を用いた情報処理システムによれば、ＱＲコード９２の情報とＲＦタグ９３の情報が正しい対応関係にあるものか否かの確認を極めて簡単且つ迅速に確認することができ、この情報処理システムは非常に作業性が高いものとなっているとともに、ＱＲコード９２の情報の読み取りとＲＦタグ９３の情報の読み取りとをそれぞれ使用者の操作によって行うものとなっており、作業を確実に進めることができる。すなわち、この情報処理装置１からなる情報処理システムによれば、ＱＲコード９２及びＲＦタグ９３の情報の読み取りとこれらの情報が正しい対応関係にあるか否かの確認を連携した一連の動作として連続的に行うことができることから、ＱＲコード９２及びＲＦタグ９３の情報が正しい対応関係にあるか否か確認する作業をより一層簡単且つ迅速に行うことが可能となるとともに、ＱＲコード９２の情報を読み取ったあとにこの読み取った識別コード情報を表示部で確認した上でとＲＦタグ９３の情報の読み取りを行うことから、これら二種類の情報の読み取りを確実に進めることができる。また、特にこの情報処理装置１においては、上記レンズ２３及びアンテナ３０は、同一の面又はその近傍に配置されてなることから、該レンズ２３によってＱＲコード９２を読み取るのに適した方向と、アンテナ３０によってＲＦタグ９３との情報の受信に適した方向とが一致するものとなり、使用者がＱＲコード９２もＲＦタグ９３も備えた現品票９１と情報処理装置１とを適切な位置関係とした場合には、この位置関係は、レンズ２３によるＱＲコード９２の読み取りにも、アンテナ３０を介したＲＦタグ９３との情報の受信及び／又は送信による読み取り及び／又は書き込みにも適した位置関係となる。したがって、この情報処理装置１は、上述の図２０及び図２１のフローチャートに示す第８の実施の形態のようなＱＲコード９２及びＲＦタグ９３への読み取りの操作とこれらの情報が正しい対応関係にあるか否かの確認の作業をいちどきに（ほぼ同時に）連続して実行するのに適したものとなり、作業性が高いものとなっている。
【０１３１】
このように、この発明の情報処理システムは、使用者が適宜設定を変えることにより、この発明の情報処理システムを、ＱＲコードの読み取りと該ＱＲコードに対応するようなＲＦタグの書き込みを一連に行う処理をするもの（例えば、上述の第１，第２，第５或いは第６の実施の形態）として動作をさせても良く、或いは、ＱＲコードとＲＦタグを読み取ってこれらの対応関係の確認の処理をするもの（例えば、上述の第３，第４，第７或いは第８の実施の形態）として動作をさせても良い。また同様に、この発明の情報処理システムは、使用者が適宜設定を変えることにより、この発明の情報処理システムを、上記の情報処理装置１とホストコンピュータ１０１とが連携して情報の処理をするもの（例えば、上述の第１，第３，第５或いは第７の実施の形態）として動作をさせても良く、或いは、該情報処理装置１のみで情報の処理をするもの（例えば、上述の第２，第４，第６或いは第８の実施の形態）として動作をさせても良い。そして更に、この発明の情報処理システムは、使用する情報処理装置１について、一度の（一つの）トリガーの操作で動作するもの（例えば、上述の第１，第２，第３或いは第４の実施の形態）としても良く、或いは、二度の（二つの）トリガーの操作で動作するもの（例えば、上述の第５，第６，第７或いは第８の実施の形態）としても良い。そして更にこの発明の情報処理システムは、使用者が適宜設定を変えることにより、一つの情報処理装置１を、ＱＲコードの読み取りと該ＱＲコードに対応するＲＦタグの書き込みを一連に行う処理をするものとして動作をさせることができるとともに、ＱＲコードとＲＦタグを読み取ってこれらの対応関係の確認の処理をするものとして動作をさせることもできるものとして設定しても良く、また、この情報処理装置１をホストコンピュータ１０１と連携して情報の処理をさせても良く、或いは、該情報処理装置１のみで情報の処理をするものとしても良い。そして、一つの情報処理装置１がホストコンピュータ１０１と連携して処理する場合であって、ＱＲコードの読み取りと該ＱＲコードに対応するようなＲＦタグの書き込みを一連に行う処理をするものとして動作をさせるか、または、ＱＲコードとＲＦタグを読み取ってこれらの対応関係の確認の処理をするものとして動作をさせることができる場合の実施の形態を、第９の実施の形態として後述する。また同様に、一つの情報処理装置１のみにより処理する場合であって、ＱＲコードの読み取りと該ＱＲコードに対応するようなＲＦタグの書き込みを一連に行う処理をするものとして動作をさせるか、または、ＱＲコードとＲＦタグを読み取ってこれらの対応関係の確認の処理をするものとして動作をさせることができる場合の実施の形態を、第１０の実施の形態として後述する。
【０１３２】
次に、上記情報処理システムについて、上述の第９の実施の形態として動作させる場合のこの情報処理装置１の構成と、一連の情報の読み取り及び書き込みの手順を説明する。なお、この第９の実施の形態は、本発明の上述した第９の発明に当たるものである。また、この第９の実施の形態での左トリガー４２（又は右トリガー４４）は、上記第９の発明を構成する共通トリガーである。また、上記の通り、この第９の実施の形態に係る情報処理システムでは、情報処理装置１はホストコンピュータ１０１と連携して動作をする。なお、第９の実施の形態では、上述した第１ないし第８の実施の形態、特に第１及び第３の実施の形態と同じ構成や同じ動作を行うものが多いため、このような第１及び第３の実施の形態の説明に用いた図６，図７，図１０及び図１１のフローチャートに従い説明するとともに、上述した第１ないし第８の実施の形態と重複する構成や動作については詳細な説明を省略する。
【０１３３】
この第９の実施の形態に係る情報処理システムの情報処理装置１には、特に処理モード選択手段が設けられている。すなわち、上述の通りこの情報処理装置１のハウジング１１にはスイッチ２６，２７，２８，２９が設けられており、使用者は該スイッチ２６，２７，２８，２９を操作することで該情報処理装置１の設定を変更できるが、この第９の実施の形態に係る情報処理システムの情報処理装置１では、該スイッチ２６，２７，２８，２９を処理モード選択手段としても用いるものとし、使用者は該スイッチ２６，２７，２８，２９の操作により第１の処理モード又は第２の処理モードの何れかを選択することができる。なお、本実施の形態では、スイッチ２８の操作により第１の処理モードを選択し、スイッチ２９の操作により第２の処理モードを選択するよう設定して説明する。
【０１３４】
次に、この第９の実施の形態に係る情報処理システムの動作について説明する。先ず使用者は、図５に示すスイッチ２６を押下操作して該情報処理装置１の電源を入れる。次いで使用者は、装着した情報処理装置１のスイッチ２８又は２９を処理モード選択手段として操作し、該情報処理装置１を以下第１の処理モードとして動作させるか、第２の処理モードとして動作させるかを選択する。そして、使用者が第１の処理モードを選択した場合には、この情報処理装置１は上述した第１の実施の形態と同様な動作、すなわち、上記段落番号００６１ないし００６７と、図６及び図７のフローチャートで説明したような動作、すなわち、ＱＲコードの識別コード情報の読み取りと、該ＱＲコードの識別コード情報に対応する個別情報をＲＦタグへ書き込むことを一連に行う。また、使用者が第２の処理モードを選択した場合には、この情報処理装置１は上述した第３の実施の形態と同様な動作、すなわち、上記段落番号００７６ないし００８３と、図１０及び図１１のフローチャートで説明したような動作、すなわち、ＱＲコードの識別コード情報とＲＦタグの個別情報とを読み取ってこれらの対応関係の確認の処理をする。
【０１３５】
このように、この第９の実施の形態に係る情報処理装置１を用いた情報処理システムによれば、ホストコンピュータ１０１と連携して、ＱＲコード９２の情報とＲＦタグ９３の情報を極めて簡単且つ迅速に一致させることができ、また、ＱＲコード９２の情報とＲＦタグ９３の情報が正しい対応関係にあるものか否かの確認を極めて簡単且つ迅速に確認することができ、この情報処理システムは非常に作業性が高いものとなっている。すなわち、この情報処理装置１とホストコンピュータ１０１を備えた情報処理システムによれば、ＱＲコード９２の情報の読み取りと、このＱＲコード９２の情報に対応する情報についてのＲＦタグ９３への情報の書き込みとを連携した一連の動作として連続的に行うことができることから、ＱＲコード９２の情報とＲＦタグ９３の情報とを一致させる作業をより一層簡単且つ迅速に行うことが可能となり、また、ＱＲコード９２及びＲＦタグ９３の情報の読み取りとこれらの情報が正しい対応関係にあるか否かの確認を連携した一連の動作として連続的に行うことができることから、ＱＲコード９２及びＲＦタグ９３の情報が正しい対応関係にあるか否か確認する作業をより一層簡単且つ迅速に行うことが可能となる。また、特にこの情報処理装置１においては、上記レンズ２３及びアンテナ３０は、同一の面又はその近傍に配置されてなることから、該レンズ２３によってＱＲコード９２を読み取るのに適した方向と、アンテナ３０によってＲＦタグ９３との情報の送信に適した方向とが一致するものとなり、使用者がＱＲコード９２もＲＦタグ９３も備えた現品票９１と情報処理装置１とを適切な位置関係とした場合には、この位置関係は、レンズ２３によるＱＲコード９２の読み取りにも、アンテナ３０を介したＲＦタグ９３との情報の受信及び／又は送信による読み取り及び／又は書き込みにも適した位置関係となる。したがって、この情報処理装置１は、上述の図６及び図７のフローチャートに示す第１の実施の形態のようなＱＲコード９２の読み取りの操作とＲＦタグ９３への書き込みの操作をいちどきに（ほぼ同時に）連続して実行するのにも、上述の図１０及び図１１のフローチャートに示す第３の実施の形態のようなＱＲコード９２及びＲＦタグ９３への読み取りの操作とこれらの情報が正しい対応関係にあるか否かの確認の作業をいちどきに（ほぼ同時に）連続して実行するものにも適したものとなり、作業性が高いものとなっている。
【０１３６】
次に、上記情報処理システムについて、上述の第１０の実施の形態として動作させる場合のこの情報処理装置１の構成と、一連の情報の読み取り及び書き込みの手順を説明する。なお、この第１０の実施の形態は、本発明の上述した第１０の発明に当たるものである。また、この第９の実施の形態での左トリガー４２（又は右トリガー４４）は、上記第９の発明を構成する共通トリガーである。また、上記の通り、この第１０の実施の形態に係る情報処理システムでは、情報処理装置１はホストコンピュータ１０１と連携せずにこの情報処理装置１のみが単独で動作をする。なお、第１０の実施の形態では、上述した第１ないし第９の実施の形態、特に第２及び第４の実施の形態と同じ構成や同じ動作を行うものが多いため、このような第２及び第４の実施の形態の説明に用いた図８，図９，図１２及び図１３のフローチャートに従い説明するとともに、上述した第１ないし第９の実施の形態と重複する構成や動作については詳細な説明を省略する。
【０１３７】
この第１０の実施の形態に係る情報処理システムの情報処理装置１には、上記第９の実施の形態に係る情報処理システムの情報処理装置１と同様に、特に処理モード選択手段が設けられている。すなわち、上述の通りこの情報処理装置１のハウジング１１にはスイッチ２６，２７，２８，２９が設けられており、使用者は該スイッチ２６，２７，２８，２９を操作することで該情報処理装置１の設定を変更できるが、この第１０の実施の形態に係る情報処理システムの情報処理装置１では、該スイッチ２６，２７，２８，２９を処理モード選択手段としても用いるものとし、使用者は該スイッチ２６，２７，２８，２９の操作により第１の処理モード又は第２の処理モードの何れかを選択することができる。なお、本実施の形態では、スイッチ２８の操作により第１の処理モードを選択し、スイッチ２９の操作により第２の処理モードを選択するよう設定して説明する。
【０１３８】
次に、この第１０の実施の形態に係る情報処理システムの動作について説明する。先ず使用者は、図５に示すスイッチ２６を押下操作して該情報処理装置１の電源を入れる。次いで使用者は、装着した情報処理装置１のスイッチ２８又は２９を処理モード選択手段として操作し、該情報処理装置１を以下第１の処理モードとして動作させるか、第２の処理モードとして動作させるかを選択する。そして、使用者が第１の処理モードを選択した場合には、この情報処理装置１は上述した第２の実施の形態と同様な動作、すなわち、上記段落番号００７０ないし００７３と、図８及び図９のフローチャートで説明したような動作、すなわち、ＱＲコードの識別コード情報の読み取りと、該ＱＲコードの識別コード情報に対応する個別情報をＲＦタグへ書き込むことを一連に行う。また、使用者が第２の処理モードを選択した場合には、この情報処理装置１は上述した第４の実施の形態と同様な動作、すなわち、上記段落番号００８６ないし００９１と、図１２及び図１３のフローチャートで説明したような動作、すなわち、ＱＲコードの識別コード情報とＲＦタグの個別情報とを読み取ってこれらの対応関係の確認の処理をする。
【０１３９】
このように、この第１０の実施の形態に係る情報処理装置１を用いた情報処理システムによれば、ＱＲコード９２の情報とＲＦタグ９３の情報を極めて簡単且つ迅速に一致させることができ、また、ＱＲコード９２の情報とＲＦタグ９３の情報が正しい対応関係にあるものか否かの確認を極めて簡単且つ迅速に確認することができ、この情報処理システムは非常に作業性が高いものとなっている。すなわち、この情報処理装置１からなる情報処理システムによれば、ＱＲコード９２の情報の読み取りと、このＱＲコード９２の情報に対応する情報についてのＲＦタグ９３への情報の書き込みとを連携した一連の動作として連続的に行うことができることから、ＱＲコード９２の情報とＲＦタグ９３の情報とを一致させる作業をより一層簡単且つ迅速に行うことが可能となり、また、ＱＲコード９２及びＲＦタグ９３の情報の読み取りとこれらの情報が正しい対応関係にあるか否かの確認を連携した一連の動作として連続的に行うことができることから、ＱＲコード９２及びＲＦタグ９３の情報が正しい対応関係にあるか否か確認する作業をより一層簡単且つ迅速に行うことが可能となる。また、特にこの情報処理装置１においては、上記レンズ２３及びアンテナ３０は、同一の面又はその近傍に配置されてなることから、該レンズ２３によってＱＲコード９２を読み取るのに適した方向と、アンテナ３０によってＲＦタグ９３との情報の送信に適した方向とが一致するものとなり、使用者がＱＲコード９２もＲＦタグ９３も備えた現品票９１と情報処理装置１とを適切な位置関係とした場合には、この位置関係は、レンズ２３によるＱＲコード９２の読み取りにも、アンテナ３０を介したＲＦタグ９３との情報の受信及び／又は送信による読み取り及び／又は書き込みにも適した位置関係となる。したがって、この情報処理装置１は、上述の図８及び図９のフローチャートに示す第２の実施の形態のようなＱＲコード９２の読み取りの操作とＲＦタグ９３への書き込みの操作をいちどきに（ほぼ同時に）連続して実行するのにも、上述の図１２及び図１３のフローチャートに示す第４の実施の形態のようなＱＲコード９２及びＲＦタグ９３への読み取りの操作とこれらの情報が正しい対応関係にあるか否かの確認の作業をいちどきに（ほぼ同時に）連続して実行するのにも適したものとなり、作業性が高いものとなっている。
【０１４０】
なお、上記情報処理装置１は、上述の通り無線通信の規格であるブルートゥースの技術に基づいて上記ホストコンピュータ１０１と通信をするものとしているが、これら情報処理装置１とホストコンピュータ１０１との間の通信の方法はこのブルートゥースによるものに限定されず、ＷｉＦｉやワイヤレスＵＳＢ等の規格に基づいてするものとしても良く、また、電波以外に赤外線等の無線での通信手段によって通信するものとしても良く、更に情報処理装置１とホストコンピュータ１０１との間をケーブルで接続してＵＳＢやＲＳ２３２Ｃ等の規格に基づいて有線での通信手段によって通信をするものとしても良い。また、上述した情報処理装置１の電子情報読取手段８３及び電子情報書込手段８４とＲＦタグ９３との間の情報の送受信に付いては、該ＲＦタグ９３が、いわゆるパッシブタグであるような動作を例に挙げて説明したが、該ＲＦタグ９３はパッシブタグに限られる訳ではなく、いわゆるアクティブタグであっても良い。
【０１４１】
また、上記の情報処理装置１は、上記レンズ２３とアンテナ３０とが、上記ハウジング１１の一面である上面２１に配置されていることから、例えば、図６及び図７のフローチャートに示す情報処理システムの動作のように、使用者が上記情報処理装置１を用いて左トリガー４２（又は右トリガー４４）の操作をするのみで識別コード情報の読み取りとこの識別コード情報に対応する情報のＲＦタグ９３への書き込みを一連に（ほぼ同時に）行う際には、極めて簡単且つ迅速に操作することができる。
【図面の簡単な説明】
【０１４２】
【図１】本発明の実施の形態に係る情報処理装置を示す平面図である。
【図２】本発明の実施の形態に係る情報処理装置を示す正面図である。
【図３】図１に示す情報処理装置のＡ−Ａ矢視側面図である。
【図４】本発明の実施の形態に係る情報処理装置の使用の状態を示す斜視図である。
【図５】本発明の実施の形態に係る情報処理装置，ホストコンピュータ及び現品票の構成を示すブロック図である。
【図６】本発明の第１の実施の形態に係るフローを示すフローチャートである。
【図７】図６に示すフローチャートの続葉である。
【図８】本発明の第２の実施の形態に係るフローを示すフローチャートである。
【図９】図８に示すフローチャートの続葉である。
【図１０】本発明の第３の実施の形態に係るフローを示すフローチャートである。
【図１１】図１０に示すフローチャートの続葉である。
【図１２】本発明の第４の実施の形態に係るフローを示すフローチャートである。
【図１３】図１２に示すフローチャートの続葉である。
【図１４】本発明の第５の実施の形態に係るフローを示すフローチャートである。
【図１５】図１４に示すフローチャートの続葉である。
【図１６】本発明の第６の実施の形態に係るフローを示すフローチャートである。
【図１７】図１６に示すフローチャートの続葉である。
【図１８】本発明の第７の実施の形態に係るフローを示すフローチャートである。
【図１９】図１８に示すフローチャートの続葉である。
【図２０】本発明の第８の実施の形態に係るフローを示すフローチャートである。
【図２１】図２０に示すフローチャートの続葉である。
【符号の説明】
【０１４３】
１  情報処理装置
１１  ハウジング
１２  装着ベルト
２１  上面
２３  レンズ
３０  アンテナ
４１  左側面
４２  左トリガー
４３  右側面
４４  右トリガー
６０  低反発性シート部材
８１  情報処理装置側ＣＰＵ
８２  コード情報読取手段
８３  電子情報読取手段
８４  電子情報書込手段
８５  情報処理装置側記憶手段
８６  ブザー
８７  バイブレータ
８８  情報処理装置側送受信手段
９２  ＱＲコード
９３  ＲＦタグ
１０１  ホストコンピュータ
１０２  ホストコンピュータ側ＣＰＵ
１０３  ホストコンピュータ側記憶手段
１０４  ホストコンピュータ側送受信手段
Ｆ１  人差指
Ｆ２  中指
Ｆ３  親指
【図１】
2009211297.tif 000003
【図２】
2009211297.tif 000004
【図３】
2009211297.tif 000005
【図４】
2009211297.tif 000006
【図５】
2009211297.tif 000007
【図６】
2009211297.tif 000008
【図７】
2009211297.tif 000009
【図８】
2009211297.tif 000010
【図９】
2009211297.tif 000011
【図１０】
2009211297.tif 000012
【図１１】
2009211297.tif 000013
【図１２】
2009211297.tif 000014
【図１３】
2009211297.tif 000015
【図１４】
2009211297.tif 000016
【図１５】
2009211297.tif 000017
【図１６】
2009211297.tif 000018
【図１７】
2009211297.tif 000019
【図１８】
2009211297.tif 000020
【図１９】
2009211297.tif 000021
【図２０】
2009211297.tif 000022
【図２１】
2009211297.tif 000023